(57)【特許請求の範囲】
【請求項１】
履物製品を作製する方法であって、
第１のニット層と、
前記第１のニット層に重なり、前記第１のニット層および第２のニット層における共通縁部に沿って前記第１のニット層と連続している第２のニット層であって、前記共通縁部が、編みプロセスの方向に延びている前記第２のニット層と、
前記第１のニット層および第２のニット層の前記共通縁部に沿って前記第１のニット構成要素部分に形成される共通の開口部と、
前記第１のニット層と前記第２のニット層とを相互に接続する第１の中間層ニットステッチラインであって、前記共通の開口部の前記共通縁部と、前記第１の中間層ニットステッチラインとが、ニット構成要素の第１のニット構成要素部分の輪郭を共同で画定し、前記第１のニット構成要素部分は、シームレスブーティを形成するように構成される、前記第１の中間層ニットステッチラインと、
前記第１のニット層と前記第２のニット層とを、前記第１のニット構成要素部分から離間した位置若しくはそれに接した位置において相互に接続する第２の中間層ニットステッチラインであって、前記第２の中間層ニットステッチラインは、第２のニット構成要素部分の輪郭を画定する、前記第２の中間層ニットステッチラインとを有し、
前記第１のニット構成要素部分と、前記第２のニット構成要素部分とが、共同で前記ニット構成要素を形成する、一体ワープニット構造から成るニット布地要素を編む工程と、
前記ニット布地要素から前記ニット構成要素を取り外す工程と、
前記第１のニット構成要素部分の前記第１のニット層と前記第２のニット層との間に形成された内部ポケット内に、前記第２のニット構成要素部分を折り込む工程と、を含む方法。
【請求項２】
前記ニット布地要素を編む工程は、前記第１のニット構成要素部分および前記第２のニット構成要素部分の少なくとも一方のためのクロージャ構造を編む工程を含み、前記クロージャ構造は、前記共通の開口部に隣接する前記第１のニット層および前記第２のニット層に編まれる、請求項１に記載の方法。
【請求項３】
前記クロージャ構造を編む工程は、前記クロージャ構造に関連する複数のニットクロージャ部材を編む工程を含む、請求項２に記載の方法。
【請求項４】
前記クロージャ構造を編む工程は、前記クロージャ構造に関連し、および前記クロージャ構造のテンショニング要素と関連するように構成された複数のニットホールを編む工程を含む、請求項２に記載の方法。
【請求項５】
前記ニット布地要素を編む工程は、前記第１のニット構成要素部分および前記第２のニット構成要素部分の少なくとも一方のためのダイナミックフィット構造を編む工程を含み、前記ダイナミックフィット構造は、前記共通の開口部に隣接する前記第１のニット層および前記第２のニット層に編まれる、請求項１に記載の方法。
【請求項６】
前記ダイナミックフィット構造を編む工程は、前記ダイナミックフィット構造に関連し、および前記ダイナミックフィット構造のテンショニング要素に関連するように構成された複数のニットホールを編む工程を含む、請求項５に記載の方法。
【請求項７】
前記ニット布地要素を編む工程は、前記第１のニット構成要素部分のためのクロージャ構造を、前記共通の開口部に隣接する前記第１のニット層および前記第２のニット層に編む工程と、前記第２のニット構成要素部分のためのダイナミックフィット構造を、前記共通の開口部に隣接する前記第１のニット層および前記第２のニット層に編む工程とを含む、請求項１に記載の方法。
【請求項８】
前記クロージャ構造を編む工程は、前記クロージャ構造に関連する複数のニットホールを編む工程を含み、前記ダイナミックフィット構造を編む工程は、前記ダイナミックフィット構造に関連する複数のニットホールを編む工程を含む、請求項７に記載の方法。
【請求項９】
前記クロージャ構造に関連する前記複数のニットホールのうちの少なくとも一つと、前記ダイナミックフィット構造に関連する前記ニットホールのうちの少なくとも一つとが、互いに位置決めされて整合するように構成される、請求項８に記載の方法。
【請求項１０】
前記第２のニット構成要素部分は、シームレスブーティ、シームレストーレスブーティ、および前記履物製品の中足領域に配置されるように構成された甲回りサポートのうちの一つである、請求項１に記載の方法。
【請求項１１】
前記布地要素を編む工程は、前記第１のニット層における第１の折り目を示す少なくとも一つの編み込み指示部と、前記第２のニット層における第２の折り目を示す少なくとも一つの編み込み指示部とを編む工程を含む、請求項１に記載の方法。
【請求項１２】
前記第２の構成要素部分はベロである、請求項１に記載の方法。
【請求項１３】
前記布地要素を編む工程は、前記第１のニット層の前記第２の構成要素部分のための第１の折り目を示す少なくとも一つの編み込み指示部と、前記第２のニット層の前記第２の構成要素部分のための第２の折り目を示す少なくとも一つの編み込み指示部とを編む工程を含む、請求項１２に記載の方法。
【請求項１４】
前記布地要素を編む工程は、前記第１のニット構成要素部分のための第１のクロージャ構造を編む工程であって、前記第１のクロージャ構造が、前記第１のクロージャ構造に関連する第１の複数のニットホールを含む工程と、前記第２のニット構成要素部分のための第２のクロージャ構造を編む工程であって、前記第２のクロージャ構造が、前記第２のクロージャ構造に関連する第２の複数のニットホールを含む工程とを含み、前記第１の複数のニットホールおよび前記第２の複数のニットホールは、共通のテンショニング要素を受け入れるために構成される、請求項１２に記載の方法。
【請求項１５】
前記第１のクロージャ構造に関連する前記第１の複数のニットホールのうちの少なくとも一つと、前記第２のクロージャ構造に関連する前記第２の複数のニットホールのうちの少なくとも一つとが、互いに位置決めされて整合するように構成される、請求項１４に記載の方法。
【請求項１６】
前記第２の構成要素部分を編む工程は、前記共通の穴の前記共通縁部に隣接する前記第１のニット層および前記第２のニット層におけるタブ部を示す少なくとも一つの編み込み指示部を編む工程を含む、請求項１２に記載の方法。
【請求項１７】
前記第２の構成要素部分を前記第１の構成要素部分に折り込む工程は、前記第１の構成要素部分によって形成された前記シームレスブーティの連続する足先部に隣接して前記タブ部を折る工程を含む、請求項１６に記載の方法。
【請求項１８】
前記ベロの前記タブ部を、前記シームレスブーティの前記連続する足先部に取り付ける工程をさらに含む、請求項１７に記載の方法。
【請求項１９】
前記ニット布地要素の第２のニット構成要素部分を編む工程は、前記前記共通の開口部の端部と、前記第２の中間層ニットステッチラインの部分とを共同で接続する少なくとも一つの編み込み指示部を編む工程を含み、前記少なくとも一つの編み込み指示部と、前記第２の中間層ニットステッチラインとが、前記ニット構成要素の前記第２のニット構成要素部分の輪郭を共同で画定する、請求項１に記載の方法。
【請求項２０】
前記ニット布地要素を編む工程は、前記共通の開口部と、前記第２の中間層ニットステッチラインの第１の部分とを共同で接続する少なくとも一つの第１の編み込み指示部と、前記第１の中間層ニットステッチラインと、前記第２の中間層ニットステッチラインとを共同で接続する少なくとも一つの第２の編み込み指示部を編む工程をさらに含み、前記少なくとも一つの第１の編み込み指示部と、前記少なくとも一つの第２の編み込み指示部と、前記第２の中間層ニットステッチラインとが、前記ニット構成要素の前記第２のニット構成要素部分の輪郭を共同で画定する、請求項１に記載の方法。
【請求項２１】
前記ニット構成要素とソール構造とを結合する工程をさらに含む、請求項１に記載の方法。
【請求項２２】
前記第１のニット構成要素部分の前記第１のニット層と、前記第２のニット構成要素部分の前記第１ニット層との間に形成されたポケットと、前記第１のニット構成要素部分の前記第２のニット層と、前記第２のニット構成要素部分の前記第２のニット層との間に形成されたポケットとのうちの少なくとも一方にインサート部材を挿入する工程をさらに含む、請求項１に記載の方法。
【請求項２３】
履物製品に用いられるニット構成要素を含むニット布地要素を編む方法であって、前記方法は、
第１のニット層と、
前記第１のニット層に重なり、前記第１のニット層および前記第２のニット層における共通縁部に沿って前記第１のニット層と連続している第２のニット層であって、前記共通縁部が、編みプロセスの方向に延びている前記第２のニット層と、
前記第１のニット層および第２のニット層の前記共通縁部に沿って前記第１のニット構成要素部分に形成される共通の開口部と、
前記第１のニット層と前記第２のニット層とを相互に接続する第１の中間層ニットステッチラインであって、前記共通の開口部の前記共通縁部と、前記第１の中間層ニットステッチラインとが、ニット構成要素の第１のニット構成要素部分の輪郭を共同で画定し、前記第１のニット構成要素部分は、シームレスブーティを形成するように構成される、前記第１の中間層ニットステッチラインと、
前記第１のニット層と前記第２のニット層とを、前記第１のニット構成要素部分から離間した位置若しくはそれに接した位置において相互に接続する第２の中間層ニットステッチラインであって、前記第２の中間層ニットステッチラインは、第２のニット構成要素部分の輪郭を画定する、前記第２の中間層ニットステッチラインと、
を有する一体ワープニット構造から成るニット布地要素を編む工程を含み、
前記第１のニット構成要素部分と、前記第２のニット構成要素部分とが、共同で前記ニット構成要素を形成する、方法。
【請求項２４】
一体ワープニット構造から成るニット構成要素を備える履物製品であって、前記ニット構成要素が、
シームレスブーティとして構成された第１のニット構成要素部分の内側側部を形成する第１の部分と、前記第１の部分と連続し、および第２のニット構成要素部分の内側側部を形成する第２の部分とを含む第１のニット層と、
前記シームレスブーティとして構成された第１のニット構成要素部分の外側側部を形成する第１の部分と、前記第１の部分と連続し、および前記第２のニット構成要素部分の外側側部を形成する第２の部分とを含む第２のニット層であって、前記第２のニット層の前記第１の部分が、前記シームレスブーティの連続アッパー足先部の全域で、前記第１のニット層の前記第１の部分と連続している、前記第２のニット層と、
前記シームレスブーティの前記第１のニット層の前記内側側部と、前記シームレスブーティの前記第２のニット層の前記外側側部とを相互に接続し、および前記シームレスブーティのかかと部、底部および前方つま先部の中心線に沿って大略的に延びている第１の中間層ニットステッチラインと、
前記第２のニット構成要素部分の前記第１のニット層の前記内側側部と、前記第２のニット構成要素部分の前記第２のニット層の前記外側側部とを相互に接続する第２の中間層ニットステッチラインと、
を備える、履物製品。
【請求項２５】
前記第１のニット層の前記第２の部分と、前記第２のニット層の前記第２の部分とが、前記第２のニット構成要素部分の内部のアッパー足先部の全域で単一の連続層を形成する、請求項２４に記載の履物製品。
【請求項２６】
前記第２の中間層ニットステッチラインは、前記第２の構成要素部分の内部かかと部、内部中足底部および内部前方つま先部のうちの少なくとも一つの中心線に沿って大略的に延びている、請求項２４に記載の履物製品。
【請求項２７】
前記シームレスブーティとして構成された前記第１のニット構成要素部分の分離ラインを示す少なくとも一つの編み込み指示部をさらに備える、請求項２４に記載の履物製品。
【請求項２８】
前記第１のニット層の前記第２の部分と、前記第２のニット層の前記第２の部分とが、ダイナミックフィット構造を含む第２のニット構成要素部分を形成する、請求項２４に記載の履物製品。
【請求項２９】
前記第１のニット層の前記第１の部分と、前記第２のニット層の前記第１の部分とが、前記第１のニット構成要素部分のためのクロージャ構造を含む、請求項２８に記載の履物製品。
【請求項３０】
前記クロージャ構造は、第１のテンショニング要素を受け入れるための第１の複数のニットホールを含み、前記ダイナミックフィット構造は、第２のテンショニング要素を受け入れるための第２の複数のニットホールを含む、請求項２９に記載の履物製品。
【請求項３１】
前記クロージャ構造の前記複数のニットホールの少なくとも一つのニットホールは、前記ダイナミックフィット構造の前記複数のニットホールの少なくとも一つのニットホールと位置決めされて整合するように構成され、前記クロージャ構造の前記少なくとも一つのニットホールと、前記ダイナミックフィット構造の前記少なくとも一つのニットホールとが、共通のテンショニング要素を受け入れるように構成される、請求項３０に記載の履物製品。
【請求項３２】
前記第１のニット層の前記第２の部分と、前記第２のニット層の前記第２の部分とが、前記シームレスブーティのガセットベロを形成する、請求項２４に記載の履物製品。
【請求項３３】
前記ガセットベロは、前記第１のニット層の前記第１の部分および前記第２の部分に形成された第１の複数のニットホールと、前記第２のニット層の前記第１の部分および前記第２の部分に形成された第２の複数のニットホールとを含む、請求項３２に記載の履物製品。
【請求項３４】
前記第１の複数のニットホールと、前記第２の複数のニットホールとが、位置決めして整合するように構成される、請求項３３に記載の履物製品。
【発明の詳細な説明】
【技術分野】
【０００１】
本発明は、一般に、履物製品を作製する方法に関し、具体的には、シームレスブーティ（seamless bootie, 縫い目のない短靴）または布地アッパーを形成するためにワープニット（warp knit）構造のニット構成要素を編むことを含む履物製品を作製する方法に関するものである。
【背景技術】
【０００２】
履物製品は、一般に、２つの主要な要素、すなわち、アッパーと、ソール構造とを含んでいる。アッパーは、足をしっかりと受け入れて、ソール構造に対して足を位置決めする足の覆いを大略的に形成している。アッパーは、足を保護する構成を有していてもよい。アッパーは、アッパーの内部に対して通気性をもたらす構造を有していてもよく、それによって、足の冷却および／または足から汗を取り除くことを容易にする。
【０００３】
ソール構造は、アッパーの下面に固定することができ、および履物製品の使用中に、足と地面との間に大略的に配置される可能性がある。ソール構造は、衝撃および他の地面の反力を弱めるために、およびエネルギーを吸収するために、すなわち、履物製品の使用中に、足にクッション性を与えるために構成することができる。ソール構造は、地面に対するトラクションを与えることができる。ソール構造は、履物製品の使用中に、足の動きを制御するのに役に立つ可能性がある。
【０００４】
アッパーおよびソール構造は、ウォーキングやランニング等の多様な歩行活動に適している可能性のある快適な構造を形成するように協働することができる。
【０００５】
アッパーは、足を受け入れるために、履物製品の内部に空洞を形成してもよい。その空洞は、足の大略的なサイズおよび／または形状を有していてもよい。アッパーは、空洞にアクセスできるようになっている開口部、たとえば、足首開口部を有していてもよい。アッパーは、足の内側側部および外側側部に沿って、および／または足のかかと区域の周りで、足の甲回りおよびつま先区域を覆って延びていてもよい。アッパーは、開口部（たとえば、足首開口部）のサイズを選択的に調節する、ストラップまたは締めひもシステム等の固定またはクロージャシステムを含んでもよい。そのような構造は、着用者がアッパーのいくつかの寸法、特に周長を変更して、さまざまなプロポーションを有する異なる足を収容することを可能にする。アッパーは、開口部および／またはクロージャシステムに関連するベロを含んでもよい。たとえば、ベロは、履物製品の快適性を高めるために、締めひもシステムと足との間に設けてもよい。アッパーは、かかと領域における足の動きを制限するためのヒールカウンタを含んでいてもよい。
【０００６】
アッパー用に選択される材料は、大幅に変化してもよい。布地材料は、多くの場合、アッパーの外側面および内側面の少なくとも一部を形成する。布地は、柔軟性、繊度および厚さに対する長さの高比率を特徴とするファイバー、フィラメントまたはヤーンから作られたあらゆる製品として定義することができる。
【０００７】
布地は、大略的に、２つのカテゴリーのうちの一つに分類される。第１のカテゴリーは、フィラメントまたはファイバーをランダムにかみ合わせて、不織布およびフェルトを構成することによって、フィラメントまたはファイバーから成るウェブまたはマットから直接的に製造された布地を含む。第２のカテゴリーは、織布またはニット布地等の、ヤーンの機械的操作によって形成された布地を含む。
【先行技術文献】
【特許文献】
【０００８】
【特許文献１】米国特許出願第１３／９３９，２０８号明細書
【発明の概要】
【課題を解決するための手段】
【０００９】
ある態様において、履物製品を作製する方法は、第１のニット層と、前記第１の層に重なって、ニット布地要素の第１の共通縁部において、前記第１のニット層と連続しており、および前記ニット布地要素の方向に沿って延びている第２のニット層と、前記共通縁部からある距離において、前記第１のニット層と前記第２のニット層とを相互に接続する中間層ニットステッチラインと、前記共通縁部に沿って位置する少なくとも一つの編み込み指示部であって、前記共通縁部と前記中間層ニットステッチラインとがニット構成要素の輪郭を共同で画定する編み込み指示部と、を有する一体ワープニット構造から成るニット布地要素を編むことを含む。前記方法は、前記ニット布地要素から前記ニット構成要素を取り外すことと、前記少なくとも一つの編み込み指示部に沿って前記ニット構成要素を分離して、前記ニット構成要素における開口部を形成することとをさらに含む。
【００１０】
別の態様において、履物製品に用いられるニット構成要素を含むニット布地要素を編む方法は、第１のニット層と、前記第１のニット層を覆って、前記ニット布地要素の第１の共通縁部において、前記第１のニット層と連続している第２のニット層と、前記第１のニット層と前記第２のニット層とを相互に接続する中間層ニットステッチラインであって、前記共通縁部と前記中間層ニットステッチラインとが共同でニット構成要素の輪郭を画定する中間層ニットステッチラインと、を有する一体ワープニット構造から成るニット布地要素を編むことと、前記ニット布地要素の前記共通縁部に沿って位置する少なくとも一つの編み込み指示部であって、前記ニット構成要素における開口部を形成するための分離ラインを指示するように構成されている、少なくとも一つの編み込み指示部を編むこととを含む。
【００１１】
別の態様において、履物製品は、一体ワープニット構造から成るニット構成要素を含む。前記ニット構成要素は、シームレスブーティの内側側部および外側側部の一方を形成する第１のニット層と、前記シームレスブーティの前記内側側部および前記外側側部の他方を形成し、および前記シームレスブーティの連続アッパー足先部の全域で前記第１のニット層と連続している第２のニット層と、前記第１のニット層と前記第２のニット層とを相互に接続する中間層ニットステッチラインであって、前記シームレスブーティの前記内側側部および前記外側側部をシームレスで接続し、および前記シームレスブーティのかかと部、底部および前方つま先部の中心線に沿って大略的に延びている中間層ニットステッチラインと、前記ニット構成要素の少なくとも一つの分離ラインを共同で指示し、および前記第１のニット層と前記第２のニット層との間の空洞にアクセスできるようにする前記ニット構成要素における開口部を画成するように構成された少なくとも一つの編み込み指示部であって、前記開口部は前記連続アッパー足先部と前記シームレスブーティの前記かかと部との間に設けられている編み込み指示部とを含んでいる。
【００１２】
別の態様において、履物製品を作製する方法は、第１のニット層と、前記第１のニット層を覆って、前記第１のニット層および前記第２のニット層における共通の開口部の共通縁部に沿って連続している第２のニット層であって、前記共通開口部の前記共通縁部が、編みプロセスの方向に延びている第２のニット層と、前記第１のニット層と前記第２のニット層とを相互に接続する第１の中間層ニットステッチラインであって、前記共通開口部の前記共通縁部と前記第１の中間層ニットステッチラインとが共同で前記ニット構成要素の第１のニット構成要素部分の輪郭を画定している第１の中間層ニットステッチラインと、前記共通開口部に隣接する前記第１のニット層の第１の連続部と、前記共通開口部に隣接する前記第２の連続層の第２の連続部とによって前記第１のニット構成要素部分にシームレスに接続されている前記ニット構成要素の第２のニット構成要素部分と、前記第１のニット層の前記第１の連続部および前記第２のニット層の前記第２の連続部から離間された位置において、前記第１のニット層と前記第２のニット層とを相互に接続する第２の中間層ニットステッチラインと、を有する一体ワープニット構造から成るニット布地要素を編むことを含み、前記第２の中間層ニットステッチラインは、前記第２のニット構成要素部分の輪郭を画定し、および前記第１のニット構成要素部分と前記第２のニット構成要素部分とが共同で前記ニット構成要素を形成する。
【００１３】
前記方法は、前記ニット布地要素から前記ニット構成要素を取り外すことと、前記第２のニット構成要素部分を、前記第１のニット構成要素部分の前記第１のニット層と前記第２のニット層との間に形成された内部ポケットに折り込むこととをさらに含む。
【００１４】
別の態様において、履物製品を作製する方法は、第１のニット層と、前記第１のニット層を覆って、編みプロセスの方向に沿って延びている前記ニット布地要素の前記共通縁部に沿って前記第１のニット層と連続している第２のニット層と、前記第１のニット層と前記第２のニット層とを相互に接続する中間層ニットステッチラインであって、前記共通ニット層の前記共通縁部に沿って位置する少なくとも一つの第１の編み込み指示部であって、前記共通縁部と前記中間層ニットステッチラインとがニット構成要素の第１のニット構成要素部分の輪郭を画定し、前記第１のニット構成要素部分は、シームレスブーティを形成するように構成されている第１の編み込み指示部と、前記中間層ニットステッチラインにおいて、前記第１のニット構成要素部分にシームレスで結合された第２のニット構成要素部分と、を有する一体ワープニット構造から成るニット布地要素を編むことを含み、前記第１のニット構成要素部分と前記第２のニット構成要素部分とが共同で前記ニット構成要素を形成する。前記方法は、前記ニット布地要素から前記ニット構成要素を取外すことと、前記少なくとも一つの編み込み指示部に沿って前記ニット構成要素を分離して、前記ニット構成要素における開口部を形成することと、前記第１のニット構成要素部分の少なくとも一部の周りに前記第２のニット構成要素部分を巻き付けることとをさらに含む。
【００１５】
本発明を実施するための形態の他の態様、システム、方法、機能および利点は、当業者には、以下の図および詳細な説明を検討した時点で明らかであるか、または明らかになるであろう。そのようなすべての追加的な態様、システム、方法、機能および利点が、この説明およびこの概要内に含まれ、および本発明の範囲内にあり、ならびに以下のクレームによって保護されることが意図されている。
【００１６】
実施形態は、以下の図面および説明を参照することによって、より良く理解することができる。図における構成要素は、必ずしも縮尺通りではなく、むしろ実施形態の構造的および機能的原理を示すにあたり強調されている。各図において、同様の符号は、異なる図面にわたって類似の部分を示しており、各符号の最初の桁または複数の桁は、その部材が図面において識別される最初の図の図面番号を示す。
【図面の簡単な説明】
【００１７】
【図１】シームレスブーティまたは布地アッパーを組み込んだ履物製品の実施形態の等角模式図である。
【図２】取外し前のニット構成要素を含むニット布地要素の実施形態の模式平面図であり、図中には、ニット布地要素のワープニットステッチおよび中間層ワープニットステッチラインの形状構成が詳細に図示されている。
【図３】図２のニット布地要素を内側等角図で模式的に示す。
【図４】図２のニット布地要素を内側等角縁部図で模式的に示す。
【図５】図２のニット布地要素を外側等角縁部図で模式的に示す。
【図６】図２のニット布地要素を外側等角図で模式的に示す。
【図７】取り外し後の、図２のベロ用のニット構成要素の模式平面図である。
【図８】取外し後の、シームレスブーティの形態における図２のアッパー用のニット構成要素の模式平面図である。
【図９】最初の取外し後の状態における図８のニット構成要素を示す。
【図１０】つま先部が、ニット構成要素の内部空洞内で反転された状態の図９のニット構成要素を示す。
【図１１】反転されたつま先部が足首開口部を通って突出している状態の図１０のニット構成要素を示す。
【図１２】反転されたつま先部および甲回り部が足首開口部を通って突出している状態の図１１のニット構成要素を示す。
【図１３】完全に反転された、または裏返しにされた図９〜図１２のニット構成要素を示す。
【図１４】図８のニット構成要素から形成されたシームレスブーティまたは布地アッパーの形態における履物製品の実施形態を外側等角図で模式的に示す。
【図１５】図８のニット構成要素から形成されたシームレスブーティまたは布地アッパーの形態における履物製品の実施形態を底部等角平面図で模式的に示す。
【図１６】図８のニット構成要素から形成されたシームレスブーティまたは布地アッパーの形態における履物製品の実施形態を内側等角図で模式的に示す。
【図１７】図８のニット構成要素から形成されたシームレスブーティまたは布地アッパーの形態における履物製品の実施形態の模式的等角底部正面図である。
【図１８】図８のニット構成要素から形成されたシームレスブーティまたは布地アッパーの形態における履物製品の実施形態の模式的等角上部正面図である。
【図１９】任意のソール構造に結合された図１４〜図１８のシームレスブーティまたは布地アッパーを組み込んだ履物製品の実施形態の模式的等角上部正面図である。
【図２０】図１９の履物製品の模式的等角背面図である。
【図２１】取外し前の図２のニット布地要素のニット構成要素の実施形態の形状構成を、そのニット構成要素から形成されたシームレスブーティまたは布地アッパーに模式的に対応付けている。
【図２２】編み方法を用いて履物製品を作製するプロセスを含むフローチャートである。
【図２３】取外し前のニット構成要素を含むニット布地要素の別の実施形態の模式平面図であり、ニット布地要素のワープニットステッチおよび中間層ワープニットステッチラインの形状構成が詳細に図示されている。
【図２４】取外し前の図２３のニット布地要素のニット構成要素の別の実施形態の形状構成を、そのニット構成要素から形成されたシームレスブーティまたは布地アッパーに模式的に対応付けている。
【図２５】ニット布地要素のニット構成要素の別の実施形態の形状構成を、連続クロージャ構造を用いたシームレスニットダイナミックフィット構成要素を含む、そのニット構成要素から形成されたシームレスブーティまたは布地アッパーに模式的に対応付けている。
【図２６】最初の取外し後の状態における図２５のニット構成要素を模式的に示す。
【図２７】内側ニット構成要素部分のつま先部が反転されている状態の図２６のニット構成要素を模式的に示す。
【図２８】内側ニット構成要素部分の反転されたつま先部が、外側ニット構成要素部分の足首開口部を通って突出し、および内側ニット構成要素部分のかかと部が、足首開口部を通って部分的に突出している状態の図２７のニット構成要素を模式的に示す。
【図２９】内側ニット構成要素部分の反転されたつま先部、甲回り部およびかかと部が、外側ニット構成要素部分の足首開口部を通って突出している状態の図２８のニット構成要素を模式的に示す。
【図３０】内側ニット構成要素部分を別のニット構成要素部分内に折り込むことによって完全に反転された、または裏返しにされた図２６〜図２９のニット構成要素を模式的に示す。
【図３１】ニット布地要素のニット構成要素の形状構成を、連続クロージャ構造を用いた別のシームレスニットダイナミックフィットミッドソール構成要素を含む、そのニット構成要素から形成されたシームレスブーティまたは布地アッパーの実施形態に模式的に対応付けている。
【図３２】ニット布地要素のニット構成要素の別の実施形態の形状構成を、連続クロージャ構造を用いた別のシームレスニットダイナミックフィット構成要素を含む、そのニット構成要素から形成されたシームレスブーティまたは布地アッパーに模式的に対応付けている。
【図３３】例示的なクロージャ、テンショニングおよび／またはダイナミックフィット構造を示す模式的断面図である。
【図３４】ニット布地要素のニット構成要素の別の実施形態の形状構成を、連続クロージャ構造を用いたシームレスニットベロ構成要素を含む、そのニット構成要素から形成されたシームレスブーティまたは布地アッパーに模式的に対応付けている。
【図３５】ニット布地要素のニット構成要素の別の実施形態の形状構成を、連続クロージャ構造を用いたシームレスニットベロ構成要素を含む、そのニット構成要素から形成されたシームレスブーティまたは布地アッパーに模式的に対応付けている。
【図３６】ニット布地要素のニット構成要素の別の実施形態の形状構成を、ラップアラウンド構造を用いたシームレスニットダイナミックフィット構成要素を含む、そのニット構成要素から形成されたシームレスブーティまたは布地アッパーに模式的に対応付けている。
【図３７】最初の取外し後の状態における図３６のニット構成要素を模式的に示す。
【図３８】ダイナミックフィット構成要素が、ニット構成要素の内側側部および外側側部にそれぞれ部分的に巻き付けられている状態の図３７のニット構成要素を示す。
【図３９】ニット構成要素の内側側部および外側側部にそれぞれ部分的に巻き付けられているダイナミックフィット構成要素を模式的に示す図３８のニット構成要素の正面図である。
【図４０】ニット構成要素の内側側部および外側側部に完全に巻き付けられたダイナミックフィット構成要素を模式的に示す図３９のニット構成要素の正面図である。
【図４１】ニット構成要素の内側側部および外側側部に完全に巻き付けられたダイナミックフィット構成要素を模式的に示す図４０のニット構成要素の側面図である。
【図４２】つま先部が部分的に反転された状態の図４１のニット構成要素を模式的に示す。
【図４３】反転されたつま先部が、ニット構成要素の足首開口部を通って突出している状態の図４２のニット構成要素を模式的に示す。
【図４４】反転されたつま先部および甲回り部が足首開口部を通って突出している状態の図４３のニット構成要素を模式的に示す。
【図４５】完全に反転された、または裏返しにされた図３７〜図４４のニット構成要素を模式的に示す。
【図４６】図３６〜図４５の反転プロセス後の図３６のニット構成要素を組み込んだシームレスブーティまたは布地アッパーの模式的正面等角図である。
【図４７】区画線（section line）４７−４７に沿った図４６の布地アッパーの断面図である。
【図４８】区画線４８−４８に沿った図４６の布地アッパーの断面図である。
【図４９】ニット布地要素のニット構成要素の別の実施形態の形状構成を、ラップアラウンド構造を用いたシームレスニットダイナミックフィットフィンガ構成要素を含む、そのニット構成要素から形成されたシームレスブーティまたは布地アッパーに模式的に対応付けている。
【図５０】最初の取外し後の状態における図４９のニット構成要素の別の実施形態を模式的に示す。
【図５１】ニットダイナミックフィットフィンガ構成要素が、シームレスブーティの内側側部および外側側部に部分的に巻き付けられた状態の図５０のニット構成要素から形成されたシームレスブーティまたは布地アッパーを模式的に示す。
【図５２】ニットダイナミックフィットフィンガ構成要素が、シームレスブーティの内側側部および外側側部に完全に巻き付けられた状態の図５１のシームレスブーティまたは布地アッパーを模式的に示す。
【発明を実施するための形態】
【００１８】
この詳細な説明は、履物製品を作製する方法およびそのような方法によって作製された履物製品について全般的に説明する。
【００１９】
各実施形態において、その方法は、一般に、第１のニット層と、第１のニット層に重なっている第２のニット層とを有する一体ワープニット構造から成るニット布地要素を編むことを含む。各実施形態において、その方法は、一般に、シームレスニットブーティまたは履物製品の布地アッパーを形成するように構成されたニット構成要素を含むニット布地要素を編むことを含む。各実施形態において、第１のニット層と第２のニット層とが、ニットブーティまたは布地アッパーの足先部の全域に単一の連続層を形成し、およびシームレスブーティまたは布地アッパーは、第１のニット層と第２のニット層とをシームレスで接続する中間層ニットステッチラインを含む。
【００２０】
この詳細な説明の第１のセクションは、シームレスブーティまたは履物製品用の布地アッパーを形成するように構成されたニット構成要素を含むニット布地要素を編むための方法の実施形態について全般的に説明している。
【００２１】
この詳細な説明の第２のセクションは、押し込み部を有するニット構成要素を含むニット布地要素を編むための方法の実施形態について全般的に説明する。具体的には、第２のセクションは、シームレスブーティまたは布地アッパーを形成するように構成されている第１のニット構成要素部分と、シームレスブーティまたは布地アッパーの内部ポケット（すなわち、第１のニット構成要素部分）に押し込まれるか、または折り込まれるように構成されている第２のニット構成要素部分とを含むニット構成要素を含むニット布地要素を編むための方法の実施形態について全般的に説明する。その内部ポケットは、ニット布地要素の第１のニット層および第２のニット層によって形成され、また、その押し込み部（すなわち、第２のニット構成要素部分）は、足を受け入れるように構成されているシームレスブーティまたは布地アッパーの開口部において、シームレスブーティまたは布地アッパーの第１のニット層および第２のニット層（すなわち、第１のニット構成要素部分）とシームレスで結合されている。
【００２２】
この詳細な説明の第３のセクションは、ラップアラウンド部を有するニット構成要素を含むニット布地要素を編むための方法の実施形態について全般的に説明する。具体的には、第３のセクションは、シームレスブーティまたは布地アッパーを形成するように構成されている第１のニット構成要素部分と、シームレスブーティまたは布地アッパーの少なくとも一部（すなわち、第１のニット構成要素部分）に巻き付けられるように構成されている第２のニット構成要素部分とを含むニット構成要素を含むニット布地要素を編むための方法の実施形態について全般的に説明する。そのラップアラウンド部（すなわち、第２のニット構成要素部分）は、第１のニット構成要素部分の中間層ニットステッチラインにおいて、第１のニット構成要素部分の第１のニット層および／または第２のニット層とシームレスで結合されている。
【００２３】
〈シームレスブーティまたは布地アッパーの履物製品構成〉
このセクションは、シームレスブーティまたは履物製品用の布地アッパーを形成するように構成されているニット構成要素を含むニット布地要素を編むための方法の実施形態について全般的に説明する。
【００２４】
図１は、製品１００とも呼ぶ履物製品１００の実施形態の等角上部正面図である。いくつかの実施形態では、限定するものではないが、ハイキングブーツ、サッカーシューズ、フットボールシューズ、スニーカー、ランニングシューズ、クロストレーニングシューズ、ラグビーシューズ、バスケットボールシューズ、ベースボールシューズ、およびその他の種類の運動靴または履物を含む運動靴またはスポーツ関連の履物の形態をとってもよい。いくつかの実施形態では、製品１００は、限定するものではないが、スリッパ、サンダル、ハイヒールの履物、ローファー、および他の任意の種類の履物および／または衣料品も含むさまざまな種類の非スポーツ関連の履物の形態をとってもよい。
【００２５】
図１に図示されているように、いくつかの実施形態では、製品１００は、アッパー１０２および任意のソール構造１０４を含んでいてもよい。ソール構造１０４は、アッパー１０２に固定して、製品１００が着用されたときに、足と地面との間に延びることができる。いくつかの実施形態では、ソール構造１０４は、製品１００にトラクションを与えるように構成してもよい。いくつかの実施形態では、ソール構造１０４は、ウォーキング、ランニングまたは他の歩行活動中に、足と地面との間で圧縮された場合に、衝撃または他の地面反力を吸収するか、または弱めるように構成してもよい。
【００２６】
ソール構造１０４の構成は、異なる実施形態において、さまざまな既知の、または新たに開発されたソール構造および／または構成要素を含むように、大幅に変化する可能性がある。たとえば、ソール構造１０４は、アウトソール、ミッドソールおよび／またはインソールをさまざまに含んでもよい。ある場合には、それらの構成要素のうちの一つ以上が任意であってもよい。ある場合では、ソール構造１０４自体が任意であってもよい。ある場合では、ソール構造１０４の構成は、ソール構造１０４をその上で用いてもよい一種類以上の地面に適するように選択してもよい。地面の例は、限定するものではないが、天然芝、人工芝、土、砂、砂利、雪、氷およびその他の面を含んでもよい。
【００２７】
アッパー１０２は、足を受け入れて覆うように構成することができる。いくつかの実施形態では、アッパー１０２は、アッパー１０２の内部に入ることができる開口部１０６を含んでもよい。たとえば、図１に図示されているように、いくつかの実施形態では、開口部１０６は、足首開口部であってもよい。
【００２８】
いくつかの実施形態では、アッパー１０２は、固定またはクロージャ構造、または、締め付けるための、または、別の方法でアッパー１０２のフィット特性（たとえば、周長）を調節するための他の手段を含んでもよい。たとえば、いくつかの実施形態では、アッパー１０２は、締めひも部材１２２等のテンショニング部材と、１つ以上の締めひもまたは他のテンショニング部材（たとえば、ケーブル）１２６を受け入れるためのひも穴１２４とを含んでもよい。このようにして、開口部１０６のサイズ、アッパー１０２の対応する周長は、アッパー１０２および履物製品１００のフィット性をカスタマイズするように調節することができる。
【００２９】
いくつかの実施形態では、クロージャ構造の締めひも部材１２２は、補強縁部構造を備えてもよく、およびＶ字状構造、Ｕ字状構造、または、別の構造を有する開口部を形成してもよい。いくつかの実施形態では、図１に図示されているように、Ｖ字状構造を有するクロージャ構造は、快適性およびフィット性等の向上したパフォーマンス特性を提供してもよい。たとえば、ある場合では、Ｖ字状のクロージャ構造は、矩形またはＵ字状構造を有するクロージャ構造を締め付けることによって生じる可能性のあるアッパーの足先領域におけるバックリングを引き起こすことなく、アッパー１０２および履物製品１００の足先および／または甲回り領域の全域で、よりタイトなクロージャを可能にすることができる。
【００３０】
他の実施形態では、クロージャシステムは、アッパー１０２の足先領域に隣接する終端部に、補強縁部構造を備えていてもよい。当業者は、アッパー１０２および履物製品１００の所望のフィット性およびパフォーマンス特性に適したクロージャシステムの形状および構造を容易に選択することができるであろう。
【００３１】
いくつかの実施形態では、アッパー１０２は、（図１の仮想線で図示されている）ベロ１３０を含んでいてもよい。ベロ１３０は、快適性およびフィット性を促進するように、固定またはクロージャ構造と足との間に設けることができる。たとえば、ベロ１３０は、締めひも部材１２２と足との間に、ひも穴１２４と足との間に、または、締めひも１２６と、アッパー１０２の内部に受け入れられた足との間に設けてもよい。いくつかの実施形態では、ベロは任意であってもよいことは正しく認識されるであろう。
【００３２】
いくつかの実施形態では、アッパー１０２は、足先領域１４２、中足領域１４４およびかかと領域１４６を通って、および外側側部１４８および内側側部１５０の両方に沿って延びていてもよいシームレスブーティの形態の一体ニット構成要素１４０によって実質的に形成してもよい。これは、たとえば、縫製または接着によって接合される多数の材料要素（たとえば、布地、ポリマー発泡体、ポリマーシート、革、合成皮革）から形成されている公知の多くの履物アッパーとは対照的である。
【００３３】
また、いくつかの実施形態では、ニット構成要素１４０は、ベロ１３０を含んでいてもよい。ニット構成要素１４０は、アッパー１０２の露出した外側面および反対側の内側面の両方の部分を形成してもよい。したがって、ニット構成要素１４０は、アッパー１０２内の空洞の少なくとも一部を画定することができる。また、ニット構成要素１４０は、足の下にも延びている。いくつかの実施形態では、履物製品１００は、ソール構造を含んでいてもよく、また、ニット構成要素１４０の一部は、足の下に延びていてもよい。この構造では、ニット構成要素は、中敷きと置き換えてもよく、または、中敷きとして機能してもよい。
【００３４】
以下でさらに詳細に説明するように、アッパー１０２のかなりの部分を形成しているニット構成要素１４０は、一般に、たとえば、ニット布地要素からのニット材料を備えている。したがって、他のいくつかの公知のアッパー材料と比較して、かなり柔軟性があり、かつ軽量である可能性がある。本願明細書に記載されているいくつかの実施形態は、全体的にニット材料で構成されたアッパーについて説明していてもよいが、アッパーの他の実施形態は、部分的にニット材料（または、布地材料）で構成されているだけでもよい。
【００３５】
いくつかの実施形態では、アッパー１０２は、以後、全体的に穴と呼ぶ、１つ以上の穴、開口、孔、開口部、ギャップ、スロットまたは他のそのような構造を含んでもよい。アッパー１０２は、本願明細書において総称的に複数の穴１５２と呼ぶ、さまざまな構成でさまざまな位置に配置されたさまざまな穴の群を含んでもよい。しかし、いくつかの実施形態では、このような穴は任意であってもよい。
【００３６】
いくつかの実施形態では、いくつかの穴が、アッパー１０２の厚さ全体を貫通して延びていてもよく、他の穴は、アッパー１０２の厚さを部分的に貫通して延びているだけでもよい。複数の穴１５２の穴の具体的な数、サイズ、形状、配列および構成は、実施形態によって変えてもよい。複数の穴１５２の具体的な構成は、アッパー１０２の所望のパフォーマンス特性、たとえば、アッパー１０２の全体的または局所的な通気性、および／またはアッパー１０２の全般的または局所的な伸縮性または柔軟性を実現するように選択される。たとえば、より多くの数および／またはより大きなサイズの穴は、布地のより大きな局所的または全体的な柔軟性および伸縮性をもたらす可能性がある。あるいは、たとえば、一列に並んだ、互い違いの、および／またはオフセットのパターン等の異なるパターンの穴は、異なる局所的および／または全体的な柔軟性、伸縮性および／または通気性をもたらす可能性がある。また、複数の穴１５２の具体的な構成は、美観的な魅力をもたらすように選択してもよい。
【００３７】
アッパー１０２および／または履物製品１００は、参照のために、足先部１６０と、中足部１６２と、かかと部１６４とに大まかに分けてもよい。足先部１６０は、一般に、つま先と、中足骨と指骨とを接続する関節と、のための先芯に関連していてもよい。中足部１６２は、一般に、足の甲回りおよび／またはアーチに関連していてもよい。かかと部１６４は、一般に、踵骨を含む足のかかとに関連していてもよい。また、アッパー１０２は、外側側部部分１６６および内側側部部分１６８を含んでいてもよい。外側側部部分１６６および内側側部部分１６８は、アッパー１０２の対向している側部であってもよい。外側側部１６６および内側側部１６８の一方または両方は、足先部１６０、中足部１６２およびかかと部１６４を通って延びていてもよい。いくつかの実施形態はさらに、前方つま先部１５４と、バンプまたは甲回り部１５６とを含んでいてもよい。
【００３８】
足先部または足先領域、中足部または中足領域、かかと部またはかかと領域、つま先部またはつま先領域、および甲回り部または甲回り領域という用語は、この説明で用いる場合、説明目的を意図しているにすぎず、アッパー１０２の正確な部分または境界を画定することは意図されていない。同様に、外側側部（または、外側部）および内側側部（または、内側部）という用語は、製品の２つの側部を大まかに表すことが意図されており、アッパー１０２を２つの半体に厳密に区分するものではない。
【００３９】
上述したように、アッパー１０２は、少なくとも部分的にニット構成要素１４０から形成される。ニット構成要素１４０は、分離（たとえば、切開）されるように、および足の周りに延びるように形成されるかまたは形作られるように構成されている、大略的に平らな２次元の層状構造を含むニット布地要素から取り外すことができる。
【００４０】
図１に図示されているように、いくつかの実施形態では、ニット構成要素１４０は、足から離れて対向しているアッパー１０２の露出した外部または外側側面（または外側面）と、足に向かって内側に対向しているアッパー１０２の内部または外側側面（または、内側面）との両方を形成している。
【００４１】
以下でさらに詳細に説明するように、ニット構成要素１４０は、より大きなニット布地要素の一部としての一体ワープニット構造で形成してもよい。この場合、ニット構成要素１４０は、より大きなニット布地要素から取り外すことができ、およびニット構成要素１４０のさまざまな形状構成は、所望の形状のアッパー１０２を形成するように操作および／または処理してもよい。
【００４２】
いくつかの実施形態では、単一のニット布地要素は、別々の構成要素を形成するように取り外すことができる多数のニット構成要素を含んでもよい。たとえば、単一のニット布地要素の第１および第２のニット構成要素は、履物製品用の左および右のシームレスブーティまたは布地アッパーのマッチングペアに対応してもよい。あるいは、単一のニット布地要素の第１および第２のニット構成要素は、履物製品用のシームレスブーティまたは布地アッパーと、関連するベロまたは他のアクセサリとに対応してもよい。ニット布地要素が、さらに多くの数および／または種類のニット構成要素を含んでいてもよいことは正しく認識されるであろう。
【００４３】
ニット構成要素１４０は、さまざまな機能またはパフォーマンス特性をアッパー１０２に与える可能性がある。ニット構成要素１４０は、いくつかの公知のアッパー構造に勝るさまざまな利点を備えている可能性がある。上述したように、公知の履物アッパーは、たとえば、縫製または接着によって１つ以上の縫い目で接合されている多数の材料要素（たとえば、布地、ポリマー発泡体、ポリマーシート、革、合成皮革）から形成されている可能性がある。アッパーに組み込まれている材料要素の数および種類が増せば増すほど、材料要素の輸送、保管、裁断および接合に付随する時間および費用も増加する可能性がある。アッパーに組み込まれる材料要素の数および種類が増えるにつれて、裁断プロセスおよび縫製プロセスからの廃棄材もより多く蓄積する可能性がある。より多くの数の材料要素を有するアッパーは、より少ない種類および数の材料要素から形成されたアッパーよりもリサイクルするのが難しい可能性がある。そのため、アッパーを作製する際に利用する材料要素の数を減らせば、アッパーの製造効率およびリサイクル性を高めながら、廃棄物を減らせる可能性がある。このために、いくつかの実施形態では、ニット構成要素１４０がアッパー１０２のかなりの部分を形成して、それによって、製造効率を向上させ、廃棄物を減らし、およびリサイクル性を簡単にすることができる。
【００４４】
アッパー１０２の実施形態は、１つ以上の補強部分を利用している。補強部分という用語は、本明細書で用いる場合、ニット構成要素１４０の１つ以上の層内に何らかの追加的な材料を組み込んでいるアッパーの任意の部分を指す。
【００４５】
補強部分は、インサート部材等の補強材料が充填されているニット構成要素１４０の分離層を備えてもよい。インサート部材は、アッパーの所望のパフォーマンス特性に基づいて、たとえば、剛性のために革またはプラスチックを、または、クッション性のために気泡ゴムを選択してもよい。インサート部材は、局所的または全般的なパフォーマンス特性を、アッパーまたはアッパーの特定の領域に与えるために、その領域に設けてもよい。補強部分は、利用するインサート材料により、アッパーのための向上した強度および／または補強性を、および／または向上したクッション性および快適性を与える可能性がある。たとえば、いくつかの実施形態では、ベロ１３０は、ニット構成要素の２つの層間に挿入された発泡材料であるインサート部材（または、補強部分）を有する２層ニット構成要素を含んでいてもよい。いくつかの実施形態では、つま先またはかかと領域は、ニット構成要素の層間、または、ニット構成要素の層とストラップまたは他のニット構造との間に挿入された硬い材料であるつま先またはヒールキャップの形態のインサート部材（または、補強部分）を含んでもよい。
【００４６】
ニット構成要素１４０は、経編み機および経編みプロセスを用いる一体ワープニット構造で形成してもよい。いくつかの実施形態では、フラット経編み機を、一体ワープニット構造のニット構成要素を形成するのに用いてもよい。いくつかの実施形態では、針の２つのセットを有する経編み機を用いて、一体ニット構造から成る筒状布地として形成してもよい。
【００４７】
ニット構成要素は、本願明細書およびクレームで用いる場合、編みプロセスによってワンピース要素として形成される場合に、「一体ニット構造」で形成されるものとして定義される。すなわち、その編みプロセスは、大幅な追加的製造ステップまたはプロセスを要することなく、ニット構成要素のさまざまな形状構成および構造を実質的に形成する。一体ニット構造は、ヤーンの１つ以上のコースまたはウェールを、または、その構造または要素が、少なくとも１つのコースまたはウェールを共通して含む（すなわち、共通ヤーンを共有している）ようにおよび／またはその構造または要素の各々の間で実質的に連続しているコースまたはウェールを含むように接合されている他のニット材料を含む構造または要素を有するニット構成要素を形成するのに用いてもよい。
【００４８】
この構成によって、一体ニット構造のワンピース要素が提供される。経編みプロセスがニット構成要素を形成するのに用いられる実施形態において、ニット構成要素は、一体ワープニット構造で形成してもよく、およびヤーンの１つ以上のウェールを、または、その構造または要素が、少なくとも１つのウェールを共通して含む（すなわち、共通ヤーンを共有している）ようにおよび／またはその構造または要素の各々の間で実質的に連続しているウェールを含むように接合されている他のニット材料を含む構造または要素を有している。
【００４９】
ヤーンという言葉は、この明細書で用いる場合、一般に、少なくとも１本のフィラメントまたは複数のファイバーで形成されている、かなりの長さと比較的小さな断面とを有するアセンブリとして定義される。フィラメントは、無限長を有していてもよく、および布地に用いるのに適したヤーンを製造するために、単独で、または、１つ以上の他のフィラメントと組合せて用いてもよい。現在のフィラメントは、レーヨン、ナイロン、ポリエステルおよびポリアクリル等の複数の合成材料を含み、絹は、天然由来の主な例外である。ファイバーは、比較的短い長さを有し、および布地に用いるのに適切な長さのヤーンを製造するために、紡糸プロセスまたは撚糸プロセスを要する可能性がある。ファイバーの例は、綿およびウールを含む。
【００５０】
ヤーンは、従来、単繊維ヤーンと呼ばれている単一フィラメントで、または、まとめ合わされた複数の個々のフィラメントで形成される。ヤーンは、異なる材料で形成された別々のフィラメントを含んでもよい。ヤーンは、それぞれ、２つ以上の異なる材料で形成されているフィラメントを含んでもよい。同様の概念は、複数のファイバーで形成されたヤーンにも当てはまる。したがって、ヤーンは、上で規定された定義に全般的に適合するさまざまな構成を有している。当業者は、ヤーンの特性およびニット構成要素１４０の所望のパフォーマンス特性に基づいて、所望の用途に適した１つ以上の公知のまたは後に開発されたヤーンを選択することができるであろう。
【００５１】
ニット構成要素１４０は、アッパー１０２および／またはベロ１３０の個別の区域に異なる特性を与えるさまざまな種類のヤーンを組み込んでもよい。すなわち、ニット構成要素１４０の１つの部分は、特性の第１のセットを与える第１のタイプのヤーンから形成してもよく、また、ニット構成要素１４０の別の部分は、特性の第２のセットを与える第２のタイプのヤーンから形成してもよい。この構成では、ニット構成要素１４０の異なる部分に対して特定のヤーンを選択することにより、アッパー１０２および／またはベロ１３０の全域で特性が変化してもよい。
【００５２】
特定のタイプのヤーンがニット構成要素１４０のある部分に与えるであろう特性は、ヤーン内でさまざまなフィラメントおよびファイバーを形成している材料に部分的に依存する。たとえば、綿は、ソフトな手触り、自然な美しさおよび生分解性を備えている。エラステインおよび伸縮性ポリエステルは、それぞれ、かなりの伸縮性および復元性を備えており、伸縮性ポリエステルはさらにリサイクル性も備えている。レーヨンは、高い光沢性および吸湿性を備えている。ウールも、断熱性および生分解性に加えて、高い吸湿性を備えている。ナイロンは、比較的高い強度を有する耐久性がある耐摩耗性の材料である。ポリエステルは、比較的高い耐久性も備えている疎水性材料である。
【００５３】
材料に加えて、ニット構成要素１４０のために選択されるヤーンの他の態様が、アッパー１０２および／またはベロ１３０の特性に影響を与える可能性がある。たとえば、ニット構成要素１４０を形成しているヤーンは、単繊維ヤーンまたは多繊維ヤーンであってもよい。ヤーンは、それぞれ異なる材料で形成されている別々のフィラメントを含んでいてもよい。ヤーンは、それぞれ、鞘芯構成を有するフィラメント、または、異なる材料で形成された２つの半体を備えた複合ヤーン等の２つ以上の異なる材料で形成されているフィラメントを含んでいてもよい。異なる程度の撚りおよび捲縮ならびにデニールも、アッパー１０２および／またはベロ１３０の特性に影響を与える可能性がある。したがって、ヤーンを形成する材料およびヤーンの他の態様はともに、アッパー１０２および／またはベロ１３０の別々の区域にさまざまな特性を与えるように選択してもよい。
【００５４】
一般に、布地は、たとえば、編み合わせ、絡み合わせおよび撚り合わせ、またはインターループのいずれかのプロセスによって機械的に操作される１本以上のヤーンから形成してもよい。編み合わせは、互いに直角に交差して編み合わされる２本のヤーンの交わりである。編み合わせに用いられるヤーンは、従来、経糸および緯糸と呼ばれている。絡み合わせおよび撚り合わせは、ヤーンが互いに絡み合わされて布地を形成する組紐および結節等の手順を包含している。インターループは、互いに噛み合ったループから成る複数の列の形成を伴い、編みはインターループの一般的な方法である。そのため、布地要素は、布地を製造するためのこれらのプロセスのうちの一つから形成してもよい。いくつかの実施形態では、ニット布地要素は、編みプロセスを用いて形成してもよい。
【００５５】
編みによって布地を製造するために、さまざまな機械的プロセスが開発されている。一般に、機械的プロセスは、経編みまたは緯編みのいずれかに分類することができる。この説明で用いる場合、経編みは、ヤーンが布地の長さに沿ってジグザグに進む、すなわち、単一の行またはコースに沿ってではなく、編みの隣接する列またはウェールに追従する編み方法の種類を指す。比較のために、緯編みは、この説明で用いる場合、布地の幅にわたって編むことを指す。布地を製造するのに用いてもよい経編みのさまざまな具体的なサブタイプは、トリコット、ラッシェルおよびダブルニードルバーラッシェル（これはさらにジャガードダブルニードルバーラッシェルを含む）を含む。
【００５６】
いくつかの実施形態では、ニット布地要素は、経編みプロセスを用いて製造してもよい。したがって、いくつかの実施形態では、ワープニット構造から成るニット布地要素に含まれているニット構成要素１４０は、ワープニット材料を備えてもよい（たとえば、ニット構成要素１４０は、ワープニット構成要素であってもよい）。ワープニット布地要素を用いることにより、ニット構成要素１４０が、ニット布地要素から取り外されるか、または別の方法で分離、たとえば、裁断される結果として、ニット構成要素１４０の外周部または露出した縁部が解れる傾向を低減するのに役に立つ可能性がある。例示的な実施形態では、ニット布地要素は、経編みプロセスによる一体ニット構造で形成してもよく、同じニット布地要素上に一緒に形成された１つ以上のアッパーおよび／またはベロを含む１つ以上のニット構成要素を含んでいてもよい。
【００５７】
いくつかの実施形態では、ニット布地要素は、一方の側面および別の側面を形成するために、異なるヤーンを用いて製造してもよい。たとえば、いくつかの実施形態では、ニット布地要素は、露出した外側面および内側面を形成するために、異なるヤーンを用いて製造してもよい。露出した外側面および内側面に異なるヤーンを用いることにより、ニット布地要素は、露出した外側面および内側面に異なる編み構成を有するように製造することができる。たとえば、ある場合では、露出した外側面のヤーンの具体的な構成は、内側面のヤーンの構成と異なっていてもよい。これらの相違は、限定するものではないが、編みパターンの違い、編み構成（knitted structures）の違い、使用するヤーンの種類の違い、使用するヤーンの色の違い、および／または使用するヤーンの材料特性の違い（たとえば、軟らかい内部または内側面および耐久性のある露出した外側面を提供するように選択された異なる材料）のうちの１つ以上を含むことができる。
【００５８】
いくつかの実施形態では、外側面用の編み構成は、より高い耐久性、強度および／または耐摩耗性または耐擦過性を、ニット構成要素１４０の露出した外側面に与えるように形成してもよい。たとえば、より高い耐久性、強度および／または耐摩耗性または耐擦過性を備えるために、より重いデニールを有するか、または、より高い強度またはより耐久性のある材料で形成されているヤーンを、露出した外側面の編み構成に用いてもよい。
【００５９】
同様に、いくつかの実施形態では、アッパー１０２の内部ライニングとして機能するように、より高い快適性または柔軟性を与えるために、内側面用の編み構成を形成してもよい。たとえば、より高い快適性または柔軟性を備えるために、より軽いデニールを有するか、または、手触りが軟らかい材料で形成されているヤーンを、内部または内側面の編み構成に用いてもよい。ニット構成要素の露出した外側面および内側面の各々に対する編み構成の所望の選択によって、所望の特性をアッパーに選択的に与えることができる。
【００６０】
図２〜図６は、取外し前の（pre-removal）状態または状況におけるニット構成要素を含むニット布地要素の実施形態の模式図を示す。
【００６１】
図２は、取外し前のニット構成要素２３０および２４０を含むニット布地要素２００の実施形態の模式平面図であり、図には、そのニット布地要素のワープニットステッチ２１３および中間層ワープニットステッチライン２１４の形状構成が、それぞれ拡大詳細図２１３および図２１５に模式的に図示されている。
【００６２】
図３〜図６は、内側等角図から外側等角図までの回転シーケンスでニット布地要素２００を模式的に示す。図３は内側等角図であり、図４は内側等角縁部図であり、図５は外側等角縁部図であり、図６は外側等角図である。図３〜図６が、ニット布地要素のいくつかの形状構成を説明することを意図した模式図であることは正しく認識されるであろう。
【００６３】
図２〜図６は、２層ニット布地要素の共通縁部（図４および図５）に沿った形状構成等のいくつかの形状構成、およびいくつかの実施形態において用いてもよいいくつかのプロセスに関する例示および説明を容易にするために、ニット布地要素２００を連続ニット層（たとえば、筒状ニット布地要素）として図示している。しかし、いくつかの実施形態では、ニット布地要素２００は、大略的筒状構成を有していなくてもよい。
【００６４】
ニット布地要素２００は、経編み機および経編みプロセスからなる編み製品であってもよい。ニット布地要素２００は、第１の層２０２と、第１の層２０２に重なっている第２の層２０４とを含む大略的に平らな２次元構造であってもよい。いくつかの実施形態では、ニット布地要素２００は、２つの針のセットを有する経編み機を用いて、筒状布地として形成してもよい。いくつかの実施形態では、ニット布地要素２００は、矢印２０１の送給方向に進む単一の編みプロセスで経編みを行ってもよい。いくつかの実施形態では、ニット布地要素２００は、一体ワープニット構成から成っている。
【００６５】
図２〜図６の筒状構成において、第１の層２０２および第２の層２０４は、最初は、経編みプロセスの結果として露出されている共通の連続的な第１の面２０６と、最初は、経編みプロセスの結果として露出されていない共通の第２の面２０８とを有している。具体的には、第１の層２０２の露出した第１の面２０６、および第２の層２０４の露出した第１の面２０６は、筒状ニット布地要素２００の共通縁部２１０の外側面の周りで連続している。同様に、第１の面２０２の最初は露出していない第２の面２０８、および第２の層２０４の最初は露出していない第２の面２０８は、共通縁部２１０の内側または内部側面の周りで連続している。
【００６６】
図２〜図６に図示されているように、いくつかの実施形態では、最初は露出されている第１の面２０６、および最初は露出していない面２０８も、共通縁部２１０の反対側の第２の共通縁部２１２の周りで連続していてもよい。いくつかの実施形態では、最初は露出されている第１の面２０６、および最初は露出されていない面２０８は、第２の縁部２１２において不連続であってもよい。共通縁部という用語が、この説明で用いる場合、たとえば、裏返されるか、またはそれ自体の上に折り返されることによって、ラインまたは折り目に沿って両側部の間で移行し、共通縁部を形成するように、両側部の間の共通の境界または外周として機能し、および両側部の間の不連続な面または輪郭を意味しない、大略的に連続する層を指すことは正しく認識されるであろう。
【００６７】
ニット布地要素２００は、第１の層２０２と第２の層２０４との間に中間層ニットステッチラインを含んでいる。たとえば、図２に図示されているように、いくつかの実施形態では、ニット布地要素２００は、ニット構成要素２４０の周辺に設けられた中間層ニットステッチライン２１４と、ニット構成要素２３０の周辺に設けられた中間層ニットステッチライン２３２とを含んでもよい。
【００６８】
図２は、ニット構成要素２４０の足先部における第１のニット層２０２と第２のニット層２０４との間に、中間層ニットステッチライン２１４の拡大模式図２１５を含んでいる。符号２１５で図示されているように、中間層ニットステッチライン２１４は、第１のニット層２０２と第２のニット層２０４との間に、中間層ニットステッチを含み、第１のニット層２０２の少なくとも１本のヤーンは、第１のニット層２０２と第２のニット層２０４との境界において、第２のニット層２０４の少なくとも１本のヤーンと互いに結ばれている。いくつかの実施形態では、第１のニット層２０２の複数のヤーンおよび／または第２のニット層２０４の複数のヤーンは、中間層ニットステッチライン２１４において、互いに結ばれていてもよい。
【００６９】
ニット布地要素２００は、ニット構成要素２３０および２４０をそれから取り外すことができる布地材料である。ニット構成要素２３０および２４０は、いずれかの公知のまたは後に開発された取外し方法によって取り外すことができる。たとえば、ニット構成要素２３０および２４０は、裁断、スタンピング、または、より大きなニット布地要素２００またはニット布地要素２００の余分な材料からニット構成要素を分離するための他のいずれかの方法によって、取り外すか、または分離してもよい。いくつかの実施形態では、ニット構成要素２３０および２４０は、裁断プロセスまたは他の分離プロセスを用いて、中間層ニットステッチライン２１４に沿って、布地要素２００からニット構成要素２３０および２４０を分離することによって取り外してもよい。
【００７０】
第１のニット層２０２および第２のニット層２０４は、経編みプロセスを用いて、中間層ニットステッチライン２１４および中間層ニットステッチライン２３２に沿って相互に接続されているため、中間層ニットステッチライン２１４および２３２に沿ってニット布地要素２００を分離しても、分離されたまたは裁断された縁部に沿ったニット構成要素２３０および２４０の解れが生じることはない。
【００７１】
図３〜図６は、任意の編み込み指示部を用いて、ニット布地要素２００からニット構成要素２３０および２４０を取り外すか、または分離するためのプロセスを示す。いくつかの実施形態では、ニット構成要素２３０および２４０は、１つ以上の任意の編み込み指示部を用いて、ニット布地要素２００から取り外すか、または分離してもよい。
【００７２】
図３は、ベロに対応してニット構成要素２３０の外周または輪郭の周りに形成された編み込み指示部３１０を示す。図３は、シームレスブーティまたは布地アッパーに対応するニット構成要素２４０、たとえば、図１に示すアッパー１０２のニット構成要素１４０の外周または輪郭の周りに形成された編み込み指示部３１２を示す。
【００７３】
ニット構成要素２３０は、編み込み指示部３１０に沿ってニット布地要素２００を分離することによって、ニット布地要素２００から取り外すか、または分離される。ニット構成要素２４０は、編み込み指示部３１２に沿ってニット布地要素２００を分離することによって、ニット布地要素２００から取り外すか、または分離される。
【００７４】
第１のニット層２０２および第２のニット層２０４は、経編みプロセスを用いて、中間層ニットステッチライン２１４および中間層ニットステッチライン２３２に沿って相互に接続されているため、編み込み指示部３１０および３１２に沿ってニット布地要素２００を分離しても、分離されたまたは裁断された縁部に沿ったニット構成要素２３０および２４０の解れが生じることはないことは正しく認識されるであろう。さらに、ニット構成要素２３０および２４０の外周に沿って編み込み指示部３１０および３１２を設けることにより、中間層ニットステッチライン２１４および３２３と、編み込み指示部３１０および３１２に沿った各分離された、または裁断された縁部との間に、制御された間隔を設けることができる。この制御された間隔がさらに、ニット構成要素２３０および２４０の周縁部に沿ったそれらの何らかの解れを防ぐのに役に立つ可能性があることは正しく認識されるであろう。
【００７５】
図３〜図６は、ナイフ等の切断工具３１４を用いて、ニット布地要素からニット構成要素を取り外すか、または分離するためのプロセスを示す。
【００７６】
図３は、編み込み指示部３１２に沿って、ニット布地要素２００の第１のニット層２０２を裁断して、分離または裁断ライン３１６を形成することによって、ニット布地要素２００からニット構成要素２４０を分離するプロセスを示す。同様に、図６は、編み込み指示部３１２に沿ってニット布地要素２００の第２のニット層２０４を裁断して、分離または裁断ライン６１６を形成することによって、布地要素２００からニット構成要素２４０を分離するプロセスを示す。第１のニット層２０２および第２のニット層２０４は、中間層ニットステッチライン２１４に沿って相互に接続されているため、いくつかの実施形態では、第１のニット層２０２および第２のニット層２０４は、単一の同時の分離または裁断プロセスで分離または裁断することができることは正しく認識されるであろう。
【００７７】
図４および図５は、ニット構成要素２４０の部分を分離して、ニット構成要素２４０における開口部を形成するためのプロセスを示す。
【００７８】
図４は、共通縁部２１０に沿って設けられた（二重点線として図示されている）編み込み指示部４１０を示し、図５は、裁断プロセスを用いて、編み込み指示部４１０に沿ってニット構成要素２４０を分離して、ニット構成要素２４０の足首開口部に対応する、分離または裁断ライン５１０を形成するプロセスを示す。同様に、図５は、（二重点線として図示されている）編み込み指示部５１２を示し、図４は、裁断プロセスを用いて、編み込み指示部５１２に沿ってニット構成要素２４０を分離して、クロージャシステムの開口部に対応する分離または裁断ライン４１２を形成するプロセスを示す。
【００７９】
いくつかの実施形態では、図４および図５に図示されているように、編み込み指示部４１０および／または編み込み指示部４１２は、実質的に直線に沿って形成される。いくつかの実施形態では、編み込み指示部４１０および／または編み込み指示部４１２は、直線に沿って形成しなくてもよいが、規則的または不規則な幾何学的構成を有していてもよい。たとえば、いくつかの実施形態では、編み込み指示部４１０は、輪郭形成足首開口部を形成するように構成された輪郭形成曲線であってもよい。いくつかの実施形態では、編み込み指示部４１２は、一連の締めひも部材の輪郭を描いている波打った構造を有するラインであってもよい。いくつかの実施形態では、編み込み指示部４１０および編み込み指示部４１２は連続していてもよく、またいくつかの実施形態では、ニット構成要素２４０は、単一の連続的裁断プロセスまたは他の分離プロセスで、編み込み指示部４１０および４１２に沿って分離してもよい。いくつかの実施形態では、編み込み指示部４１２は、任意であってもよい（すなわち、クロージャ構造がなくてもよい）。当業者は、所望の足首開口部を形成するのに適した編み込み指示部のためのさまざまな構成および所望のアッパー構成用の任意のクロージャ構造を容易に正しく認識するであろう。
【００８０】
図２〜図６の構成では、ニット布地要素２００（およびそれに応じてニット構成要素２３０および２４０）は、一緒に編まれる１本以上のヤーンを備える、大略的に平らな２層の２次元構造を有している。いくつかの実施形態では、ニット布地要素２００は、大略的に筒状の構造を有していてもよい。いくつかの実施形態では、ニット布地要素２００は、ニット布地要素２００の第２の共通縁部２１２に沿って、開構造または不連続構造を有していてもよい。いくつかの実施形態では、たとえば、以下で図２３および図２４に開示されているように、第１の層２０２および第２の層２０４は、ニット構成要素の周辺または輪郭の外側の区域または領域の少なくとも一部にわたって、大略的に連続する中間層ニット縫製を有してもよい。
【００８１】
ニット構成要素２４０は、図１に示すように、シームレスブーティまたは布地アッパー１０２の部分または領域に対応するさまざまな部分を含んでいる。たとえば、ニット構成要素２４０は、図１におけるアッパー１０２のニット構成要素１４０のそれぞれ足先部１４２、中足部１４４およびかかと部１４６に対応している可能性のある足先部２４２と、中足部２４４と、かかと部２４６とを含んでいてもよい。同様に、たとえば、外側側部部分２４８は、アッパー１０２のニット構成要素１４０の外側側部１４８に対応していてもよく、また、内側側部部分２５０は、アッパー１０２のニット構成要素１４０の内側側部１５０に対応していてもよい。
【００８２】
図７は、ベロに対応する、取外し後の図２のニット構成要素２３０の模式平面図である。ニット構成要素２３０は、一体ワープニット構造から成る。いくつかの実施形態では、ニット構成要素２３０は、第１のニット層２０２と、第２のニット層２０４と、ニット構成要素２３０の外周または輪郭を画定している中間層ニットステッチライン２３２とを含んでもよい。
【００８３】
ニット構成要素２３０は、中間層ニットステッチライン２３２によって、その外周において画定された一体ワープニット構造から成るため、ニット構成要素２３０は、ニット布地要素２００から分離されて取り外されたときに、その外周縁部において解れることがない安定したニット構造を有していてもよい。ニット構成要素２３０は、ニット構成要素２３０における開口部２３６を形成するための分離ラインを示す編み込み指示部２３４を含んでいてもよい。このようにして、空洞またはポケットが、ニット構成要素２３０の内部に形成されてもよい。
【００８４】
いくつかの実施形態では、ニット構成要素２３０は、必要に応じて、開口部２３６を介して裏返しにしてもよい。この場合、ニット構成要素２３０の最初は露出されている外側面２０６は、ニット構成要素２３０の最初は露出されていない内側面２０８と入れ替えてもよい。いくつかの実施形態では、最初は露出されている面２０６は、最初は露出されていない面２０８とは異なる仕上げおよび／または美的特性を有していてもよい。いずれの場合でも、ベロのクッション特性を変更するために、たとえば、発泡材料で作られた任意のインサート部材（図示せず）を、開口部２３６を介して、ニット構成要素２３０の第１のニット層２０２と第２のニット層２０４との間に形成された内部空洞またはポケットに挿入してもよい。
【００８５】
ニット構成要素２３０は、複数の穴２３８を備えていてもよい。いくつかの実施形態では、複数の穴２３８は、第１のニット層２０２および第２のニット層２０４内に設けてもよい。いくつかの実施形態では、複数の穴２３８は、第１のニット層２０２または第２のニット層２０４のいずれかに必要に応じて設けてもよい。複数の穴２３８は、編みプロセスによって、または、たとえば、複数の穴２３８に対応する編み込み指示部において、ニット構成要素２３０を分離することによって形成してもよい。複数の穴２３８が、向上した全般的および／または局所的な通気特性を備えていてもよいことは正しく認識されるであろう。また、複数の穴２３８は、所望の美的特性を備えていてもよい。
【００８６】
図８は、履物製品のシームレスブーティまたは布地アッパーに対応する、取外し後の図２のニット構成要素２４０の模式平面図である。たとえば、いくつかの実施形態では、ニット構成要素２４０は、図１におけるアッパー１０２のニット構成要素１４０に対応している。ニット構成要素２４０は、一体ワープニット構造から成る。ニット構成要素２４０は、一般に、ニット構成要素２４０の内側側部を形成する第１のニット層２０２と、ニット構成要素２４０の外側側部を形成する第２のニット層２０４とを含んでいる。ニット構成要素２４０の第１のニット層２０２および第２のニット層２０４は、共通縁部部分２１０を含む足先部２４２の全域で連続している。ニット構成要素２４０は、ニット構成要素２４０の外周部分に沿って第１のニット層２０２と第２のニット層２０４とを相互に接続する中間層ニットステッチライン２１４を含んでいる。いくつかの実施形態では、図２および図８に図示されているように、中間層ニットステッチライン２１４は、ニット構成要素２４０の前方つま先部２５４の周りに、ニット構成要素２４０の底部２５６の全域に、およびニット構成要素２４０のかかと部２４６の周りに延びていてもよい。
【００８７】
ニット構成要素２４０は、編み込み指示部４１０および分離ライン５１０に対応する縁部２１６によって画定されている足首開口部８１０と、編み込み指示部４１２および分離ライン５１２に対応する縁部２１８によって画定されているクロージャ構造２２１とを有していてもよい。いくつかの実施形態では、クロージャ構造２２１は、締めひも部材２２２と、ひも穴２２４とを含んでいてもよい。締めひも部材２２２は、強くて耐久性のある布地特性を備えるように選択された編み構成またはヤーンによって作られたニット構成要素２４０の補強構造を有していてもよい。たとえば、締めひも部材２２２およびひも穴２２４を含む、クロージャ構造２２１の具体的な構造は、ニット構成要素２４０の編み構成を選択することによって備えてもよい。たとえば、いくつかの実施形態では、ひも穴２２４は、所望のサイズおよび形状を有する編み込み穴を含む、ニット構成要素２４０の編み構成を選択することによって形成してもよい。あるいは、いくつかの実施形態では、ひも穴２２４のための編み構成は、ニット構成要素２４０を分離してひも穴２２４を形成するための位置を示す編み込み指示部を含んでもよい。
【００８８】
いくつかの実施形態では、ニット布地要素２００から取り外すか、または分離する際のニット構成要素２４０は、その最終的な形態において、シームレスブーティまたは布地アッパーを形成するように、直接的に操作するか、または伸張させてもよい。しかし、いくつかの実施形態では、ニット構成要素２４０は、最終的なシームレスブーティまたは布地アッパーを形成するように操作されるか、または伸張される前に、シームレスブーティまたは布地アッパーのための代替的な仕上げ面を呈するように、反転させるか、または裏返しにしてもよい。
【００８９】
図９〜図１３は、（取外し後にニット構成要素２４０を裏返しにするための）図８のニット構成要素２４０のための任意の反転プロセスを模式的に示す。ニット構成要素２４０は、中間層ニットステッチライン２１４に沿って分離（たとえば、裁断）することによって、部分的に画定されている露出された周縁部を含む一体ワープニット構造で形成されているため、ニット構成要素２４０は、大略的に、分離された周縁部で解れることのない安定したニット構造を備えている。それにもかかわらず、いくつかの実施形態では、ニット構成要素２４０は、ニット構成要素２４０の外側外周面として、中間層ニットステッチライン２１４のクリーンな（すなわち、分離されていない、または裁断されていない）部分を呈するように、第１および第２のニット層２０２および２０４の最初は露出されている外側面２０６と、最初は露出されていない内側面２０８とを入れ替えるために反転させてもよい。上述したように、いくつかの実施形態では、最初は露出されている外側面２０６および最初は露出されていない内側面２０８は、異なる仕上げ特性または他の特性を有していてもよい。ニット構成要素２４０を反転させることにより、最初は露出されていない内側面２０８を、ニット構成要素２４０（および結果として生じる履物製品１００）の最終的な、露出された外側面として提示することが可能になる。
【００９０】
図９は、最初の取外し後の状態におけるニット構成要素２４０を示す。図９〜図１３のこの説明における２つの面を区別するために、最初は露出されている外側面２０６は、実質的な陰影なしで図示され、また、最初は露出されていない内側面２０８は、実質的な陰影で図示されている。いくつかの実施形態では、最初は露出されている外側面２０６および最初は露出されていない内側面２０８は、同じか、または同様の特性を有していてもよい。いくつかの実施形態では、最初は露出されている外側面２０６および最初は露出されていない内側面２０８は、実質的に異なる特性を有していてもよい。
【００９１】
図１０は、前方つま先部２５４が反転された状態のニット構成要素２４０を示し、すなわち、前方つま先部２５４は、矢印１０１０で図示されているように、ニット構成要素２４０の第１のニット層２０２と第２のニット層２０４との間の内部空洞または空間に前方つま先部２５４が押し込まれていることを模式的に示すために、仮想線で図示されている。
【００９２】
図１１は、反転された前方つま先部２５４が、矢印１１１０によって示されているように、足首開口部８１０を通って引っ張られ、およびかかと部２４６が、矢印１１１２によって示されているように、前方つま先部２５４を越えて前方に押されている状態のニット構成要素２４０を示す。
【００９３】
図１２は、矢印１２１０によって示されているように、前方つま先部および足先部２４４および２５４が足首開口部８１０を通って突出しており、および足首開口部８１０を通って引っ張り出され、また、かかと部２４６が、矢印１２１２によって示されているように、前方つま先部２５４および足先部２４４を越えて押し下げられている状態のニット構成要素２４０を示す。
【００９４】
図１３は、完全に反転された、すなわち、その最初の取外しまたは分離状態から裏返されたニット構成要素２４０を示す。
【００９５】
図９〜図１３における複数の陰影によって模式的に図示されているように、ニット構成要素２４０は、最初は露出されている外側面（最終的な内側面）２０６および最初は露出されていない内側面（最終的な露出された外側面）２０８に、実質的に異なる仕上げおよび美的特性を有していてもよい。いくつかの実施形態では、異なる陰影が、粗いか、または目が詰まった編み構成等の異なる編みステッチを呈してもよい。いくつかの実施形態では、異なる陰影は、大きいか、または小さい穴等の異なるサイズまたは形状の穴を呈してもよい。いくつかの実施形態では、異なる陰影は、異なる美的特性を呈してもよい。いくつかの実施形態では、異なる陰影は、異なる編み込み指示部に対応する異なる編みステッチを呈してもよい。いくつかの実施形態では、異なる陰影は、異なるヤーン材料を呈してもよい。いくつかの実施形態では、材料記憶および未処理ヤーンを可能にする薬剤で処理されたヤーン等の異なるヤーンまたは織布処理を呈してもよい。当業者は、このようにして、任意の所望の表面特性を示してもよく、および露出された外側面および内側面のいずれかに与えてもよいことを容易に正しく認識するであろう。
【００９６】
図１４〜図１８は、シームレスブーティまたは布地アッパー１４４０の形態の履物製品１００の実施形態を模式的に示す。いくつかの実施形態では、シームレスブーティまたは布地アッパー１４４０は、図１のニット構成要素１４０または図２および図８のニット構成要素２４０に対応していてもよい。図１４〜図１６は、内側等角図（図１４）から底部等角平面図（図１５）まで、および外側等角図（図１６）までの回転シーケンスでシームレスブーティまたは布地アッパー１４４０を示し、図１７は、布地アッパーの模式的等角底部正面図であり、図１８は、布地アッパーの模式的等角上部正面図である。
【００９７】
いくつかの実施形態では、ニット構成要素２４０は、少なくともサイズおよび形状を含む所望の構成を有するシームレスブーティまたは布地アッパー１４４０を形成するように操作してもよい。いくつかの実施形態では、ニット構成要素２４０の１つ以上の部分は、少なくともサイズおよび形状を含む所望の構成を有するシームレスブーティまたは布地アッパー１４４０を形成するように伸張させてもよい。いくつかの実施形態では、ニット構成要素２４０は、大略的に特定の足または標準的な足のサイズのいずれかに対応する所望のサイズおよび形状を有するシームレスブーティまたは布地アッパー１４４０に対応する靴型に被せて伸張させてもよい。たとえば、靴型は、所望の長さ、幅、周長および／または容積を有してもよい。
【００９８】
ニット構成要素２４０は、１つ以上の部分またはゾーンが、シームレスブーティまたは布地アッパー１４４０のための所望の構成まで伸ばすことを可能にするように選択された編みステッチまたは編み構成を有するその１つ以上の部分またはゾーンを含んでもよい。たとえば、いくつかの実施形態では、ニット構成要素２４０のある部分またはゾーンは、伸縮ゾーンに複数の穴を備えていてもよい。いくつかの実施形態では、ニット構成要素２４０は、伸縮ゾーンを形成するための粗い編みステッチまたは粗い編み構成を有する部分またはゾーンを含んでもよい。いくつかの実施形態では、ニット構成要素２４０の伸縮ゾーンは、ニット構成要素２４０を、所望のサイズおよび形状を有するシームレスブーティまたは布地アッパー１４４０に形成することを容易にするために、ニット構成要素２４０の他の部分よりも、すなわち、相対的にニット構成要素２４０の他の部分よりも伸張するように構成してもよい。いくつかの実施形態では、底部２５６は、伸縮ゾーンであってもよい。
【００９９】
図１４〜図１８において、ニット構成要素２４０は、（暗い陰影で示す）伸縮ゾーン１４０２を備えていてもよい。いくつかの実施形態では、伸縮ゾーン１４０２は、シームレスブーティまたは布地アッパー１４４０の中央底部に対応するゾーン１４０４等のニット構成要素２４０の他のいくつかの部分よりも伸張するとともに、複数の穴１４０６および１４０８に対応する部分またはゾーン等のニット構成要素２４０の他のいくつかの部分またはゾーンよりも伸張しないように構成してもよい。たとえば、ニット構成要素２４０の第１のニット層２０２および第２のニット層２０４の（暗い陰影で示す）対応する部分１５０２および１５０４を、それぞれ、ニット構成要素２４０の中央底部２５６の外周の周りに、大略的に連続する環状伸縮ゾーン１４０２を形成するように設けてもよい。この構成は、ニット構成要素２４０が、たとえば、第１の材料特性を有する、大略的に対照的な中央底部２５６と、第２の材料特性を有する、非対称的な周囲のベースまたは底部（たとえば、伸縮ゾーン１４０２）とを有する非対称的構造を形成するように伸張されることを容易にする可能性がある。
【０１００】
いくつかの実施形態では、中央ベース部２５６および周囲の伸縮ゾーン１４０２は一緒になって、足のサイズおよび形状に、すなわち、足跡、および／またはソールの形状に大略的に一致していてもよい。第２の材料特性は、（たとえば、異なる程度の伸縮性に加えて）第１の材料特性と異なっていてもよい。この構成によって、ニット構成要素２４０は、シームレスブーティまたは布地アッパー１４４０のための少なくとも２つの、異なる、可能性のある所望の最終的な構成のうちの一方を実現するために、異なる方法で伸張してもよいことは正しく認識されるであろう。たとえば、ニット構成要素２４０は、伸縮ゾーン１４０２のさまざまな部分の伸縮性の相対的量を制御することによって、右足用の履物製品またはそれに合った左足用の履物製品のいずれかを形成するように伸張することができるであろう。あるいは、ニット構成要素２４０は、伸縮ゾーン１４０２の伸張の量を制御することによって、狭い仕上げ幅、中位の仕上げ幅、または広い仕上げ幅のいずれかを有する履物製品を形成するように伸張することができるであろう。さらに、中央ベース部２５６および周囲の伸縮ゾーン１４０２を含むこの構造および構成が、右と左とで同様の足構造および／または特定のサイズまたは幅を有するソール構造へのシームレスブーティまたは布地アッパー１４４０の接着を容易にする可能性があることは正しく認識されるであろう。
【０１０１】
いくつかの実施形態では、ニット構成要素２４０は、ニット構成要素２４０を所望のサイズおよび形状まで伸張させたときの材料記憶を容易にするかまたは可能にするための薬剤で処理してもよい。たとえば、いくつかの実施形態では、固有の材料記憶を有する材料で形成された１本以上のヤーンを、ニット構成要素２４０を編むための編みプロセスで用いてもよい。いくつかの実施形態では、ニット構成要素２４０の１本以上のヤーンは、編みプロセス前の材料記憶を可能にするための薬剤で予め処理してもよい。いくつかの実施形態では、ニット構成要素２４０の少なくとも１つの部分に対応するニット布地要素２００の少なくとも１つの部分は、ニット構成要素２４０をニット布地要素２００から取り外す前に、材料記憶を可能にする薬剤で予め処理してもよい。いくつかの実施形態では、ニット構成要素２４０の部分は、ニット構成要素２４０を靴型に被せて伸ばす前に、材料記憶を可能にするための薬剤で処理してもよい。いくつかの実施形態では、シームレスブーティまたは布地アッパー１４４０の少なくとも一部は、靴型上での伸張中または伸張後に、材料記憶を可能にするための薬剤で処理してもよい。材料記憶を可能にするための薬剤の例は、限定するものではないが、熱可塑性ポリウレタン（ＴＰＵ）コーティング、ＴＰＵベースのコーティングおよび／またはＴＰＵを含有する他の溶液を含む。当業者は、所望の用途のためのシームレスブーティまたは布地アッパー１４４０を実現するのに適切な材料記憶を容易にするか、または可能にする処理済みのヤーン、薬剤および処理手順を容易に選択することができるであろう。
【０１０２】
いくつかの実施形態では、ニット構成要素２４０は、ニット構成要素の形成を可能にするように加熱処理してもよい。たとえば、ニット構成要素２４０は、靴型に被せた伸張と関連して加熱処理してもよい。いくつかの実施形態では、ニット構成要素２４０は、靴型に被せて伸張させる前に加熱処理してもよい。いくつかの実施形態では、ニット構成要素２４０は、靴型に被せて伸張させる間に加熱処理してもよい。いくつかの実施形態では、ニット構成要素２４０は、靴型から取り外した後に加熱処理してもよい。いくつかの実施形態では、これらの加熱処理のうちの１つ以上は、まとめて利用してもよい。いずれの場合であっても、ニット構成要素２４０を加熱処理することは、ニット構成要素２４０の１つ以上の部分を、所望のサイズ、形状および構成まで伸張させることによって、そのニット構成要素の形成を容易にする可能性がある。
【０１０３】
いくつかの実施形態では、ニット構成要素２４０は、所望のサイズおよび形状を有し、材料記憶を備えたシームレスブーティまたは布地アッパー１４４０の形成を容易にするために、材料記憶を容易にするか、または可能にするための薬剤で処理し、および加熱処理してもよい。
【０１０４】
図１５および図１７に図示されているように、操作および／または伸張による形成後、シームレスブーティまたは布地アッパー１４４０の内側側部の伸縮ゾーン１５０２の部分の幅１５１０は、シームレスブーティまたは布地アッパー１４４０の外側側部の伸縮ゾーン１５０４の対応する部分の幅１５１２と異なっていてもよい。
【０１０５】
ニット布地２４０を操作および／または伸張させることによる形成後、ニット構成要素２４０の第１のニット層２０２と第２のニット層２０４との間の中間層ニットステッチライン２１４の位置は、シームレスブーティまたは布地アッパー１４４０の内側側部２４８および外側側部２５０に関して非対称的になってもよい。たとえば、図１５の底部平面図に図示されているように、中間層ニットステッチライン２１４は、シームレスブーティまたは布地アッパー１４４０の中央底部２５６の輪郭を大略的にたどる緩やかなＳ字状曲線を有してもよい。
【０１０６】
図１６および図１８に図示されているように、ニット構成要素２４０は、足先部２４２に連続層を備えた、一体ワープニット構造から成るため、シームレスブーティまたは布地アッパー１４４０は、足先部２４２において、美的見栄えが良い連続編みステッチおよび／または編み構成を有する可能性がある。たとえば、図１６および図１８に図示されているように、ニット構成要素２４０は、足先部２４２の全体にわたって連続穴パターンを有する複数の穴１４０６、たとえば、複数の連続的で平行な列状配列の穴を有してもよい。
【０１０７】
図１７および図１８に図示されているように、ニット構成要素２４０を操作および／または伸張させることによる形成後、中間層ニットステッチライン２１４の位置は、シームレスブーティまたは布地アッパー１４４０の前方つま先部２５４の周りに少なくとも部分的に延びて（包み込んで）いる。いくつかの実施形態では、ニット構成要素２４０は、中間層ニットステッチライン２１４が、シームレスブーティまたは布地アッパー１４４０の内側面に実質的に隠れるように、反転させて（すなわち、裏返しにして）もよい。しかし、いくつかの実施形態では、ニット構成要素２４０は反転させなくてもよく、また、中間層ニットステッチライン２１４は、シームレスブーティまたは布地アッパー１４４０の前方つま先部２５４における露出した外側面に存在していてもよい。この場合、中間層ニットステッチライン２１４は、シームレスブーティまたは布地アッパー１４４０の前方つま先部２５４において、依然として実質的に連続的で安定したニット面を呈している。いくつかの実施形態では、前方つま先部２５４における、少なくとも露出した中間層ニットステッチライン２１４の部分は、ソール構造または他の仕上げ処理によって覆ってもよい。
【０１０８】
シームレスブーティまたは布地アッパー１４４０は、実質的にさらなる変更または製造を伴うことなく、履物製品１００を形成してもよい。いくつかの実施形態では、シームレスブーティ１４４０は、何らかのさらなる変更または製造を伴うことなく、履物製品１００を形成してもよい。いくつかの実施形態では、シームレスブーティまたは布地アッパー１４４０は、そのブーティの少なくとも一部に、仕上げ処理またはプロセスを施すことによって、履物製品を形成してもよい。いくつかの実施形態では、耐久性および／またはトラクションを与えるために、仕上げ処理をブーティの底面部に施してもよい。このように施される処理または仕上げ処理の例は、限定するものではないが、ゴム等のグリップ材料から成る層、または、グリップ材料の直接注入を施すことを含んでもよい。シームレスブーティまたは布地アッパー１４４０に仕上げ処理またはプロセスを行うことも、中間層ニットステッチライン２１４に補強特性を与える可能性があることは正しく認識されるであろう。
【０１０９】
いくつかの実施形態では、シームレスブーティまたは布地アッパー１４４０に、仕上げ処理を行うことは、中間層ニットステッチライン２１４における第１のニット層２０２および第２のニット層２０４のヤーン間に結合剤を注入するか、または注ぎ込んで、中間層ニットステッチライン２１４における露出したヤーン端部またはその他の固定されていないヤーンを結合または接着してもよい。このようなシームレスブーティまたは布地アッパー１４４０は、レスリング、ダンス、エアロビクス、ロックウォールクライミング、または、独立したソール構造アセンブリを有していない軽量の履物を用いる他の活動等のさまざまな活動に適している履物製品を形成してもよい。
【０１１０】
いくつかの実施形態では、シームレスブーティまたは布地アッパー１４４０は、ベロまたはインサート部材等の１つ以上のアクセサリを追加することによって、履物製品を形成してもよい。
【０１１１】
図１９は、図１４〜図１８のシームレスブーティまたは布地アッパー１４４０と、任意のベロ１９３０と、任意のソール構造１９０４とを組み込んだ履物製品１９００の実施形態の模式的等角上部正面図である。図２０は、図１９の履物製品１９００の模式的等角背面図である。
【０１１２】
ベロ１９３０は、ニット構成要素から形成してもよい。たとえば、ベロ１９３０は、図２および図７に図示されているように、ニット構成要素２３０に対応させてもよい。図１９に図示されているように、ベロ１９３０は、シームレスブーティまたは布地アッパー１４４０の内部空間に設けてもよい。ベロ１９３０は、シームレスブーティまたは布地アッパー１４４０のクロージャ構造２２１と、着用者の足との間に位置するように構成してもよい。ベロ１９３０は、ベロ１９３０の前縁部を、ニット構成要素２４０の足先部２４２に隣接するシームレスブーティまたは布地アッパー１４４０に取り付けることによって、クロージング領域２２１に結合してもよい。ベロ１９３０は、複数の穴１９１０を含んでもよい。ベロ１９３０は、第１および第２のニット層間に配置された、発泡材料等のインサート部材（図示せず）を含んでいてもよい。
【０１１３】
ベロ１９３０は、何らかの適当な公知のまたは後に開発された取付方法によって、たとえば、接着剤、熱接合、縫製または他の取付機構によって、シームレスブーティまたは布地アッパー１４４０に取り付けてもよい。
【０１１４】
ソール構造１９０４は、何らかの適当な公知のまたは後に開発されたソール構造であってもよい。いくつかの実施形態では、図１９に図示されているように、ソール構造１９０４は、シームレスブーティまたは布地アッパー１４４０の前方つま先部２５４に位置する（説明のために、二重点線として仮想的に図示されている）中間層ニットステッチライン２１４の少なくとも一部を覆う前方つま先部１９０６を含んでいてもよい。いくつかの実施形態では、ソール構造１９０４は、前方つま先部２５４の少なくとも一部を包み込んでもよく、および前方つま先部２５４において、中間層ニットステッチライン２１４の実質的にすべてまたは全体を覆ってもよい（たとえば、図１を参照）。
【０１１５】
ソール構造１９０４は、何らかの適当な公知のまたは後に開発された取付方法により、たとえば、接着剤または他の接着方法により、シームレスブーティまたは布地アッパー１４４０に結合してもよい。シームレスブーティまたは布地アッパー１４４０をソール構造１９０４に取り付けることは、中間層ニットステッチライン２１４に補強特性を与える可能性があることは正しく認識されるであろう。いくつかの実施形態では、接着剤または他の接着方法による取付けは、中間層ニットステッチライン２１４における第１のニット層２０２および第２のニット層２０４のヤーン間に接着剤または結合剤を注入して、中間層ニットステッチライン２１４において、いずれかの露出端部またはその他の固定されていないヤーンを結合または接着してもよい。
【０１１６】
図２０に図示されているように、ニット構成要素２４０の（説明のために仮想二重点線で示す）中間層ニットステッチライン２１４は、大略的に、シームレスブーティまたは布地アッパー１４４０のニット構成要素２４０の内側側部２５０と外側側部２４８との間の中心線に沿って位置していてもよい。ニット構成要素２４０は、中間層ニットステッチライン２１４を含む一体ワープニット構造から成るため、ニット構成要素２４０は、シームレスブーティまたは布地アッパー１４４０のかかと部２４６の全域で、実質的に連続する編みステッチおよび／または編み構成を呈していてもよいことは正しく認識されるであろう。いくつかの実施形態では、ニット構成要素２４０は、かかと部２４６の全体にわたって実質的に連続している穴パターンを有する複数の穴２０１０を含んでいてもよい。たとえば、図２０に図示されているように、複数の穴２０１０は、中間層ニットステッチライン２１４を含む、かかと部２４６の全体にわたって、複数の実質的に連続する平行な列状配列の穴を含んでいてもよい。この構造が、見栄えの良い美的特性をもたらす可能性があることは正しく認識されるであろう。
【０１１７】
図２１は、取外し前のニット布地要素２１００のニット構成要素２１４０の実施形態の形状構成を、取外し後のニット構成要素２１４０から形成されたシームレスブーティまたは布地アッパーに模式的に対応付けている。いくつかの実施形態では、ニット布地要素２１００は、図２のニット布地要素２００に対応していてもよく、また、ニット構成要素２１４０は、図２および図８のニット構成要素２４０および／または図１のニット構成要素１４０に対応していてもよい。
【０１１８】
図２１において、符号２１０１は、ニット布地要素２１００の図（figure）を識別し（以後、参照図（reference figure）２１０１と呼ぶ）、および対応する図面にわたって、ニット布地要素２１００のニット構成要素２１４０のさまざまな形状構成および特徴を符号２１０２，２１０３，２１０４および２１０５（以後、参照図２１０２，２１０３，２１０４および２１０５と呼ぶ）で模式的に対応付けている一連の区画線２１１１〜２１１９を含んでいる。
【０１１９】
参照図２１０２は、区画線２１１１〜２１１９に沿ったニット布地要素２１００のニット構成要素２１４０に関連する一連の断面図２１２１〜２１２９を示し、参照図２１０３は、ニット構成要素２１４０の内側側面図を示し、参照図２１０４は、ニット構成要素２１４０の底部平面図を示し、参照図２１０５は、ニット構成要素２１４０の外側側面図を示す。符号２１０６は、ニット構成要素２１４０の正面等角図を示す図であり（以後、参照図２１０６という）、符号２１０７は、参照図２１０６の区画線２１０７−２１０７に沿った足先部２１５８の断面図を示す図であり（以後、参照図２１０７という）、符号２１０８は、参照図２１０７のニット構成要素２１４０の中間層ニットステッチライン２１５０を模式的に示す分解詳細図であり（以後、参照図２１０８という）、符号２１０９は、参照図２１０６の区画線２１０９−２１０９に沿ったニット構成要素２１４０の足先部２１５８の断面図を示す図である（以後、参照図２１０９という）。
【０１２０】
区画線２１１１は、中間層ニット層２１５０によって画定されたニット構成要素２１４０の周囲境界の外側で、ニット構成要素２１４０の上のニット布地要素２１００を通っている。したがって、参照図２１０１〜参照図２１０２におけるマッピング区画線２１１１は、ニット構成要素２１４０に関連する物理的形状構成を有していない筒状構造２１２１の形態のニット構成要素２１００の断面を示す。同様に、参照図２１０３，２１０４および２１０５は、区画線２１１１に沿ったニット構成要素２１４０に関連する物理的形状構成を示していない。
【０１２１】
区画線２１１２は、ニット構成要素２１４０の後方かかと部を通っている。参照図２１０１〜参照図２１０２におけるマッピング区画線２１１２は、単一ノードを有する大略的に扁平な筒状構造２１２２の形態のニット布地要素２１００の断面を示し、中間層ニットステッチライン２１５０が、ニット布地要素２１００の共通側縁部２１５６（たとえば、図２〜図６における共通側縁部２１０を参照）からの距離２１３０において、第１のニット層２１５２と第２のニット層２１５４とを相互に接続している。
【０１２２】
区画線２１１３は、ニット構成要素２１４０のかかと部のベースを通っている。参照図２１０１〜参照図２１０２におけるマッピング区画線２１１３は、単一ノードを有する大略的に扁平な筒状構造２１２３の形態のニット布地要素２１００の断面を示し、中間層ニットステッチライン２１５０が、布地要素２１００の連続的共通側縁部２１５６からの距離２１３１において、第１のニット層２１５２と第２のニット層２１５４とを相互に接続している。
【０１２３】
区画線２１１４は、足首開口部に近接するクロージャシステム２１７０の端部におけるニット構成要素２１４０の中足部を通っている。参照図２１０１〜参照図２１０２におけるマッピング区画線２１１４は、単一ノードを有する大略的に扁平な筒状構造２１２４の形態のニット布地要素２１００の断面を示し、中間層ニットステッチライン２１５０が、布地要素２１００の共通側縁部２１５６からの距離２１３２において、第１のニット層２１５２と第２のニット層２１５４とを相互に接続している。
【０１２４】
参照図２１０１から、ニット構成要素２１４０から形成されたシームレスブーティまたは布地アッパーの底面図を示す参照図２１０４までを対応付けると、区画線２１１４に沿った、ニット構成要素２１４０の共通縁部２１５６から中央底部２１６０の縁部までの距離２１３３と、中央底部２１６０の縁部から中間層ニットステッチライン２１５０までの距離２１３４とが、共通縁部２１５６から中間層ニットステッチライン２１５０までの距離２１３２に一致し（距離２１３３＋距離２１３４＝距離２１３２）、また、区画線２１１４に沿って中央底部２１６０の幅に相当する距離２１４６は、距離２１３４の２倍に等しい（距離２１４６＝２×距離２１３４）ことは正しく認識されるであろう。同様に、区画線２１１４に沿った、中央底部２１６０の幅と、ニット構成要素２１４０の周囲底部２１６２とに相当する距離２１４７は、区画線２１１４に沿った、周囲底部２１６２の縁部と中間層ニットステッチライン２１５０との間の距離２１３５の２倍に等しい（距離２１４７＝２×距離２１３５）。
【０１２５】
区画線２１１５は、足先部２１５８に近接するクロージャシステム２１７０の端部において、ニット構成要素２１４０の中足部を通っている。参照図２１０１〜参照図２１０２におけるマッピング区画線２１１５は、単一ノードを有する扁平な筒状構造２１２５の形態のニット布地要素２１００の断面を示し、中間層ニットステッチライン２１５０が、布地要素２１００の共通側縁部２１５６からの距離２１３６において、第１のニット層２１５２と第２のニット層２１５４とを相互に接続している。区画線２１１５に沿って、参照図２１０１から参照図２１０４までを対応付けると、ニット構成要素２１４０の共通縁部２１５６から中央底部２１６０の縁部までの距離２１３７と、中央底部の縁部２１５６から中間層ニットステッチライン２１５０までの距離２１３８とが、共通縁部２１５６から中間層ニットステッチライン２１５０までの距離２１３６に一致し（距離２１３７＋距離２１３８＝距離２１３６）、また、区画線２１１５に沿った中央底部２１６０の幅に相当する距離２１４８が、区画線２１１５に沿った距離２１３８の２倍に等しいことは正しく認識されるであろう。同様に、区画線２１１５に沿った、中央底部２１６０の幅と、周囲底部２１６２とに相当する距離２１４９は、区画線２１１５に沿った、周囲底部２１６２の縁部と中間層ニットステッチライン２１５０との間の距離２１３９の２倍に等しい（距離２１４９＝２×距離２１３９）。
【０１２６】
区画線２１１６は、ニット構成要素２１４０の足先部２１５８を通っている。参照図２１０１〜参照図２１０２におけるマッピング区画線２１１６は、単一ノードを有する扁平な筒状構造２１２６の形態のニット布地要素２１００の断面を示し、中間層ニットステッチライン２１５０が、布地要素２１００の共通側縁部２１５６からの距離２１４１において、第１のニット層２１５２と第２のニット層２１５４とを相互に接続している。
【０１２７】
区画線２１１７も、ニット構成要素２１４０の足先部２１５８を通っている。参照図２１０１〜参照図２１０２におけるマッピング区画線２１１７は、中間層ニットステッチライン２１５０が、布地要素２１００の共通側縁部２１５６からの距離２１４２において、第１のニット層２１５２と第２のニット層２１５４とを相互に接続している第１のノードと、中間層ニットステッチライン２１５０が、区画線２１１７に沿った布地要素２１００の第１のノードからの距離２１４３において、第１のニット層２１５２と第２のニット層２１５４とを相互に接続している第２のノードとを有する筒状構造２１２７の形態のニット布地要素２１００の断面を示している。
【０１２８】
区画線２１１８は、ニット構成要素２１４０の足先部２１５８の前縁部に接触して接線方向に延びている。参照図２１０１〜参照図２１０２におけるマッピング区画線２１１８は、単一ノードを有する扁平な筒状構造２１２８の形態のニット布地要素２１００の断面を示し、中間層ニットステッチライン２１５０が、布地要素２１００の共通縁部２１５６からの距離２１４４において、第１のニット層２１５２と第２のニット層２１５４とを相互に接続している。
【０１２９】
区画線２１１９は、中間層ニットステッチライン２１５０によって画定されたニット構成要素２１４０の周囲境界の外側で、ニット構成要素２１４０の下のニット布地要素２１００を通っている。したがって、参照図２１０１〜参照図２１０２におけるマッピング区画線２１１９は、ニット構成要素２１４０に関連する物理的形状構成を有していない扁平な筒状構造２１２９の形態のニット布地要素２１００の断面を示す。同様に、参照図２１０３，２１０４および２１０５は、ニット構成要素２１００および区画線２１１９に関連する物理的形状構成を示していない。
【０１３０】
ニット布地要素２１００およびニット構成要素２１４０の寸法は、ニット構成要素２１４０から形成されたシームレスブーティまたは布地アッパーにおいて、所望の構成（サイズおよび形状）、カスタムフィットおよびパフォーマンス特性を実現できるように選択してもよいことは正しく認識されるであろう。
【０１３１】
たとえば、距離２１３１が、ニット布地構成要素２１４０の最大幅に一致すること、およびそれに伴って、距離２１３１が、ニット構成要素２１４０を画定して作製するのに十分なニット布地要素２１００の最少幅を呈することは正しく認識されるであろう。したがって、いくつかの実施形態では、ニット布地要素２１００の幅は、ニット布地要素２１００およびニット構成要素２１４０を作製するのに必要な材料の量およびコストを最小限にするために、距離２１３１に実質的に等しいように選択してもよい。
【０１３２】
（たとえば、ニット構成要素２１４０の足首開口部に近接するクロージャシステム２１７０の端部における）寸法２１３２，２１３３，２１３４および２１３５、および（たとえば、足先部２１５８に近接するクロージャシステム２１７０の端部における）寸法２１３６，２１３７，２１３８および２１３９を選択すれば、ニット構成要素２１４０から形成されたシームレスブーティまたは布地アッパーの所望のサイズおよび／またはカスタムフィットを実現できる可能性がある。
【０１３３】
シームレスブーティの所望のカスタムフィットは、クロージャシステム２１７０の構成を選択することによって、さらに容易にしてもよい。たとえば、足先部２１５８に近接するクロージャシステム２１７０の端部において、Ｖ字形状のクロージャシステム２１７０（たとえば、図１を参照）に、このように選択した寸法を与えることにより、当該位置（たとえば、周長）において、所望のサイズおよび／またはカスタムフィットを実現できる可能性があり、およびクロージャシステム２１７０の締めひもシステムの正確な締め付け許容範囲を容易にすることによって、さらなるカスタムフィットを容易にする可能性がある。
【０１３４】
同様に、ニット構成要素２１４１の他の位置において、たとえば、区画線２１１１〜２１１９に沿って同様の寸法を選択することは、そのような位置において、所望のサイジングおよび／またはカスタムフィットを実現できる可能性がある。たとえば、足先部２１５８において、寸法２１４１，２１４２および２１４３を選択することは、所望のサイジングおよび／またはカスタムフィットを有する先芯を備えていてもよい。
【０１３５】
当業者は、ニット構成要素２１４０から形成されたシームレスブーティまたは布地アッパーの所望のサイジングおよび／またはカスタムフィットをもたらすのに適切なニット構成要素２１４０のための寸法を容易に選択することができるであろう。
【０１３６】
参照図２１０６〜２１０９は、ニット構成要素２１４０から形成されたシームレスブーティまたは布地アッパーのさらなる形状構成を示す。参照図２１０６は、ニット構成要素２１４０から形成されたシームレスブーティまたは布地アッパーの正面斜視図である。
【０１３７】
参照図２１０７は、参照図２１０６における区画線２１０７−２１０７に沿った足先部２１５８の断面を示す。いくつかの実施形態では、参照図２１０７に示すように、第１のニット層２１５２と第２のニット層２１５４とが、足先部２１５８において、単一の連続的で大略的に環状（筒状）のニット層を形成する。具体的には、中間層ニットステッチライン２１５０における拡大詳細図である参照図２１０８に示すように、第１のニット層２１５２および第２のニット層２１５４は、中間層ニットステッチライン２１５０において、連続的なニット層を形成している。
【０１３８】
参照図２１０８に示すように、中間層ニットステッチライン２１５０は、第２のニット層２１５４の少なくとも１本のヤーンと互いに結ばれた第１のニット層２１５２の少なくとも１本のヤーンを含んでいる。中間層ニットステッチライン２１５０におけるこの連続ニット構造は、中間層ニットステッチライン２１５０におけるニット構成要素２１４０の解れを防ぐのに役に立つ可能性がある。参照図２１０８に模式的に図示されているように、中間層ニットステッチライン２１５０に沿ったニット布地要素２１００からのニット構成要素２１４０の分離または取外し後、分離プロセスによって生じる少量の末端ヤーン端部が、中間層ニットステッチライン２１５０において露出する可能性がある。シームレスブーティまたは布地アッパーを形成する前に、ニット構成要素２１４０が反転されるいくつかの実施形態では、中間層ニットステッチライン２１５０における露出したヤーン端部は、（参照図２１０８に図示されているように）シームレスブーティまたは布地アッパーの内側に位置していてもよい。シームレスブーティまたは布地アッパーを形成する前に、ニット構成要素２１４０が反転されないいくつかの実施形態では、中間層ニットステッチライン２１５０における露出したヤーン端部は、シームレスブーティまたは布地アッパーの外側に位置していてもよい。
【０１３９】
参照図２１０９は、参照図２１０６の区画線２１０９−２１０９に沿ったシームレスブーティまたは布地アッパーの断面を示す。いくつかの実施形態では、参照図２１０６に図示されているように、シームレスブーティまたは布地アッパーは、たとえば、図３〜図６に示すような分離プロセスによってニット構成要素２１４０中に形成されたクロージャシステム２１７０を含んでもよい。いくつかの実施形態では、クロージャシステム２１７０は、クロージャ部材２１７２と、ひも穴２１７４と、締めひも２１７６とを含んでいてもよい。いくつかの実施形態では、参照図２１０９に図示されているように、第１のニット層２１５２と第２のニット層２１５４とが、単一の連続ニット層を形成し、第１のニット層２１５２の一方の端部は、クロージャ構造２１７０の一方の側部でニットクロージャ部材２１７２として終端し、第２のニット層２１５４の一方の端部は、クロージャ構造２１７０の反対側の側部でニット締めひも部材２１７２として終端している。
【０１４０】
図２２は、図２〜図２１の特徴による編み方法を用いて履物製品を作製するためのプロセスを含むプロセスフローチャート２２００を示す。プロセス２２０１は、一体ワープニット構造から成るニット布地要素を編むことを含む。プロセス２２０２は、ニット布地要素からニット構成要素を取り外すことを含む。任意のプロセス２２０３は、ニット構成要素を反転させる、すなわち、ニット構成要素を裏返すことを含む。プロセス２２０４は、ニット構成要素を、履物製品用のシームレスブーティまたは布地アッパーに形成することを含む。そして、任意のプロセス２２０５は、シームレスブーティまたは布地アッパーと、ソール構造、ベロまたはオーバレイ構成要素等の１つ以上の追加的な構成要素とを結合することを含む。また、任意のプロセス２２０５も、仕上げ処理を施すこと、たとえば、シームレスブーティの底部面にグリップ材料を施すことを含んでもよい。当業者は、この実施形態の説明と整合する履物製品を実現するための所望のプロセスを容易に選択することができるであろう。
【０１４１】
図２３は、取外し前のニット構成要素を含むニット布地要素の別の実施形態の模式平面図であり、図には、ニット布地要素のワープニットステッチおよび中間層ニットステッチラインの形状構成が詳細に図示されている。図２３は、図２と実質的に同様である。したがって、図２の形状構成の説明は、参照によって本願明細書に組み込まれ、また、この説明は、図２３において異なっている可能性のある形状構成に注力する。
【０１４２】
図２３は、第１のニット層２０２と、第１のニット層２０２に重なっており、および共通縁部２１０に沿って第１のニット層２０２と連続している第２のニット層２０４とを含む一体ワープニット構造から成るニット布地要素２３００を示す。いくつかの実施形態では、ニット布地要素２３００は、ベロに相当するニット構成要素２３０と、シームレスブーティまたは布地アッパーに相当するニット構成要素２４０とを含んでいてもよい。ニット構成要素２３０およびニット構成要素２４０は、図２に図示されているように、および上述したように、ニット構成要素２３０およびニット構成要素２４０に相当する形状構成を大略的に含んでいてもよい。
【０１４３】
図２３において、ニット布地要素２３００は、ニット構成要素２４０の周囲部分において、第１のニット層２０２と第２のニット層２０４とを相互に接続する中間層ニットステッチライン２１４と、ニット構成要素２４０の周囲部分において、第１のニット層２０２と第２のニット層２０４とを相互に接続する中間層ニットステッチライン２３２とを含んでいてもよい。
【０１４４】
しかし、いくつかの実施形態では、図２３に図示されているように、ニット布地要素２３００の第１のニット層２０２および第２のニット層２０４は、（図２３において、共通の連続的陰影で図示されている）ニット構成要素２３０および２４０の周囲部分の外側で、中間層ニット部分２３１０全面で相互に接続してもよい。
【０１４５】
説明のため、図２３は、中間層ニットステッチライン２１４および中間層ニット部分２３１０を含むニット布地要素２３００の編み構成を断面で模式的に示す拡大した要素２３１５を含む。要素２３１５に模式的に図示されているように、第１のニット層２０２および第２のニット層２０４は、第１のニット層２０２の少なくとも１本のヤーンが、第２のニット層２０４の少なくとも１本のヤーンと互いに結ばれている複数の共通編みステッチによって、中間層ニット部分２３１０の全域で相互に接続されていてもよい。いくつかの実施形態では、複数の共通中間層編みステッチは、異なるヤーンを用いた一連の個々の中間層編みステッチを含んでもよい。いくつかの実施形態では、複数の共通中間層編みステッチは、共通ヤーンを用いた一連の中間層編みステッチを含んでもよい。いくつかの実施形態では、要素２３１５に図示されているように、中間層ニット部分２３１０は、第１のニット層２０２と第２のニット層２０４との間で、中間層ニットステッチライン２１４と連続していてもよい。いくつかの実施形態では、中間層ニット部分２３１０は、第１のニット層２０２と第２のニット層２０４との間で、中間層ニットステッチライン２１４と隣接していてもよい。いくつかの実施形態では、中間層ニット部分２３１０は、中間層ニットステッチライン２１４を含んでもよい。
【０１４６】
いくつかの実施形態では、中間層ニット部分２３１０を含むニット布地要素２３００は、取外し前のニット構成要素２３０および２４０のための向上した寸法安定性を備えていてもよいことは正しく認識されるであろう。いくつかの実施形態では、中間層ニット部分２３１０を含む布地要素２３００は、製造プロセス中の、改善された取り扱いを容易にする可能性がある。いくつかの実施形態では、中間層ニット部分２３１０を含む布地要素２３００は、第１のニット層２０２および第２のニット層２０４の両方のための単一の分離プロセス、すなわち、第１のニット層２０２および第２のニット層２０４からニット構成要素を分離するための単一のプロセスを用いた、ニット構成要素２３０および２４０の取外しを容易にする可能性がある。
【０１４７】
図２４は、取外し前のニット布地要素２４００のニット構成要素２４４０の実施形態の形状構成を、ニット構成要素２４４０から形成されたシームレスブーティまたは布地アッパーに模式的に対応付けている。図２４は、図２１と実質的に同様である。いくつかの実施形態では、布地要素２４００は、図２３の布地要素２３００に対応していてもよく、また、ニット構成要素２４４０は、図２１のニット構成要素２１４０に対応していてもよい。したがって、図２１および図２３に関連して前述した形状構成の説明は繰り返さず、ここでの説明は、図２４において異なっている可能性のある形状構成に注力する。
【０１４８】
図２４において、ニット構成要素２４４０に関連する形状構成は、図２１におけるニット構成要素２１４０の形状構成と実質的に同様である。参照図２４０１〜２４０９は、参照図２１０１〜２１０９と実質的に同様である。図２４における区画線２４１１〜２４１９は、図２１における区画線２１１１〜２１１９に相当する。
【０１４９】
区画線２４１１は、中間層ニット層２４５０によって画定されたニット構成要素２４４０の周囲境界の外側で、ニット構成要素２４４０の上のニット布地要素２４００を通っている。いくつかの実施形態では、この構造は、図２３の中間層ニット部分に対応していてもよい。したがって、参照図２４０１〜参照図２４０２におけるマッピング区画線２４１１は、平らな２層構造２４２１の形態のニット構成要素２４００の断面を示す。第１のニット層２４５２と第２のニット層２４５４とは、複数の共通中間層ニットステッチによって相互に接続してもよく、およびニット構成要素２４４０に関連する形状構成を有していなくてもよい。同様に、参照図２４０３，２４０４および２４０５は、区画線２４１１に沿ったニット構成要素２４４０に関連する物理的形状構成を示していない。
【０１５０】
区画線２４１２は、ニット構成要素２４４０の後方かかと部を通っている。参照図２４０１〜参照図２４０２におけるマッピング区画線２４１２は、大略的に平らな２層構造２４２２の形態のニット布地要素２４００の断面を示す。図２１の実施形態と同様に、第１のニット層２４５２および第２のニット層２４５４は、共通側縁部２４５６を有し、および、共通側縁部２４５６から、中間層ニットステッチライン２４５０が、ニット布地要素２４００の共通側縁部２４５６（たとえば、図２〜図６における共通側縁部２１０を参照）からの距離２４３０において、第１のニット層２４５２と第２のニット層２４５４とを相互に接続している単一ノードまで、第１のニット層２４５２と第２のニット層２４５４との間に空洞を形成している。第１のニット層２４５２および第２のニット層２４５４は、中間層ニットステッチ２４５０の外側で、複数の共通中間層編みステッチによって相互に接続されている（たとえば、図２３における中間層ニット部分２３１０を参照）。
【０１５１】
区画線２４１３は、ニット構成要素２４４０のかかと部のベースを通っている。参照図２４０１〜参照図２４０２におけるマッピング区画線２４１３は、大略的に平らな２層ニット構造２４２３の形態のニット布地要素２４００の断面を示す。図２１の実施形態と同様に、第１のニット層２４５２および第２のニット層２４５４は、共通側縁部２４５６を有し、および共通側縁部２４５６から、中間層ニットステッチライン２４５０が、ニット布地要素２４００の共通側縁部２４５６からの距離２４３１において、第１のニット層２４５２と第２のニット層２４５４とを相互に接続している単一ノードまで、第１のニット層２４５２と第２のニット層２４５４との間に空洞を形成している。第１のニット層２４５２および第２のニット層２４５４は、中間層ニットステッチ２４５０の外側で、複数の共通中間層編みステッチによって相互に接続されている（たとえば、図２３における中間層ニット部分２３１０を参照）。
【０１５２】
区画線２４１４は、足首開口部に近接するクロージャシステム２４７０の端部におけるニット構成要素２４４０の中足部を通っている。参照図２４０１〜参照図２４０２におけるマッピング区画線２４１４は、大略的に平らな２層構造２４２４の形態のニット布地要素２４００の断面を示す。図２１の実施形態と同様に、第１のニット層２４５２および第２のニット層２４５４は、共通側縁部２４５６を有し、および共通側縁部２４５６から、中間層ニットステッチライン２４５０が、ニット布地要素２４００の共通側縁部２４５６からの距離２４３２において、第１のニット層２４５２と第２のニット層２４５４とを相互に接続している単一ノードまで、第１のニット層２４５２と第２のニット層２４５４との間に空洞を形成している。第１のニット層２４５２および第２のニット層２４５４は、中間層ニットステッチ２４５０の外側で、複数の共通中間層ニットステッチによって相互に接続されている（たとえば、図２３における中間層ニット部分２３１０を参照）。
【０１５３】
区画線２４１５は、足先部２４５８に近接するクロージャシステム２４７０の端部におけるニット構成要素２４４０の中足部を通っている。参照図２４０１〜参照図２４０２におけるマッピング区画線２４１５は、大略的に平らな２層構造２４２５の形態のニット布地要素２４００の断面を示す。図２１の実施形態と同様に、第１のニット層２４５２および第２のニット層２４５４は、共通側縁部２４５６を有し、および共通側縁部２４５６から、中間層ニットステッチライン２４５０が、ニット布地要素２４００の共通側縁部２４５６からの距離２４３６において、第１のニット層２４５２と第２のニット層２４５４とを相互に接続している単一ノードまで、第１のニット層２４５２と第２のニット層２４５４との間に空洞を形成している。第１のニット層２４５２および第２のニット層２４５４は、中間層ニットステッチ２４５０の外側で、複数の共通中間層ニットステッチによって相互に接続されている（たとえば、図２３における中間層ニット部分２３１０を参照）。
【０１５４】
区画線２４１６は、ニット構成要素２４４０の足先部２４５８を通っている。参照図２４０１〜参照図２４０２におけるマッピング区画線２４１６は、大略的に平らな２層構造２４２６の形態のニット布地要素２４００の断面を示す。図２１の実施形態と同様に、第１のニット層２４５２および第２のニット層２４５４は、共通側縁部２４５６を有し、および共通側縁部２４５６から、中間層ニットステッチライン２４５０が、ニット布地要素２４００の共通側縁部２４５６からの距離２４４１において、第１のニット層２４５２と第２のニット層２４５４とを相互に接続している単一ノードまで、第１のニット層２４５２と第２のニット層２４５４との間に空洞を形成している。第１のニット層２４５２および第２のニット層２４５４は、中間層ニットステッチ２４５０の外側で、複数の共通中間層ニットステッチによって相互に接続されている（たとえば、図２３における中間層ニット部分２３１０を参照）。
【０１５５】
区画線２４１７も、ニット構成要素２４４０の足先部２４５８を通っている。参照図２４０１〜参照図２４０２におけるマッピング区画線２４１３は、大略的に平らな２層構造２４２７の形態のニット布地要素２４００の断面を示す。構造２４２７は、中間層ニットステッチライン２４５０が、布地要素２１００の共通側縁部２４５６からの距離２４４２において、および区画線２４１７に沿った布地要素２１００の第１のノードからの距離２４４３において、第１のニット層２４５２と第２のニット層２４５４とを相互に接続している２つのノードを有している。第１のニット層２４５２および第２のニット層２４５４は、中間層ニットステッチ２４５０の外側で、複数の共通中間層ニットステッチによって相互に接続されている（たとえば、図２３における中間層ニット部分２３１０を参照）。
【０１５６】
区画線２４１８は、ニット構成要素２４４０の足先部２４５８の前縁部に接触している。参照図２４０１〜参照図２４０２におけるマッピング区画線２４１８は、大略的に平らな２層構造２４２８の形態のニット布地要素２４００の断面を示す。図２１の実施形態と同様に、第１のニット層２４５２および第２のニット層２４５４は、共通側縁部２４５６と、中間層ニットステッチライン２４５０が、ニット布地要素２４００の共通側縁部２４５６からの距離２４４４において、第１のニット層２４５２と第２のニット層２４５４とを相互に接続している（２層構造２４２８内の「ピンチ」として図示されている）ノードとを有している。第１のニット層２４５２および第２のニット層２４５４は、中間層ニットステッチ２４５０の外側で、複数の共通中間層ニットステッチによって相互に接続されている（たとえば、図２３における中間層ニット部分２３１０を参照）。
【０１５７】
区画線２４１９は、中間層ニット層２４５０によって画定されたニット構成要素２４４０の周囲境界の外側で、ニット構成要素２４４０の下のニット布地要素２４００を通っている。したがって、参照図２４０１〜参照図２４０２におけるマッピング区画線２４１９は、ニット構成要素２４４０に関連する形状構成を有していない平らな２層構造２４２９の形態のニット布地要素２４００の断面を示す。同様に、参照図２４０３，２４０４および２４０５は、ニット構成要素２４００および区画線２４１９に関連する形状構成を示していない。
【０１５８】
ニット布地要素２４００およびニット構成要素２４４０の寸法を、図２１におけるニット構成要素２１００に関して上述したように、ニット構成要素２４４０から形成されたシームレスブーティまたは布地アッパーに、所望のサイジングおよび／またはカスタムフィットおよびパフォーマンス特性を与えるように選択することができることは正しく認識されるであろう。当業者は、ニット構成要素２４４０から形成されたシームレスブーティまたは布地アッパーの所望のサイジングおよび／またはカスタムフィットを備えるように、ニット構成要素２４４０のための寸法を容易に選択することができるであろう。
【０１５９】
参照図２４０６〜２４０９は、ニット構成要素２４４０から形成されたシームレスブーティまたは布地アッパーのさらなる形状構成を示す。参照図２４０６は、ニット構成要素２４４０から形成されたシームレスブーティまたは布地アッパーの正面斜視図である。
【０１６０】
参照図２４０７は、参照図２４０６における区画線２４０７−２４０７に沿った足先部２４５８の断面を示す。いくつかの実施形態では、参照図２４０７に示すように、第１のニット層２４５２および第２のニット層２４５４は、足先部２４５８において、単一の連続的で大略的に環状（筒状）のニット層を形成する。具体的には、中間層ニットステッチライン２４５０における拡大詳細図である参照図２４０８に示すように、第１のニット層２４５２および第２のニット層２４５４は、中間層ニットステッチライン２４５０において、連続的なニット層を形成している。参照図２４０８に示すように、中間層ニットステッチライン２４５０は、第２のニット層２４５４の少なくとも１本のヤーンと互いに結ばれた第１のニット層２４５２の少なくとも１本のヤーンを含んでいる。さらに、図２４０８に図示されているように、いくつかの実施形態では、中間層ニットステッチライン２４５０は、隣接する中間層ニット部分２３１０において分離されていてもよいことは正しく認識されるであろう。中間層ニットステッチライン２４５０および中間層ニット部分２３１０におけるこの連続ニット構造は、中間層ニットステッチライン２４５０におけるニット構成要素２４４０の解れを防ぐのに役に立つ可能性がある。参照図２４０８に模式的に図示されているように、中間層ニット部分２３１０における中間層ニットステッチライン２４５０に沿ったニット布地要素２４００からのニット構成要素２４４０の分離または取外し後、分離プロセスによって生じる少量の末端ヤーン端部が、中間層ニットステッチライン２４５０において露出する可能性がある。
【０１６１】
シームレスブーティまたは布地アッパーを形成する前に、ニット構成要素２４４０が反転される（すなわち、裏返しにされる）いくつかの実施形態では、中間層ニットステッチライン２４５０における露出したヤーン端部は、（参照図２４０８に図示されているように）シームレスブーティまたは布地アッパーの内側に位置していてもよい。シームレスブーティまたは布地アッパーを形成する前に、ニット構成要素２４４０が反転されないいくつかの実施形態では、中間層ニットステッチライン２４５０における露出したヤーン端部は、シームレスブーティまたは布地アッパーの外側に位置していてもよい。
【０１６２】
参照図２４０９は、参照図２４０６の区画線２４０９−２４０９に沿ったシームレスブーティまたは布地アッパーの断面を示す。いくつかの実施形態では、参照図２４０６に図示されているように、シームレスブーティまたは布地アッパーは、分離プロセスによってニット構成要素２４４０中に形成されたクロージャシステム２４７０を含んでもよい。いくつかの実施形態では、クロージャシステム２４７０は、締めひも部材２４７２と、ひも穴２４７４と、締めひも２４７６とを含んでいてもよい。いくつかの実施形態では、参照図２４０９に図示されているように、第１のニット層２４５２および第２のニット層２４５４は、単一の連続ニット層を形成し、第１のニット層２４５２の一方の端部は、クロージャ構造２４７０の一方の側部でニットクロージャ部材２４７２として終端し、第２のニット層２４５４の一方の端部は、クロージャ構造２１７０の反対側の側部でニットクロージャ部材２４７２として終端している。
【０１６３】
〈押し込まれた部分を備えるシームレスブーティの履物製品構成〉
詳細な説明のこのセクションは、履物製品用の布地アッパーに組み込むための押し込み部分を有するニット構成要素を含むニット布地要素を編むための方法の実施形態について全般的に説明する。
【０１６４】
具体的には、このセクションは、シームレスブーティまたは布地アッパーを形成するように構成されている第１のニット構成要素部分と、そのシームレスブーティまたは布地アッパーの内部ポケット（すなわち、第１のニット構成要素部分）に押し込まれるか、または折り込まれるように構成されている第２のニット構成要素部分とを含むニット布地要素を編むための方法の実施形態について全般的に説明する。その内部ポケットは、ニット布地要素の第１のニット層および第２のニット層によって形成され、また、その押し込み部（すなわち、第２のニット構成要素部分）は、足を受け入れるように構成されているシームレスブーティまたは布地アッパーの開口部において、そのシームレスブーティまたは布地アッパーの第１のニット層および第２のニット層（すなわち、第１のニット構成要素部分）とシームレスで結合されている。
【０１６５】
いくつかの実施形態では、押し込み部は、履物製品のダイナミックフィット構造を形成してもよい。いくつかの実施形態では、押し込み部は、ガセットベロ等の履物製品のクロージャ構造を形成してもよい。いくつかの実施形態では、押し込み部は、第１のニット層および／または第２のニット層によって形成された、インサート部材を収容するためのポケットを含んでもよい。いくつかの実施形態では、押し込み部は、インサート部材を収容するためのポケットを形成するように、シームレスブーティまたは布地アッパーの第１のニット層および第２のニット層の一方（すなわち、第１のニット構成要素部分）と協働してもよい。たとえば、いくつかの実施形態では、インサート部材は、製品の足先部におけるつま先カップ、製品のかかと部におけるかかとカップ、製品の甲回り部におけるアーチサポート、ベロ用のパッド層および／または他のインサート部材を含んでもよい。
【０１６６】
図２５〜図３５は、押し込み部を含むシームレスブーティまたは布地アッパーの実施形態を示す。図２５〜図３５に図示されている実施形態は、それぞれが、ブーティのクロージャ構造において、ブーティと連続している押し込み部を含む一体ワープニット構造から成るシームレスブーティまたは布地アッパーを含むという点で同様である。いくつかの実施形態では、押し込み部は、ダイナミックフィット構造を備えていてもよい。いくつかの実施形態では、押し込み部は、ガセットベロ構造を備えていてもよい。
【０１６７】
〈ダイナミックフィット形状構成〉
図２５は、ニット布地要素２５００のニット構成要素２５４０の実施形態の形状構成を、そのニット構成要素から形成されたシームレスブーティまたは布地アッパーに模式的に対応付けている。いくつかの実施形態では、ニット構成要素２５４０は、連続クロージャ構造を用いたニットダイナミックフィットミッドソール構成要素を含んでもよい。
【０１６８】
図２５において、符号２５０１は、ニット布地要素２５００の図（以後、参照図２５０１と呼ぶ）を識別し、および符号２５０２，２５０３，２５０４および２５０５における対応する図面（以後、参照図２５０２，２５０３，２５０４および２５０５と呼ぶ）にわたって、ニット布地要素２５００のニット構成要素２５４０のさまざまな形状構成および特徴を模式的に対応付けている一連の区画線２５１１〜２５１９を含んでいる。参照図２５０２は、区画線２５１１〜２５１９に沿ったニット布地要素２５００のニット構成要素２５４０に関連する一連の断面図２５２１〜２５２９を示し、参照図２５０３は、ニット構成要素２５４０の内側側面図を示し、参照図２５０４は、ニット構成要素２５４０の底部平面図を示し、参照図２５０５は、ニット構成要素２５４０の外側側面図を示す。符号２５０６は、ニット構成要素２５４０の正面等角図を示す図（以後、参照図２５０６という）であり、符号２５０７は、参照図２５０６の区画線２５０７−２５０７に沿った足先部２５５８の断面図を示す図（以後、参照図２５０７という）であり、符号２５０８は、参照図２５０６の区画線２５０８−２５０８に沿ったニット構成要素２５４０の足先部２５５８の断面図を示す図（以後、参照図２５０８という）である。
【０１６９】
図２１のニット布地要素２１００および図２４のニット布地要素２４００と同様に、ニット布地要素２５００は、第１のニット層２５５２と、第１のニット層２５５２に重なっている第２のニット層２５５４とを含み、ニット布地要素２５００は、一体ワープニット構造から成る。参照図２５０１を参照すると、この実施形態では、第１のニット層２５５２は、製造または編みプロセスの方向に延びている共通開口部２５５３の共通縁部２５５６に沿って、第２のニット層２５５４と連続している。ニット布地要素２５００が、図２および図２１におけるニット布地要素２００および２１００と同様の大略的に筒状の構造か、または、図２３および図２４におけるニット布地要素２３００および２４００と同様の大略的に平らな２層構造を有していてもよいことは正しく認識されるであろう。簡略にするため、および大略的に筒状の構造（たとえば、図２〜図８および図２１）を有するニット布地要素のさまざまな形状構成および部分は、大略的に平らな２層構造（たとえば、図２３および図２４）を有するニット布地要素の形状構成および部分に対応し、およびそれらの形状構成および部分と置換え可能であるため、ニット布地要素２５００は、大略的に平らな２層構造に関して説明する。
【０１７０】
区画線２５１１は、中間層ニットステッチライン２５５０によって画定されたニット構成要素２５４０の周囲境界の外側で、ニット構成要素２５４０の上のニット布地要素２５００を通っている。したがって、参照図２５０１〜参照図２５０２におけるマッピング区画線２５１１は、ニット構成要素２５４０に関連する形状構成を有していない平らな２層構造２５２１の形態のニット構成要素２５００の断面を示す。同様に、参照図２５０３，２５０４および２５０５は、区画線２５１１に沿ったニット構成要素２５４０に関連する形状構成を示していない。
【０１７１】
区画線２５１２は、ニット構成要素２５４０の後方かかと部を通っている。参照図２５０１〜参照図２５０２におけるマッピング区画線２５１２は、中間層ニットステッチライン２５５０が、ニット布地要素２５００の共通縁部２５５６に関連する中心ライン２５５１からの距離２５３０において、第１のニット層２５５２と第２のニット層２５５４とを相互に接続している、対向する１つのペアのノードを有する、大略的に平らな２層構造２５２２の形態のニット布地要素２５００の断面を示す。いくつかの実施形態では、共通縁部２５５６は、ニット布地要素２５００のニット構成要素２５４０の足先部２５５８の連続面にわたって第１のニット層２５５２および第２のニット層２５５４に共通する連続ニット層を備えていてもよいため、ニット構成要素２５４０の共通縁部２５５６が、図２の共通縁部２１０、図２１の共通縁部２１５６および共通縁部２４５６と同様に機能してもよいことは正しく認識されるであろう。
【０１７２】
区画線２５１３は、ニット構成要素２５４０のかかと部を通っている。参照図２５０１〜参照図２５０２におけるマッピング区画線２５１３は、中間層ニットステッチライン２５５０が、中心ライン２５５１からの距離２５３１において、第１のニット層２５５２と第２のニット層２５５４とを相互に接続している、対向する１つのペアのノードを有する、大略的に平らな２層構造２５２３の形態のニット布地要素２５００の断面を示す。
【０１７３】
区画線２５１４は、ニット構成要素２５４０の足首開口部に近接するクロージャ構造２５７０の部分を通っている。参照図２５０１〜参照図２５０２におけるマッピング区画線２５１４は、中間層ニットステッチライン２５５０が、中心ライン２５５１からの距離２５３２において、第１のニット層２５５２と第２のニット層２５５４とを相互に接続している、対向する１つのペアのノードを有する、大略的に平らな２層構造２５２４の形態のニット布地要素２５００の断面を示す。
【０１７４】
区画線２５１５は、ニット構成要素２５４０の足先部２５５８に近接するクロージャ構造２５７０の部分を通っている。参照図２５０１〜参照図２５０２におけるマッピング区画線２５１５は、中間層ニットステッチライン２５５０が、中心ライン２５５１からの距離２５３３において、第１のニット層２５５２と第２のニット層２５５４とを相互に接続している、対向する１つのペアのノードを有する、大略的に平らな２層構造２５２５の形態のニット布地要素２５００の断面を示す。
【０１７５】
区画線２５１６は、ニット構成要素２５４０の足先部２５５８を通っている。参照図２５０１〜参照図２５０２におけるマッピング区画線２５１６は、共通縁部２５５６の１つのペアと、中間層ニットステッチライン２５５０が、中心ライン２５５１からの距離２５３４において、第１のニット層２５５２と第２のニット層２５５４とを相互に接続している、対向する１つのペアのノードとを有する、大略的に平らな２層構造２５２６の形態のニット布地要素２５００の断面を示す。
【０１７６】
区画線２５１７は、ニット構成要素２５４０の足先部２５５８を通っている。参照図２５０１〜参照図２５０２におけるマッピング区画線２５１７は、共通縁部２５５６の１つのペアと、中間層ニットステッチライン２５５０が、中心ライン２５５１からの距離２５３５において、第１のニット層２５５２と第２のニット層２５５４とを相互に接続している、対向する１つのペアのノードとを有する、大略的に平らな２層構造２５２７の形態のニット布地要素２５００の断面を示す。
【０１７７】
区画線２５１８は、ニット構成要素２５４０の足先部２５５８に接触して接線方向に延びている。参照図２５０１〜参照図２５０２におけるマッピング区画線２５１８は、中間層ニットステッチライン２５５０が、中心ライン２５５１からの距離２５３６において、第１のニット層２５５２と第２のニット層２５５４とを相互に接続している、対向する１つのペアのノード（参照図２５０２の２層構造２５２８における、対向する１つのペアのピンチ部として示す）を有する、大略的に平らな２層構造２５２８の形態のニット布地要素２５００の断面を示す。
【０１７８】
区画線２５１９は、中間層ニットステッチライン２５５０によって画定されたニット構成要素２５４０の周囲境界の外側で、ニット構成要素２５４０の下のニット布地要素２５００を通っている。したがって、参照図２５０１〜参照図２５０２におけるマッピング区画線２５１９は、ニット構成要素２５４０に関連する形状構成を有していない平らな２層構造２５２９の形態のニット布地要素２５００の断面を示す。同様に、参照図２５０３，２５０４および２５０５は、区画線２５１９に沿ったニット構成要素２５４０に関連する形状構成を示していない。
【０１７９】
ニット構成要素２５４０は、何らかの公知のまたは後に開発された取外しまたは分離プロセスによって、ニット布地要素２５００から取り外してもよい。たとえば、いくつかの実施形態では、ニット構成要素２５４０は、分離プロセス、たとえば、図２〜図８に関して上述したように、裁断プロセスを用いて、ニット構成要素２５４０の中間層ニットステッチライン２５５０に沿ってニット布地要素２５００を分離することにより、布地要素２５００から取り外すか、または分離してもよい。
【０１８０】
取外し後のニット構成要素２５４０は、参照図２５０３〜２５０８に大略的に図示されているように、シームレスブーティまたは布地アッパーを形成するように操作しおよび／または伸張させてもよい。
【０１８１】
図２６〜図３０は、第１のまたは一番目の（たとえば、外側の）ニット構成要素２５６０内に第２のまたは二番目の（たとえば、内側の）ニット構成要素２５６２を折り込むか、または押し込むための、取外し後の図２５のニット構成要素２５４０のための任意の反転プロセスを模式的に示す。
【０１８２】
図２６は、最初の取外し後の状態のニット構成要素２５４０を示す。図２６は、反転プロセスの前の、一番目の（外側の）ニット構成要素２５６２の上に配置された二番目の（内側の）ニット構成要素２５６２を示す。
【０１８３】
図２７は、二番目の（内側の）ニット構成要素２５６２の足先部２５５７が、二番目の（内側の）ニット構成要素２５６２の第１のニット層２５５２と第２のニット層２５５４との間に形成された空洞内に、矢印２７１０の方向に押し込まれている状態のニット構成要素２５４０を示す。図２７に図示されているように、二番目の（内側の）ニット構成要素２５６２の足先部２５５７は、その後、点線矢印２７２０の方向にさらに下方に押し込まれ、および、一番目の（外側の）ニット構成要素２５６０の一番目の足先部２５５８において、一番目の（外側の）ニット構成要素２５６０の第１のニット層２５５２と第２のニット層２５５４との間に形成された空洞内に、（仮想的に示す）二番目の（内側の）ニット構成要素２５６２の足先部２５５７を押し込むように、その矢印方向に回って戻される。
【０１８４】
図２８は、点線矢印２８１０の方向にさらに押し込まれ、第１の（内側の）ニット構成要素２５６０の足先部２５５８にさらに押し込まれている（仮想的に図示されている）二番目の（内側の）ニット構成要素２５６２の足先部２５５７を示す。図２８はさらに、一番目の（外側の）ニット構成要素２５６０の第１のニット層２５５２と第２のニット層２５５４との間に形成された空洞内に、矢印２８２０の方向に押し込まれている二番目の（内側の）ニット構成要素２５６２のかかと部２５６３を示す。二番目の（内側の）ニット構成要素２５６２のかかと部２５６３は、その後、一番目の（外側の）ニット構成要素２５６０のかかと部２５６４において、第１のニット層２５５２と第２のニット層２５４との間に形成された空洞内に、点線矢印２８３０の方向にさらに押し込まれる。
【０１８５】
図２９は、一番目の（外側の）ニット構成要素２５６０の一番目の足先部２５５８の第１のニット層２５５２と第２のニット層２５５４との間に形成された空洞内に、二番目の（内側の）ニット部分２５６２の足先部２５５７を実質的に押し込むように、点線矢印２９１０の方向にさらに押し込まれている二番目の（内側の）ニット構成要素２５６２の足先部２５５７を示す。図２９は、二番目の（内側の）ニット部分２５６２のかかと部２５６３を、一番目の（外側の）ニット構成要素２５６０のかかと部２５６４に実質的に押し込むように、点線矢印２９２０の方向にさらに押し込まれている（仮想的に図示されている）かかと部２５６３を示す。
【０１８６】
図３０は、完全に反転された、折り込まれた、または、一番目の（外側の）ニット構成要素２５６０内に押し込まれた（仮想的に図示されている）二番目の（内側の）ニット構成要素２５６２を示す。この構成の場合、ニット構成要素２５６２およびニット構成要素２５６０は、履物製品の布地アッパーから成るブーティ・イン・ブーティ構造を形成してもよい。
【０１８７】
いくつかの実施形態では、二番目の（内側の）ニット構成要素２５６２のサイズおよび構造は、一番目の（外側の）ニット構成要素２５６０のサイズおよび構造と実質的に同じであってもよい。しかし、いくつかの実施形態では、二番目の（内側の）ニット構成要素２５６２のサイズは、（たとえば、許容差適合のために）一番目の（外側の）ニット構成要素２５６０のサイズよりもわずかに小さく作製してもよいことは正しく認識されるであろう。いくつかの実施形態では、一番目の（外側の）ニット構成要素２５６０は、二番目の（内側の）ニット構成要素２５６２よりも大きく伸張してもよい。当業者は、所望のシームレスブーティまたは布地アッパーに適したサイジングおよび構成を容易に選択することができるであろう。
【０１８８】
ニット布地要素２５００およびニット構成要素２５４０の寸法は、図２１におけるニット構成要素２１００および図２４００におけるニット構成要素２４００に関して全般的に上述したように、ニット構成要素２５４０から形成されたシームレスブーティまたは布地アッパーに、所望のサイジングおよび／またはカスタムフィットおよびパフォーマンス特性をもたらすように選択してもよい。たとえば、寸法２５３１〜２５３６は、所望のサイジングおよび／またはカスタムフィットをもたらすように選択してもよい。当業者は、ニット構成要素２５４０から形成されたシームレスブーティまたは布地アッパーの所望のサイジングおよび／またはカスタムフィットをもたらすのに適した、ニット構成要素２５４０のための寸法を容易に選択することができるであろう。
【０１８９】
参照図２５０３〜２５０５は、一番目の（外側の）ニット構成要素２５６０および二番目の（内側の）ニット構成要素２５６２を含むニット構成要素２５４０から形成されたシームレスブーティまたは布地アッパーを、内側輪郭図、底部輪郭図および外側輪郭図で示している。
【０１９０】
参照図２５０６は、ニット構成要素２５４０から形成されたシームレスブーティまたは布地アッパーを正面輪郭図で示している。参照図２５０７は、参照図２５０６の区画線２５０７−２５０７に沿ったシームレスブーティまたは布地アッパーの断面図であり、参照図２５０８は、参照図２５０６の区画線２５０８−２５０８に沿ったシームレスブーティまたは布地アッパーの断面図である。
【０１９１】
参照図２５０７に図示されているように、いくつかの実施形態では、ニット構成要素２５４０から形成されたシームレスブーティまたは布地アッパーは、足先部２５５７および２５５８に、２つの隣接する連続層を含んでいてもよい。すなわち、一番目または外側のニット構成要素２５６０および二番目または内側のニット構成要素２５６２の各々は、第１のニット層２５５２と、第１のニット層２５５４と、中間層ニットステッチライン２５５０とによって形成された連続ニット層を含んでもよい。いくつかの実施形態では、これら２つの層は隣接していてもよい。いくつかの実施形態では、二番目の（内側の）ニット構成要素２５６２のサイジングは、ダイナミックフィットによってカスタムフィットを容易にするように、より小さく作製してもよい。
【０１９２】
いくつかの実施形態では、ニット構成要素２５４０は、クロージャ部材２５７２と、二番目の（内側の）ニット構成要素２５６２のひも穴２５７３と、一番目の（外側の）ニット構成要素２５６０のひも穴２５７４と、締めひも２５７６とを含むクロージャシステム２５７０を含んでもよい。いくつかの実施形態では、参照図２５０８に図示されているように、二番目の（内側の）ニット構成要素２５６２のひも穴２５７３、および一番目の（外側の）ニット構成要素２５６０のひも穴２５７４は、共通の締めひも２５７６と位置合わせするか、または、その締めひもと整合させて構成してもよい。いくつかの実施形態では、二番目の（内側の）ニット構成要素２５６２の相対的サイジングと、一番目の（外側の）ニット構成要素２５６０のサイジングと、一番目の（外側の）ニット構成要素２５６０のソール構造（たとえば、図１のソール構造を参照）への任意の取付けとを制御することにより、二番目の（内側の）ニット構成要素２５６２は、共通の締めひも２５７６を用いて、ユーザの足のためのダイナミックフィットを実現することができる。
【０１９３】
〈ダイナミックフィット甲回りおよびかかと形状構成〉
図３１は、ニット布地要素３１００のニット構成要素３１４０の別の実施形態の形状構成を、そのニット構成要素から形成されたシームレスブーティまたは布地アッパーに模式的に対応付けている。いくつかの実施形態では、ニット布地要素３１００のニット構成要素３１４０は、連続クロージャ構造を用いたニットダイナミックフィット構成要素を含んでもよい。
【０１９４】
図３１において、符号３１０１は、ニット布地要素３１００の図を識別し（以後、参照図３１０１と呼ぶ）、および対応する図面にわたって、ニット布地要素３１００のニット構成要素３１４０のさまざまな形状構成および特徴を、符号３１０２，３１０３，３１０４および３１０５（以後、参照図３１０２，３１０３，３１０４および３１０５と呼ぶ）で模式的に対応付けている一連の区画線３１１１〜３１１９を含んでいる。参照図３１０２は、区画線３１１１〜３１１９に沿ったニット布地要素３１００のニット構成要素３１４０に関連する一連の断面図３１２１〜３１２９を示し、参照図３１０３は、取外しおよび反転プロセス後のニット構成要素３１４０の内側側面図を示し、参照図３１０４は、取外しおよび反転プロセス後のニット構成要素３１４０の底部平面図を示し、参照図３１０５は、取外しおよび反転プロセス後のニット構成要素３１４０の外側側面図を示す。符号３１０６は、取外しおよび反転プロセス後のニット構成要素３１４０の正面等角図を示す図であり（以後、参照図３１０６という）、符号３１０７は、参照図３１０６の区画線３１０７−３１０７に沿った足先部３１５８の断面図を示す図であり（以後、参照図３１０７という）、符号３１０８は、参照図３１０６の区画線３１０８−３１０８に沿ったニット構成要素３１４０の足先部３１５８の断面図を示す図である（以後、参照図３１０８という）。
【０１９５】
図２５のニット布地要素２５００と同様に、ニット布地要素３１００は、第１のニット層３１５２と、第１のニット層２５５２に重なっている第２のニット層３１５４とを含み、ニット布地要素３１００は、一体ワープニット構造から成る。参照図３１０１を参照すると、いくつかの実施形態では、第１のニット層３１５２は、製造または編みプロセスの方向に延びている共通開口部３１５３の共通縁部３１５６に沿って、第２のニット層３１５４と連続していてもよい。いくつかの実施形態では、ニット布地要素３１００が、図２および図２１におけるニット布地要素２００および２１００と同様の大略的に筒状の構造を有してもよく、また、いくつかの実施形態では、ニット布地要素３１００が、図２３および図２４におけるニット布地要素２３００および２４００と同様の大略的に平らな２層構造を有してもよいことは正しく認識されるであろう。簡略にするため、ニット布地要素３１００は、大略的に平らな２層構造に関して説明する。当業者は、（たとえば、図２および図２１に示すような）大略的に筒状の構造と、（たとえば、図２３および図２４に示すような）大略的に平らな２層構造との間でのさまざまな形状構成および部分の類似性および互換性を容易に正しく認識するであろう。
【０１９６】
区画線３１１１は、中間層ニットステッチライン３１５０によって画定されたニット構成要素３１４０の周囲境界の外側で、ニット構成要素３１４０の上のニット布地要素３１００を通っている。したがって、参照図３１０１〜参照図３１０２におけるマッピング区画線３１１１は、ニット構成要素３１４０に関連する形状構成を有していない平らな２層構造３１２１の形態のニット構成要素３１００の断面を示す。同様に、参照図３１０３，３１０４および３１０５は、区画線３１１１に沿ったニット構成要素３１４０に関連する形状構成を示していない。
【０１９７】
区画線３１１２は、ニット構成要素３１４０の後方かかと部を通っている。参照図３１０１〜参照図３１０２におけるマッピング区画線３１１２は、中間層ニットステッチライン３１５０が、ニット布地要素３１００の共通縁部３１５６に関連する中心ライン３１５１からの距離３１３０において、第１のニット層３１５２と第２のニット層３１５４とを相互に接続している、対向する１つのペアのノードを有する、大略的に平らな２層構造３１２２の形態のニット布地要素３１００の断面を示す。いくつかの実施形態では、共通縁部３１５６は、ニット布地要素３１００のニット構成要素３１４０の足先部３１５８の連続面にわたって第１のニット層３１５２および第２のニット層３１５４に共通する連続ニット層を備えていてもよいため、ニット構成要素３１４０の共通縁部３１５６が、図２の共通縁部２１０、図２１の共通縁部２１５６、図２４の共通縁部２４５６および図２５の共通縁部２５５６と同様に機能してもよいことは正しく認識されるであろう。
【０１９８】
区画線３１１３は、ニット構成要素３１４０のかかと部を通っている。参照図３１０１〜参照図３１０２におけるマッピング区画線３１１３は、中間層ニットステッチライン３１５０が、中心ライン３１５１からの距離３１３１において、第１のニット層３１５２と第２のニット層３１５４とを相互に接続している、対向する１つのペアのノードを有する、大略的に平らな２層構造３１２３の形態のニット布地要素３１００の断面を示す。
【０１９９】
区画線３１１４は、ニット構成要素３１４０の足首開口部に近接するクロージャ構造３１７０の部分を通っている。参照図３１０１〜参照図３１０２におけるマッピング区画線３１１４は、中間層ニットステッチライン３１５０が、中心ライン３１５１からの距離３１３２において、第１のニット層３１５２と第２のニット層３１５４とを相互に接続している、対向する１つのペアのノードを有する、大略的に平らな２層構造３１２４の形態のニット布地要素３１００の断面を示す。
【０２００】
区画線３１１５は、ニット構成要素３１４０の足先部３１５８に近接するクロージャ構造３１７０の部分を通っている。参照図３１０１〜参照図３１０２におけるマッピング区画線３１１５は、中間層ニットステッチライン３１５０が、中心ライン３１５１からの距離３１３３において、第１のニット層３１５２と第２のニット層３１５４とを相互に接続している、対向する１つのペアのノードを有する、大略的に平らな２層構造３１２５の形態のニット布地要素３１００の断面を示す。
【０２０１】
区画線３１１６は、ニット構成要素３１４０の足先部３１５８を通っている。参照図３１０１〜参照図３１０２におけるマッピング区画線３１１６は、共通縁部３１５６と、中間層ニットステッチライン３１５０が、中心ライン３１５１からの距離３１３４において、第１のニット層３１５２と第２のニット層３１５４とを相互に接続しているノードとを有する、大略的に平らな２層構造３１２６の形態のニット布地要素３１００の断面を示す。
【０２０２】
区画線３１１７は、ニット構成要素３１４０の足先部３１５８を通っている。参照図３１０１〜参照図３１０２におけるマッピング区画線３１１７は、中間層ニットステッチライン３１５０が、中心ライン３１５１からの距離３１３５において、第１のニット層３１５２と第２のニット層３１５４とを相互に接続している第１のノードと、中間層ニットライン３１５０が、第１のノードからの距離３１３６において、第１のニット層３１５２と第２のニット層３１５４とを相互に接続している第２のノードとを有する、大略的に平らな２層構造３１２７の形態のニット布地要素３１００の断面を示す。
【０２０３】
区画線３１１８は、ニット構成要素３１４０の足先部３１５８に接触して接線方向に延びている。参照図３１０１〜参照図３１０２におけるマッピング区画線３１１８は、中間層ニットステッチライン３１５０が、（参照図３１０２の２層構造３１２８におけるピンチとして図示されている）中心ライン１３５１からの距離３１３７において、第１のニット層３１５２と第２のニット層３１５４とを相互に接続している単一ノードを有する大略的に平らな２層構造３１２８の形態のニット布地要素３１００の断面を示す。
【０２０４】
区画線３１１９は、中間層ニットステッチライン３１５０によって画定されたニット構成要素３１４０の周囲境界の外側で、ニット構成要素３１４０の下のニット布地要素３１００を通っている。したがって、参照図３１０１〜参照図３１０２におけるマッピング区画線３１１９は、ニット構成要素３１４０に関連する形状構成を有していない平らな２層構造３１２９の形態のニット構成要素３１００の断面を示す。同様に、参照図３１０３，３１０４および３１０５は、区画線３１１９に沿ったニット構成要素３１４０に関連する形状構成を示していない。
【０２０５】
ニット構成要素３１４０は、何らかの公知のまたは後に開発された取外しまたは分離プロセスによって、ニット布地要素３１００から取り外してもよい。いくつかの実施形態では、ニット構成要素３１４０は、分離プロセス、たとえば、図２〜図８に関して上述したように、裁断プロセスを用いて、ニット構成要素３１４０の中間層ニットステッチライン３１５０に沿ってニット布地要素３１００を分離することにより、布地要素３１００から取り外すか、または分離してもよい。
【０２０６】
取外し後のニット構成要素３１４０は、参照図３１０３〜３１０８に大略的に図示されているように、シームレスブーティまたは布地アッパーを形成するように操作および／または伸張させてもよい。
【０２０７】
取外し後のニット構成要素３４０は、必要に応じて、図２６〜図３０と同様の方法で反転させるか、または押し込んでもよい。
【０２０８】
ニット布地要素３１００およびニット構成要素３１４０の寸法は、図２１におけるニット構成要素２１００および図２４００におけるニット構成要素２４００に関して全般的に上述したように、ニット構成要素３１４０から形成されたシームレスブーティまたは布地アッパーに、所望のサイジングおよび／またはカスタムフィットおよびパフォーマンス特性をもたらすように選択してもよい。たとえば、寸法３１３１〜３１３７は、所望のサイジングおよび／またはカスタムフィットをもたらすように選択してもよい。当業者は、ニット構成要素３１４０から形成されたシームレスブーティまたは布地アッパーの所望のサイジングおよび／またはカスタムフィットをもたらすのに適した、ニット構成要素３１４０のための寸法を容易に選択することができるであろう。
【０２０９】
参照図３１０３〜３１０５は、一番目または外側のニット構成要素３１６０と、二番目または内側のニット構成要素３１６２とを含むニット構成要素３１４０から形成されたシームレスブーティまたは布地アッパーを、内側輪郭図、底部輪郭図および外側輪郭図で示している。
【０２１０】
参照図３１０６は、ニット構成要素３１４０から形成されたシームレスブーティまたは布地アッパーを正面輪郭図で示している。参照図３１０７は、参照図３１０６の区画線３１０７−３１０７に沿ったシームレスブーティまたは布地アッパーの断面図であり、参照図３１０８は、参照図３１０６の区画線３１０８−３１０８に沿ったシームレスブーティまたは布地アッパーの断面図である。
【０２１１】
参照図３１０７に図示されているように、いくつかの実施形態では、ニット構成要素３１４０から形成されたシームレスブーティまたは布地アッパーは、足先部２５５８に、連続ニット層を含んでいてもよい。すなわち、一番目（外側）のニット構成要素３１６０は、第１のニット層３１５２と、第２のニット層３１５４と、中間層ニットステッチライン３１５０とによって形成された連続ニット層を含んでもよい。
【０２１２】
いくつかの実施形態では、ニット構成要素３１４０は、クロージャ部材３１７２と、二番目の（内側の）ニット構成要素３１６２のひも穴３１７３と、一番目の（外側の）ニット構成要素３１６０のひも穴３１７４と、締めひも３１７６とを含むクロージャシステム３１７０を含んでもよい。いくつかの実施形態では、参照図３１０８に図示されているように、二番目の（内側の）ニット構成要素３１６２のひも穴３１７３、および一番目の（外側の）ニット構成要素３１６０のひも穴３１７４は、共通の締めひも３１７６と位置合わせするか、または、その締めひもと整合させて構成してもよい。いくつかの実施形態では、二番目の（内側の）ニット構成要素３１６２の相対的サイジングと、一番目の（外側の）ニット構成要素３１６０のサイジングと、一番目の（外側の）ニット構成要素３１６０のソール構造（たとえば、図１のソール構造を参照）への任意の取付けとを制御することにより、二番目の（内側の）ニット構成要素３１６２は、共通の締めひも３１７６を用いて、ユーザの足のためのダイナミックフィットを実現することができる。
【０２１３】
〈ダイナミックフィット甲回り形状構成〉
図３２は、ニット布地要素３２００のニット構成要素３２４０の別の実施形態の形状構成を、そのニット構成要素から形成されたシームレスブーティまたは布地アッパーに模式的に対応付けている。いくつかの実施形態では、ニット布地要素３２００のニット構成要素３２４０は、連続クロージャ構造を用いたニットダイナミックフィットミッドソール構成要素を含んでもよい。
【０２１４】
図３２において、符号３２０１は、ニット布地要素３２００の図を識別し（以後、参照図３２０１と呼ぶ）、および対応する図面にわたって、ニット布地要素３２００のニット構成要素３２４０のさまざまな形状構成および特徴を、符号３２０２，３２０３，３２０４および３２０５（以後、参照図３２０２，３２０３，３２０４および３２０５と呼ぶ）で模式的に対応付けている一連の区画線３２１１〜３２１９を含んでいる。参照図３２０２は、区画線３２１１〜３２１９に沿ったニット布地要素３２００のニット構成要素３２４０に関連する一連の断面図３２２１〜３２２９を示す。参照図３２０３は、取外しおよび押し込み後のニット構成要素３２４０の内側側面図を示し、参照図３２０４は、取外しおよび押し込み後のニット構成要素３２４０の底部平面図を示し、参照図２０５は、取外しおよび押し込み後のニット構成要素３２４０の外側側面図を示す。符号３２０６は、ニット構成要素３２４０の正面等角図を示し（以後、参照図３２０６という）、符号３２０７は、参照図３２０６の区画線３２０７−３２０７に沿った足先部３２５８の断面図を示す図であり（以後、参照図３２０７という）、符号３２０８は、参照図３２０６の区画線３２０８−３２０８に沿ったニット構成要素３２４０の足先部３２５８の断面図を示す図である（以後、参照図３２０８という）。
【０２１５】
図２５のニット布地要素２５００と同様に、ニット布地要素３２００は、第１のニット層３２５２と、第１のニット層２２５２に重なっている第２のニット層３２５４とを含み、ニット布地要素３２００は、一体ワープニット構造から成る。参照図３２０１を参照すると、いくつかの実施形態では、第１のニット層３２５２は、製造または編みプロセスの方向に延びている共通開口部３２５３の共通縁部３２５６に沿って、第２のニット層３２５４と連続していてもよい。いくつかの実施形態では、第１のニット層３２５２は、製造または編みプロセスの方向に延びている共通開口部３２８２の共通縁部３２８０に沿って、第２のニット層３２５４と連続していてもよい。いくつかの実施形態では、ニット布地要素３２００が、図２および図２１におけるニット布地要素２００および２１００と同様の大略的に筒状の構造を有してもよく、また、いくつかの実施形態では、ニット布地要素３２００が、図２３および図２４におけるニット布地要素２３００および２４００と同様の大略的に平らな２層構造を有してもよいことは正しく認識されるであろう。簡略にするため、ニット布地要素３２００は、大略的に平らな２層構造に関して説明する。当業者は、（たとえば、図２および図２１に示すような）大略的に筒状の構造と、（たとえば、図２３および図２４に示すような）大略的に平らな２層構造との間でのさまざまな形状構成および部分の類似性および互換性を容易に正しく認識するであろう。
【０２１６】
区画線３２１１は、中間層ニットステッチライン３２５０によって画定されたニット構成要素３２４０の周囲境界の外側で、ニット構成要素３２４０の上のニット布地要素３２００を通っている。したがって、参照図３２０１〜参照図３２０２におけるマッピング区画線３２１１は、ニット構成要素３２４０に関連する形状構成を有していない平らな２層構造３２２１の形態のニット構成要素３２００の断面を示す。同様に、参照図３２０３，３２０４および３２０５は、区画線３２１１に沿ったニット構成要素３２４０に関連する形状構成を示していない。
【０２１７】
区画線３２１２は、ニット構成要素３２４０の後方かかと部を通っている。参照図３２０１〜参照図３２０２におけるマッピング区画線３２１２は、共通縁部３２８０と、中間層ニットステッチライン３２５０が、ニット布地要素３２００の共通縁部３２８０に関連する中心ライン３２５１からの距離３２３１において、第１のニット層３２５２と第２のニット層３２５４とを相互に接続しているノードとを有する、大略的に平らな２層構造３２２２の形態のニット布地要素３２００の断面を示す。いくつかの実施形態では、共通縁部３２８０は、ニット布地要素３２００のニット構成要素３２４０に対して足首開口部を分離および形成するのに適した第１のニット層３２５２および第２のニット層３２５４に共通する連続ニット層を備えていてもよいため、ニット構成要素３２４０の共通縁部３２８０が、図２の共通縁部２１０、図２１の共通縁部２１５６、図２４の共通縁部２４５６および図２５の共通縁部２５５６と同様に機能してもよいことは正しく認識されるであろう。
【０２１８】
区画線３２１３は、ニット構成要素３２４０のかかと部を通っている。参照図３２０１〜参照図３２０２におけるマッピング区画線３２１３は、共通縁部３２８０と、中間層ニットステッチライン３２５０が、ニット布地要素３２００の共通縁部３２８０に関連する中心ライン３２５１からの距離３２３２において、第１のニット層３２５２と第２のニット層３２５４とを相互に接続しているノードとを有する、大略的に平らな２層構造３２２３の形態のニット布地要素３２００の断面を示す。
【０２１９】
区画線３２１４は、ニット構成要素３２４０の足首開口部に近接するクロージャ構造３２７０の部分を通っている。参照図３２０１〜参照図３２０２におけるマッピング区画線３２１４は、中間層ニットステッチライン３２５０が、中心ライン３２５１からの距離３２３３において、第１のニット層３２５２と第２のニット層３２５４とを相互に接続している、対向する１つのペアのノードを有する、大略的に平らな２層構造３２２４の形態のニット布地要素３２００の断面を示す。
【０２２０】
区画線３１１５は、ニット構成要素３２４０の足先部３２５８に近接するクロージャ構造３２７０の部分を通っている。参照図３２０１〜参照図３２０２におけるマッピング区画線３２１５は、中間層ニットステッチライン３２５０が、中心ライン３２５１からの距離３２３４において、第１のニット層３２５２と第２のニット層３２５４とを相互に接続している、対向する１つのペアのノードを有する、大略的に平らな２層構造３２２５の形態のニット布地要素３２００の断面を示す。
【０２２１】
区画線３２１６は、ニット構成要素３２４０の足先部３２５８を通っている。参照図３２０１〜参照図３２０２におけるマッピング区画線３２１６は、共通縁部３２５６と、中間層ニットステッチライン３２５０が、中心ライン３２５１からの距離３２３５において、第１のニット層３２５２と第２のニット層３２５４とを相互に接続しているノードとを有する、大略的に平らな２層構造３２２６の形態のニット布地要素３２００の断面を示す。
【０２２２】
区画線３２１７は、ニット構成要素３２４０の足先部３２５８を通っている。参照図３２０１〜参照図３２０２におけるマッピング区画線３２１７は、中間層ニットステッチライン３２５０が、中心ライン３２５１からの距離３２３６において、第１のニット層３２５２と第２のニット層３２５４とを相互に接続している第１のノードと、中間層ニットライン３２５０が、第１のノードからの距離３２３７において、第１のニット層３２５２と第２のニット層３２５４とを相互に接続しているノードとを有する、大略的に平らな２層構造３２２７の形態のニット布地要素３２００の断面を示す。
【０２２３】
区画線３２１８は、ニット構成要素３２４０の足先部３２５８に接触して接線方向に延びている。参照図３２０１〜参照図３２０２におけるマッピング区画線３２１８は、中間層ニットステッチライン３２５０が、（参照図３２０２の２層構造３２２８におけるピンチとして図示されている）中心ライン３２５１からの距離３２３８において、第１のニット層３２５２と第２のニット層３２５４とを相互に接続している単一ノードを有する、大略的に平らな２層構造３２２８の形態のニット布地要素３２００の断面を示す。
【０２２４】
区画線３２１９は、中間層ニットステッチライン３２５０によって画定されたニット構成要素３２４０の周囲境界の外側で、ニット構成要素３２４０の下のニット布地要素３２００を通っている。したがって、参照図３２０１〜参照図３２０２におけるマッピング区画線３２１９は、ニット構成要素３２４０に関連する形状構成を有していない平らな２層構造３２２９の形態のニット構成要素３２００の断面を示す。同様に、参照図３２０３，３２０４および３２０５は、区画線３２１９に沿ったニット構成要素３２４０に関連する形状構成を示していない。
【０２２５】
ニット構成要素３２４０は、何らかの公知のまたは後に開発された取外しまたは分離プロセスによって、ニット布地要素３２００から取り外してもよい。いくつかの実施形態では、ニット構成要素３２４０は、分離プロセス、たとえば、図２〜図８に関して上述したように、裁断プロセスを用いて、ニット構成要素３２４０の中間層ニットステッチライン３２５０に沿ってニット布地要素３２００を分離することにより、布地要素３２００から取り外すか、または分離してもよい。さらに、ニット構成要素３２４０は、何らかの公知のまたは後に開発された分離プロセスによって、共通開口部３２８２の共通縁部３２８０に沿って分離して、足首開口部を形成してもよい。たとえば、いくつかの実施形態では、共通縁部３２８０は、１つ以上の編み込み指示部を備えていてもよく、また、ニット構成要素３２４０は、その編み込み指示部に沿って分離して、足首開口部を形成してもよい。
【０２２６】
取外し後のニット構成要素３２４０は、参照図３２０３〜３２０８に大略的に図示されているように、シームレスブーティまたは布地アッパーを形成するように操作および／または伸張させてもよい。
【０２２７】
取外し後のニット構成要素３２４０は、必要に応じて、図２６〜図３０と同様の方法で反転させるか、または押し込んでもよい。
【０２２８】
ニット布地要素３２００およびニット構成要素３２４０の寸法は、図２１におけるニット構成要素２１００および図２４００におけるニット構成要素２４００に関して全般的に上述したように、ニット構成要素３２４０から形成されたシームレスブーティまたは布地アッパーに、所望のサイジングおよび／またはカスタムフィットおよびパフォーマンス特性をもたらすように選択してもよい。たとえば、寸法３２３１〜３２３８は、所望のサイジングおよび／またはカスタムフィットをもたらすように選択してもよい。当業者は、ニット構成要素３２４０から形成されたシームレスブーティまたは布地アッパーの所望のサイジングおよび／またはカスタムフィットをもたらすのに適した、ニット構成要素３２４０のための寸法を容易に選択することができるであろう。
【０２２９】
参照図３２０３〜３２０５は、一番目または外側のニット構成要素３２６０と、二番目または内側のニット構成要素３２６２とを含むニット構成要素３２４０から形成されたシームレスブーティまたは布地アッパーを、内側輪郭図、底部輪郭図および外側輪郭図で示している。
【０２３０】
参照図３２０６は、取外しおよび押し込み後の、ニット構成要素３２４０から形成されたシームレスブーティまたは布地アッパーを正面輪郭図で示している。参照図３２０７は、参照図３２０６の区画線３２０７−３２０７に沿ったシームレスブーティまたは布地アッパーの断面図であり、参照図３２０８は、参照図３２０６の区画線３２０８−３２０８に沿ったシームレスブーティまたは布地アッパーの断面図である。
【０２３１】
参照図３２０７に図示されているように、いくつかの実施形態では、ニット構成要素３２４０から形成されたシームレスブーティまたは布地アッパーは、足先部３２５８に、連続ニット層を含んでいてもよい。すなわち、一番目（外側）のニット構成要素３２６０は、第１のニット層３２５２と、第２のニット層３２５４と、中間層ニットステッチライン３２５０とによって形成された連続ニット層を含んでもよい。
【０２３２】
いくつかの実施形態では、ニット構成要素３２４０は、クロージャ部材３２７２と、二番目の（内側の）ニット構成要素３２６２のひも穴３２７３と、一番目の（外側の）ニット構成要素３２６０のひも穴３２７４と、締めひも３２７６とを含むクロージャシステム３２７０を含んでもよい。いくつかの実施形態では、参照図３２０８に図示されているように、二番目の（内側の）ニット構成要素３２６２のひも穴３２７３、および一番目の（外側の）ニット構成要素３２６０のひも穴３２７４は、共通の締めひも３２７６と位置合わせするか、または、その締めひもと整合させて構成してもよい。いくつかの実施形態では、二番目の（内側の）ニット構成要素３２６２の相対的サイジングと、一番目の（外側の）ニット構成要素３２６０のサイジングと、一番目の（外側の）ニット構成要素３２６０のソール構造（たとえば、図１のソール構造を参照）への任意の取付けとを制御することにより、二番目の（内側の）ニット構成要素３２６２は、共通の締めひも３２７６を用いて、ユーザの足のためのダイナミックフィットを実現することができる。
【０２３３】
図３３は、ニット構成要素を組み込んだ履物製品のためのクロージャ、テンショニングおよび／またはダイナミックフィット構造の追加的な実施形態を示す模式断面図である。いくつかの実施形態では、図３３に図示されている構造は、図２５、図３１および図３２に図示されているニット構成要素の実施形態に対応していてもよい。いくつかの実施形態では、図３３に図示されている構造は、シームレスブーティまたは布地アッパーの他の実施形態に対応していてもよい。
【０２３４】
いくつかの実施形態では、図３３の左側または内側側部３３１０に図示されているように、ニット構成要素３３４０は、シームレスブーティまたは布地アッパーの連続した二重壁構造を形成するように、共通縁部３３２２において、それ自体の上に折り返されている（たとえば、押し込まれている）単一のニット層３３２０を含んでいてもよい。いくつかの実施形態では、単一のニット層３３２２は、縁部３３２２に近接して形成された第１のひも穴（ホール）３３２４と、縁部３３２２からの距離３３２８に形成された第２のひも穴（ホール）３３２６とを備えてもよい。いくつかの実施形態では、第２のひも穴３３２６は、図３３に図示されているように、露出した外側の層３３３０に形成してもよい。いくつかの実施形態では、第２のひも穴３３２６は、内側の層３３３２に形成してもよい。距離３３２８は、クロージャの全体構造、テンショニング、または、履物製品のダイナミックフィット構造を含むさまざまな要因に基づいて変えてもよい。当業者は、所望のクロージャ、テンショニング、または、シームレスブーティまたは布地アッパーのダイナミックフィット構造またはシステムに適した第１のひも穴３３２４および第２のひも穴３３２６の構成を容易に選択することができるであろう。
【０２３５】
いくつかの実施形態では、図３３の右側または外側側部３３１２に図示されているように、ニット構成要素３３４０は、露出した第１のニット層３３３０と、内部の第２のニット層３３３２とを有していてもよい。いくつかの実施形態では、第１のニット層３３３０および第２のニット層３３３２は、シームレスブーティまたは布地アッパーの二重壁構造を形成するように、互いに実質的に平行に配置してもよい。いくつかの実施形態では、第１のニット層３３３０および第２のニット層３３３２の一方は、第１の層および第２の層の他方のクロージャ部材（たとえば、タブ、フィンガ、リボンまたは他のクロージャ構造）を、そこを通して送り込むことができる開口部（たとえば、ホールまたはスロット）を備えていてもよい。いくつかの実施形態では、クロージャ部材は、クロージャまたはテンショニングシステムの締めひもまたは他のテンショニング構造（たとえば、ケーブル類）を収容するためのひも穴（ホール）を備えていてもよい。たとえば、図３３に図示されているように、いくつかの実施形態では、露出した第１のニット層３３３０は、内部の第２のニット層３３３２のタブまたはフィンガ構成要素３３３６を収容するためのスロット３３３４を備えていてもよく、また、内部の第２のニット層はさらに、締めひも３３４６を収容するためのひも穴（ホール）３３３８を備えていてもよい。この場合、締めひも３３４６は、シームレスブーティまたは布地アッパーのニット構成要素３３４０の露出した外側面に設けてもよい。
【０２３６】
しかし、いくつかの実施形態では、内部のニット層は、露出した外側のニット層のクロージャ部材（たとえば、タブまたはフィンガ構成要素）を収容するための開口部（たとえば、スロットまたはホール）を備えていてもよく、また、露出した外側のニット層のクロージャ部材は、二重壁シームレスブーティまたは布地アッパーの内側面に設けられた締めひもまたは他のテンショニング構造を収容するためのひも穴を備えていてもよい。当業者は、所望の用途に適したクロージャ、テンショニングおよび／またはダイナミックフィット構造および構成を容易に選択することができるであろう。
【０２３７】
また、図３３（すなわち、外側側部３３１２）に図示されているように、いくつかの実施形態では、第１のニット層３３３０と第２のニット層３３３２との間に形成されたポケット内に、インサート部材３３６０を配置してもよい。たとえば、インサート部材３３６０は、ニット構成要素の中足領域に配置されたアーチサポートであってもよい。
【０２３８】
〈ガセットベロ形状構成〉
図３４は、ニット布地要素３４００のニット構成要素３４４０の別の実施形態の形状構成を、押し込み部を含むニット構成要素から形成されたシームレスブーティまたは布地アッパーに模式的に対応付けている。いくつかの実施形態では、ニット布地要素３４００のニット構成要素３４４０は、連続クロージャ構造を用いたニットガセットベロ構成要素を含んでもよい。
【０２３９】
図３４において、符号３４０１は、ニット布地要素３４００の図を識別し（以後、参照図３４０１と呼ぶ）、および対応する図面にわたって、ニット布地要素３４００のニット構成要素３４４０のさまざまな形状構成および特徴を、符号３４０２，３４０３，３４０４および３４０５（以後、参照図３４０２，３４０３，３４０４および３４０５と呼ぶ）で模式的に対応付けている一連の区画線３４１１〜３４１９を含んでいる。参照図３４０２は、区画線３４１１〜３４１９に沿ったニット布地要素３４００のニット構成要素３４４０に関連する一連の断面図３４２１〜３４２９を示す。参照図３４０３は、取外しおよび押し込み後のニット構成要素３４４０の内側側面図を示し、参照図３４０４は、取外しおよび押し込み後のニット構成要素３４４０の底部平面図を示し、参照図３４０５は、取外しおよび押し込み後のニット構成要素３４４０の外側側面図を示す。符号３４０６は、取外しおよび押し込み後のニット構成要素３４４０の正面等角図を示す図（以後、参照図３４０６という）であり、符号３４０７は、参照図３４０６の区画線３４０７−３４０７に沿った足先部３４５８の断面図を示す図であり（以後、参照図３４０７という）、符号３４０８は、参照図３４０６の区画線３４０８−３４０８に沿ったニット構成要素３４４０の足先部３４５８の断面図を示す図である（以後、参照図３４０８という）。
【０２４０】
図２５のニット布地要素２５００と同様に、ニット布地要素３４００は、第１のニット層３４５２と、第１のニット層３４５２に重なっている第２のニット層３４５４とを含み、ニット布地要素３４００は、一体ワープニット構造から成る。参照図３４０１を参照すると、いくつかの実施形態では、第１のニット層３４５２は、製造または編みプロセスの方向に延びている共通開口部３４５３の共通縁部３４５６に沿って、第２のニット層３４５４と連続していてもよい。いくつかの実施形態では、第１のニット層３４５２は、製造または編みプロセスの方向に延びている共通開口部３４８２の共通縁部３４８０に沿って、第２のニット層３４５４と連続していてもよい。いくつかの実施形態では、ニット布地要素３４００が、図２および図２１におけるニット布地要素２００および２１００と同様の大略的に筒状の構造を有してもよく、また、いくつかの実施形態では、ニット布地要素３４００が、図２３および図２４におけるニット布地要素２３００および２４００と同様の大略的に平らな２層構造を有してもよいことは正しく認識されるであろう。
【０２４１】
簡略にするため、ニット布地要素３４００は、大略的に平らな２層構造に関して説明する。当業者は、（たとえば、図２および図２１に示すような）大略的に筒状の構造と、（たとえば、図２３および図２４に示すような）大略的に平らな２層構造との間でのさまざまな形状構成および部分の類似性および互換性を容易に正しく認識するであろう。
【０２４２】
区画線３４１１は、中間層ニットステッチライン３４５０によって画定されたニット構成要素３４４０の周囲境界の外側で、ニット構成要素３４４０の上のニット布地要素３４００を通っている。したがって、参照図３４０１〜参照図３４０２におけるマッピング区画線３４１１は、ニット構成要素３４４０に関連する形状構成を有していない平らな２層構造３４２１の形態のニット構成要素３４００の断面を示す。同様に、参照図３４０３，３４０４および３４０５は、区画線３４１１に沿ったニット構成要素３４４０に関連する形状構成を示していない。
【０２４３】
区画線３４１２は、ニット構成要素３４４０の後方かかと部を通っている。参照図３４０１〜参照図３４０２におけるマッピング区画線３４１２は、共通縁部３４８０と、中間層ニットステッチライン３４５０が、ニット布地要素３４００の共通縁部３４８０に関連する中心ライン３４５１からの距離３４３１において、第１のニット層３４５２と第２のニット層３４５４とを相互に接続しているノードとを有する、大略的に平らな２層構造３４２２の形態のニット布地要素３４００の断面を示す。いくつかの実施形態では、共通縁部３４８０は、ニット布地要素３４００のニット構成要素３４４０に対して足首開口部を分離および形成するのに適した第１のニット層３４５２および第２のニット層３４５４に共通する連続ニット層を備えていてもよいため、ニット構成要素３４４０の共通縁部３４８０が、図２の共通縁部２１０、図２１の共通縁部２１５６、図２４の共通縁部２４５６および図２５の共通縁部２５５６と同様に機能してもよいことは正しく認識されるであろう。
【０２４４】
区画線３４１３は、ニット構成要素３４４０のかかと部を通っている。参照図３４０１〜参照図３４０２におけるマッピング区画線３４１３は、共通縁部３４８０と、中間層ニットステッチライン３４５０が、ニット布地要素３４００の共通縁部３４８０に関連する中心ライン３４５１からの距離３４３２において、第１のニット層３４５２と第２のニット層３４５４とを相互に接続しているノードとを有する、大略的に平らな２層構造３４２３の形態のニット布地要素３４００の断面を示す。
【０２４５】
区画線３４１４は、ニット構成要素３４４０の足首開口部に近接するクロージャ構造３４７０の部分を通っている。参照図３４０１〜参照図３４０２におけるマッピング区画線３４１４は、中間層ニットステッチライン３４５０が、シームレスブーティまたは布地アッパー３４６０の本体に対応する、中心ライン３４５１の一方の側の距離３４３３において、およびシームレスブーティまたは布地アッパー３４６０のガセットベロ部分３４６２に対応する、中心ライン３４５１の他方の側の距離３４３４において、第１のニット層３４５２と第２のニット層３４５４とを相互に接続している、非対称的に配置された対向する１つのペアのノードを有する、大略的に平らな２層構造３４２４の形態のニット布地要素３４００の断面を示す。
【０２４６】
区画線３４１５は、ニット構成要素３４４０の足先部３４５８に近接するクロージャ構造３４７０の部分を通っている。参照図３４０１〜参照図３４０２におけるマッピング区画線３４１５は、中間層ニットステッチライン３４５０が、シームレスブーティまたは布地アッパー３４６０の本体に対応する、中心ライン３４５１の一方の側の距離３４３５において、およびシームレスブーティまたは布地アッパー３４６０のガセットベロ部分３４６２に対応する、中心ライン３４５１の他方の側の距離３４３６において、第１のニット層３４５２と第２のニット層３４５４とを相互に接続している、非対称的に配置された対向する１つのペアのノードを有する、大略的に平らな２層構造３４２５の形態のニット布地要素３４００の断面を示す。
【０２４７】
区画線３４１６は、ニット構成要素３４４０の足先部３４５８を通っている。参照図３４０１〜参照図３４０２におけるマッピング区画線３４１６は、共通縁部３４５６と、中間層ニットステッチライン３４５０が、中心ライン３４５１からの距離３４３７において、第１のニット層３４５２と第２のニット層３４５４とを相互に接続しているノードとを有する、大略的に平らな２層構造３４２６の形態のニット布地要素３４００の断面を示す。
【０２４８】
区画線３４１７は、ニット構成要素３４４０の足先部３４５８を通っている。参照図３４０１〜参照図３４０２におけるマッピング区画線３４１７は、中間層ニットステッチライン３４５０が、中心ライン３４５１からの距離３４３８において、第１のニット層３４５２と第２のニット層３４５４とを相互に接続している第１のノードと、中間層ニットライン３４５０が、第１のノードからの距離３４３９において、第１のニット層３４５２と第２のニット層３４５４とを相互に接続している第２のノードとを有する、大略的に平らな２層構造３４２７の形態のニット布地要素３４００の断面を示す。
【０２４９】
区画線３４１８は、ニット構成要素３４４０の足先部３４５８に接触して接線方向に延びている。参照図３４０１〜参照図３４０２におけるマッピング区画線３４１８は、中間層ニットステッチライン３４５０が、（参照図３４０２の２層構造３４２８におけるピンチとして図示されている）中心ライン３４５１からの距離３４４１において、第１のニット層３４５２と第２のニット層３４５４とを相互に接続している単一ノードを有する、大略的に平らな２層構造３４２８の形態のニット布地要素３４００の断面を示す。
【０２５０】
区画線３４１９は、中間層ニットステッチライン３４５０によって画定されたニット構成要素３４４０の周囲境界の外側で、ニット構成要素３４４０の下のニット布地要素３４００を通っている。したがって、参照図３４０１〜参照図３４０２におけるマッピング区画線３４１９は、ニット構成要素３４４０に関連する形状構成を有していない平らな２層構造３４２９の形態のニット構成要素３４００の断面を示す。同様に、参照図３４０３，３４０４および３４０５は、区画線３４１９に沿ったニット構成要素３４４０に関連する形状構成を示していない。
【０２５１】
ニット構成要素３４４０は、何らかの公知のまたは後に開発された取外しまたは分離プロセスによって、ニット布地要素３４００から取り外してもよい。いくつかの実施形態では、ニット構成要素３４４０は、分離プロセス、たとえば、図２〜図８に関して上述したように、裁断プロセスを用いて、ニット構成要素３４４０の中間層ニットステッチライン３４５０に沿ってニット布地要素３４００を分離することにより、布地要素３４００から取り外すか、または分離してもよい。さらに、ニット構成要素３４４０は、何らかの公知のまたは後に開発された分離プロセスによって、共通開口部３４８２の共通縁部３４８０に沿って分離して、足首開口部を形成してもよい。たとえば、いくつかの実施形態では、共通縁部３４８０は、１つ以上の編み込み指示部を備えていてもよく、また、ニット構成要素３４４０は、その編み込み指示部に沿って分離して、足首開口部を形成してもよい。
【０２５２】
取外し後のニット構成要素３４４０は、参照図３２０３〜３２０８に大略的に図示されているように、シームレスブーティまたは布地アッパーを形成するように操作および／または伸張させてもよい。
【０２５３】
取外し後のニット構成要素３２４０は、図２６〜図３０と同様の方法で反転させるか、または押し込んでもよい。
【０２５４】
ニット布地要素３４００およびニット構成要素３４４０の寸法は、図２１におけるニット構成要素２１００および図２４００におけるニット構成要素２４００に関して全般的に上述したように、ニット構成要素３４４０から形成されたシームレスブーティまたは布地アッパーに、所望のサイジングおよび／またはカスタムフィットおよびパフォーマンス特性をもたらすように選択してもよい。たとえば、寸法３４３１〜３１３９は、所望のサイジングおよび／またはカスタムフィットをもたらすように選択してもよい。当業者は、ニット構成要素３４４０から形成されたシームレスブーティまたは布地アッパーの所望のサイジングおよび／またはカスタムフィットをもたらすのに適した、ニット構成要素３４４０のための寸法を容易に選択することができるであろう。
【０２５５】
参照図３４０３〜３４０５は、ニットブーティ構成要素３４６０およびニットガセットベロ構成要素３４６２を含む、取外しおよび押し込み後のニット構成要素３４４０から形成されたシームレスブーティまたは布地アッパーを、内側輪郭図、底部輪郭図および外側輪郭図で示している。
【０２５６】
参照図３４０６は、取外しおよび押し込み後の、ニット構成要素３４４０から形成されたシームレスブーティまたは布地アッパーを正面輪郭図で示している。参照図３４０７は、参照図３４０６の区画線３４０７−３４０７に沿ったシームレスブーティまたは布地アッパーの断面図であり、参照図３４０８は、参照図３４０６の区画線３４０８−３４０８に沿ったシームレスブーティまたは布地アッパーの断面図である。
【０２５７】
参照図３４０７に図示されているように、いくつかの実施形態では、ニット構成要素３４４０から形成されたシームレスブーティまたは布地アッパーは、足先部３４５８に、連続ニット層を含んでいてもよい。すなわち、ニットブーティ構成要素３２６０は、第１のニット層３４５２と、第２のニット層３４５４と、中間層ニットステッチライン３４５０とによって形成された連続ニット層を含んでもよい。
【０２５８】
いくつかの実施形態では、ニット構成要素３４４０は、クロージャ部材３４７２と、ニットガセットベロ構成要素３２６２のひも穴３４７３と、ニットブーティ構成要素３４６０のひも穴３２７４と、締めひも３４７６とを含むクロージャシステム３４７０を含んでもよい。いくつかの実施形態では、参照図３４０８に図示されているように、ニットガセットベロ構成要素３４６２のひも穴３４７３と、ニット構成要素３４６０のひも穴３４７４とを、共通の締めひも３４７６と位置合わせしてもよい。
【０２５９】
〈タブ形状構成を備えたガセットベロ〉
図３５は、ニット布地要素３５００のニット構成要素３５４０の別の実施形態の形状構成を、押し込み部を含むニット構成要素から形成されたシームレスブーティまたは布地アッパーに模式的に対応付けている。いくつかの実施形態では、ニット布地要素３５００のニット構成要素３５４０は、連続クロージャ構造を用いた、タブを備えたニットガセットベロ構成要素を含んでもよい。
【０２６０】
図３５において、符号３５０１は、ニット布地要素３５００の図を識別し（以後、参照図３５０１と呼ぶ）、および対応する図面にわたって、ニット布地要素３５００のニット構成要素３５４０のさまざまな形状構成および特徴を、符号３５０２，３５０３，３５０４および３５０５（以後、参照図３５０２，３５０３，３５０４および３５０５と呼ぶ）で模式的に対応付けている一連の区画線３５１１〜３５１９を含んでいる。参照図３５０２は、区画線３５１１〜３５１９に沿ったニット布地要素３５００のニット構成要素３５４０に関連する一連の断面図３５２１〜３５２９を示す。参照図３５０３は、取外しおよび押し込み後のニット構成要素３５４０の内側側面図を示し、参照図３５０４は、取外しおよび押し込み後のニット構成要素３５４０の底部平面図を示し、参照図３５０５は、取外しおよび押し込み後のニット構成要素３５４０の外側側面図を示す。符号３５０６は、ニット構成要素３５４０の正面等角図を示す図（以後、参照図３５０６という）であり、符号３５０７は、参照図３５０６の区画線３５０７−３５０７に沿った足先部３５５８の断面図を示す図であり（以後、参照図３５０７という）、符号３５０８は、参照図３５０６の区画線３５０８−３５０８に沿ったニット構成要素３５４０の足先部３５５８の断面図を示す図である（以後、参照図３５０８という）。
【０２６１】
図２５のニット布地要素２５００と同様に、ニット布地要素３５００は、第１のニット層３５５２と、第１のニット層３５５２に重なっている第２のニット層３５５４とを含み、ニット布地要素３５００は、一体ワープニット構造から成る。参照図３５０１を参照すると、いくつかの実施形態では、第１のニット層３５５２は、製造または編みプロセスの方向に延びている共通開口部３５５３の共通縁部３５５６に沿って、第２のニット層３５５４と連続していてもよい。いくつかの実施形態では、第１のニット層３５５２は、製造または編みプロセスの方向に延びている共通開口部３５８２の共通縁部３５８０に沿って、第２のニット層３５５４と連続していてもよい。いくつかの実施形態では、ニット布地要素３５００が、図２および図２１におけるニット布地要素２００および２１００と同様の大略的に筒状の構造を有してもよく、また、いくつかの実施形態では、ニット布地要素３５００が、図２３および図２４におけるニット布地要素２３００および２４００と同様の大略的に平らな２層構造を有してもよいことは正しく認識されるであろう。簡略にするため、ニット布地要素３５００は、大略的に平らな２層構造に関して説明する。当業者は、（たとえば、図２および図２１に示すような）大略的に筒状の構造と、（たとえば、図２３および図２４に示すような）大略的に平らな２層構造との間でのさまざまな形状構成および部分の類似性および互換性を容易に正しく認識するであろう。
【０２６２】
区画線３５１１は、中間層ニットステッチライン３５５０によって画定されたニット構成要素３５４０の周囲境界の外側で、ニット構成要素３５４０の上のニット布地要素３５００を通っている。したがって、参照図３５０１〜参照図３５０２におけるマッピング区画線３５１１は、ニット構成要素３５４０に関連する形状構成を有していない平らな２層構造３５２１の形態のニット構成要素３５００の断面を示す。同様に、参照図３５０３，３５０４および３５０５は、区画線３５１１に沿ったニット構成要素３５４０に関連する形状構成を示していない。
【０２６３】
区画線３５１２は、ニット構成要素３５４０の後方かかと部を通っている。参照図３５０１〜参照図３５０２におけるマッピング区画線３５１２は、共通縁部３５８０と、中間層ニットステッチライン３５５０が、ニット布地要素３５００の共通縁部３５８０に関連する中心ライン３５５１からの距離３５３１において、第１のニット層３５５２と第２のニット層３５５４とを相互に接続しているノードとを有する、大略的に平らな２層構造３５２２の形態のニット布地要素３５００の断面を示す。いくつかの実施形態では、共通縁部３５８０は、ニット布地要素３５００のニット構成要素３５４０に対して足首開口部を分離および形成するのに適した第１のニット層３５５２および第２のニット層３５５４に共通する連続ニット層を備えていてもよいため、ニット構成要素３５４０の共通縁部３５８０が、図２の共通縁部２１０、図２１の共通縁部２１５６、図２４の共通縁部２４５６および図２５の共通縁部２５５６と同様に機能してもよいことは正しく認識されるであろう。
【０２６４】
区画線３５１３は、ニット構成要素３５４０のかかと部を通っている。参照図３５０１〜参照図３５０２におけるマッピング区画線３５１３は、共通縁部３５８０と、中間層ニットステッチライン３５５０が、ニット布地要素３５００の共通縁部３５８０に関連する中心ライン３５５１からの距離３５３２において、第１のニット層３５５２と第２のニット層３５５４とを相互に接続しているノードとを有する、大略的に平らな２層構造３５２３の形態のニット布地要素３５００の断面を示す。
【０２６５】
区画線３５１４は、ニット構成要素３５４０の足首開口部に近接するクロージャ構造３５７０の部分を通っている。参照図３５０１〜参照図３５０２におけるマッピング区画線３５１４は、中間層ニットステッチライン３５５０が、シームレスブーティまたは構成要素３５６０の本体に対応する、中心ライン３５５１の一方の側の距離３５３３において、およびニットブーティ構成要素３５６０のガセットベロ部分３５６２に対応する、中心ライン３５５１の他方の側の距離３５３４において、第１のニット層３５５２と第２のニット層３５５４とを相互に接続している、非対称的に配置された対向する１つのペアのノードを有する、大略的に平らな２層構造３５２４の形態のニット布地要素３５００の断面を示す。
【０２６６】
区画線３５１５は、ニット構成要素３５４０の足先部３５５８に近接するクロージャ構造３５７０の部分を通っている。参照図３５０１〜参照図３５０２におけるマッピング区画線３５１５は、中間層ニットステッチライン３５５０が、シームレスニットブーティ構成要素３５６０の本体に対応する、中心ライン３５５１の一方の側の距離３５３５において、およびニットブーティ構成要素３５６０のガセットベロ部分３５６２に対応する、中心ライン３５５１の他方の側の距離３５３６において、第１のニット層３５５２と第２のニット層３５５４とを相互に接続している、非対称的に配置された対向する１つのペアのノードを有する、大略的に平らな２層構造３５２５の形態のニット布地要素３５００の断面を示す。
【０２６７】
区画線３５１６は、ニット構成要素３５４０の足先部３５５８を通っている。参照図３５０１〜参照図３５０２におけるマッピング区画線３５１６は、共通縁部３５５６と、中間層ニットステッチライン３５５０が、ニットブーティ構成要素３５６０の本体に対応する、中心ライン３５５１の一方の側の距離３５３８において、第１のニット層３５５２と第２のニット層３５５４とを相互に接続しているノードとを有する、大略的に平らな２層構造３５２６の形態のニット布地要素３５００の断面を示す。２層構造３５２６はさらに、共通縁部３５５６と、中間層ニットステッチライン３５５０が、ガセットベロ３５６２上のタブに対応する、中心ライン３５５１の他方の側の距離３５３７において、第１のニット層３５５２と第２のニット層３５５４とを相互に接続しているノードとを含んでいる。
【０２６８】
区画線３５１７は、ニット構成要素３５４０の足先部３５５８を通っている。参照図３５０１〜参照図３５０２におけるマッピング区画線３５１７は、共通縁部３５５６と、中間層ニットステッチライン３５５０が、中心ライン３５５１からの距離３５３９において、第１のニット層３５５２と第２のニット層３５５４とを相互に接続しているノードとを有する、大略的に平らな２層構造３５２７の形態のニット布地要素３５００の断面を示す。
【０２６９】
区画線３５１８は、ニット構成要素３５４０の足先部３５５８を通っている。参照図３５０１〜参照図３５０２におけるマッピング区画線３５１８は、中間層ニットステッチライン３５５０が、中心ライン３５５１からの距離３５３８において、第１のニット層３５５２と第２のニット層３５５４とを相互に接続しているノードと、中間層ニットステッチライン３５５０が、中心ライン３４５１からの距離３５３９において、第１のニット層３５５２と第２のニット層３５５４とを相互に接続している第２のノードとを有する、大略的に平らな２層構造３５２８の形態のニット布地要素３５００の断面を示す。
【０２７０】
区画線３５１９は、ニット構成要素３５４０の足先部３５５８に接触して接線方向に延びている。参照図３５０１〜参照図３５０２におけるマッピング区画線３５１９は、中間層ニットステッチライン３５５０が、（参照図３４０２の２層構造３５２９におけるピンチとして図示されている）中心ライン３４５１からの距離３５４１において、第１のニット層３５５２と第２のニット層３５５４とを相互に接続している単一ノードを有する、大略的に平らな２層構造３５２９の形態のニット布地要素３５００の断面を示す。
【０２７１】
ニット構成要素３５４０は、何らかの公知のまたは後に開発された取外しまたは分離プロセスによって、ニット布地要素３５００から取り外してもよい。いくつかの実施形態では、ニット構成要素３５４０は、分離プロセス、たとえば、図２〜図８に関して上述したように、裁断プロセスを用いて、ニット構成要素３５４０の中間層ニットステッチライン３５５０に沿ってニット布地要素３５００を分離することにより、布地要素３５００から取り外すか、または分離してもよい。さらに、ニット構成要素３５４０は、何らかの公知のまたは後に開発された分離プロセスによって、共通開口部３５８２の共通縁部３５８０に沿って分離して、足首開口部を形成してもよい。たとえば、いくつかの実施形態では、共通縁部３５８０は、１つ以上の編み込み指示部を備えていてもよく、また、ニット構成要素３５４０は、その編み込み指示部に沿って分離して、足首開口部を形成してもよい。
【０２７２】
取外し後のニット構成要素３５４０は、参照図３５０３〜３５０８に大略的に図示されているように、シームレスブーティまたは布地アッパーを形成するように操作および／または伸張させてもよい。
【０２７３】
取外し後のニット構成要素３５４０は、図２６〜図３０と同様の方法で反転させるか、または押し込んでもよい。
【０２７４】
ニット布地要素３５００およびニット構成要素３５４０の寸法は、図２１におけるニット構成要素２１００および図２４００におけるニット構成要素２４００に関して全般的に上述したように、ニット構成要素３５４０から形成されたシームレスブーティまたは布地アッパーに、所望のサイジングおよび／またはカスタムフィットおよびパフォーマンス特性をもたらすように選択してもよい。たとえば、寸法３５３１〜３５３９および３５４１は、所望のサイジングおよび／またはカスタムフィットをもたらすように選択してもよい。当業者は、ニット構成要素３５４０から形成されたシームレスブーティまたは布地アッパーの所望のサイジングおよび／またはカスタムフィットをもたらすのに適した、ニット構成要素３４４０のための寸法を容易に選択することができるであろう。
【０２７５】
参照図３５０３〜３５０５は、ニットブーティ構成要素３５６０およびニットガセットベロ構成要素３５６２を含む、取外しおよび押し込み後のニット構成要素３５４０から形成されたシームレスブーティまたは布地アッパーを、内側輪郭図、底部輪郭図および外側輪郭図で示している。
【０２７６】
参照図３５０６は、取外しおよび押し込み後の、ニット構成要素３５４０から形成されたシームレスブーティまたは布地アッパーを正面輪郭図で示している。参照図３５０７は、参照図３５０６の区画線３５０７−３５０７に沿ったシームレスブーティまたは布地アッパーの断面図であり、参照図３５０８は、参照図３５０６の区画線３５０８−３５０８に沿ったシームレスブーティまたは布地アッパーの断面図である。
【０２７７】
参照図３５０７に図示されているように、いくつかの実施形態では、ニット構成要素３５４０から形成されたシームレスブーティまたは布地アッパーは、足先部３５５８に、連続ニット層を含んでいてもよい。すなわち、ニットブーティ構成要素３５６０は、第１のニット層３５５２と、第２のニット層３５５４と、中間層ニットステッチライン３５５０とによって形成された連続ニット層を含んでもよい。
【０２７８】
参照図３５０７に図示されているように、いくつかの実施形態では、ガセットベロ３５６２のタブ構成要素３５８３は、足先部３５５８において、シームレスブーティまたは布地アッパーの内部に押し込んでもよい。いくつかの実施形態では、タブ構成要素３５８３は、たとえば、接着、縫製または別の取付プロセスによって、足先部３５５８に取り付けてもよい。
【０２７９】
いくつかの実施形態では、ニット構成要素３５４０は、押し込みベロ部分３５６２と、クロージャ部材３５７２と、ニットガセットベロ構成要素３５６２のひも穴３５７３と、ニットブーティ構成要素３５６０のひも穴３５７４と、締めひも３５７６とを含むクロージャシステム３５７０を含んでもよい。いくつかの実施形態では、参照図３５０８に図示されているように、ベロ構成要素３５６２は、折り畳むか、または押し込んでもよい。いくつかの実施形態では、参照図３５０８に図示されているように、ベロ構成要素３５６２は、ニットガセットベロ構成要素３５６２のひも穴３５７３と、ニット構成要素３５６０のひも穴３５７４とを、共通の締めひも３５７６と位置合わせすることができるか、またはその共通締めひもと整合させることができるように、押し込み、および折り畳んでもよい。このようにして、ベロ構成要素３５６２は、締めひも３５６２と、シームレスブーティまたは布地アッパー内に配置された足との間に設けてもよい。
【０２８０】
〈ラップアラウンド部を備えたシームレスブーティの履物製品構成〉
このセクションは、履物製品用の布地アッパーに組み込むためのラップアラウンド部を有するニット構成要素を含むニット布地要素を編むための実施形態および方法について全般的に説明する。具体的には、このセクションは、シームレスブーティまたは布地アッパーを形成するように構成されている第１のニット構成要素部分と、シームレスブーティまたは布地アッパーの少なくとも一部（すなわち、第１のニット構成要素部分）に巻き付けられるように構成されている第２のニット構成要素部分とを含むニット布地要素を編むための実施形態および方法について説明する。そのラップアラウンド部（すなわち、第２のニット構成要素部分）は、第１のニット構成要素部分の中間層ニットステッチラインにおいて、第１のニット構成要素部分の第１のニット層および／または第２のニット層とシームレスで結合される。
【０２８１】
いくつかの実施形態では、ラップアラウンド部は、履物製品のダイナミックフィット構造を形成してもよい。いくつかの実施形態では、ラップアラウンド部は、第１のニット層および／または第２のニット層によって形成された、インサート部材を収容するためのポケットを含んでもよい。いくつかの実施形態では、ラップアラウンド部は、インサート部材を収容するためのポケットを形成するために、シームレスブーティまたは布地アッパーの第１のニット層および第２のニット層の一方（すなわち、第１のニット構成要素部分）と協働してもよい。たとえば、いくつかの実施形態では、インサート部材は、製品の足先部におけるつま先カップ、製品のかかと部におけるかかとカップ、製品の甲回り部におけるアーチサポート、ベロのためのパッド層、および／または別のインサート部材を含んでもよい。
【０２８２】
図３６〜図４９は、ラップアラウンドスプライン構造を含むシームレスブーティまたは布地アッパーの実施形態を示す。図３６〜図４９に図示されている実施形態は、各々が、ブーティのスプラインにおいて、すなわち、ニットブーティの本体を画定する中間層ニットステッチラインにおいて、そのブーティと連続しているラップアラウンド部を含む、一体ワープニット構造から成るシームレスブーティまたは布地アッパーを含むという点で同様である。いくつかの実施形態では、ラップアラウンド構造は、ダイナミックフィット構造を備えていてもよい。
【０２８３】
図３６は、ニット布地要素３６００のニット構成要素３６４０の形状構成を、そのニット構成要素から形成されたシームレスブーティまたは布地アッパーに模式的に対応付けている。いくつかの実施形態では、ニット布地要素３６００のニット構成要素３６４０は、ラップアラウンド構造を用いたニットダイナミックフィット構成要素を含んでもよい。いくつかの実施形態では、ニットダイナミックフィット構成要素は、中間層ニットステッチライン３６５０によって形成されたニット構成要素３６４０のスプラインと一体的に編んでもよい。
【０２８４】
図３６において、符号３６０１は、ニット布地要素３６００の図を識別し（以後、参照図３６０１と呼ぶ）、および対応する図面にわたって、ニット布地要素３６００のニット構成要素３６４０のさまざまな形状構成および特徴を、符号３６０２，３６０３，３６０４および３６０５（以後、参照図３６０２，３６０３，３６０４および３６０５と呼ぶ）で模式的に対応付けている一連の区画線３６１１〜３６１９を含んでいる。参照図３６０２は、取外し前の、区画線３６１１〜３６１９に沿ったニット布地要素３６００のニット構成要素３６４０に関連する一連の断面図３６２１〜３６２９を示す。参照図３６０３は、部分的ラップアラウンドを備えた、取外し後のニット構成要素３６４０の内側側面図を示し、参照図３６０４は、部分的ラップアラウンドを備えた、取外し後のニット構成要素３６４０の底部平面図を示し、参照図３６０５は、部分的ラップアラウンドを備えた、取外し後のニット構成要素３６４０の外側側面図を示す。符号３６０６は、取外し後のニット構成要素３６４０の正面等角図を示し、およびラップアラウンドプロセスを示す図であり（以後、参照図３６０６という）であり、符号３６０７は、参照図３６０６の区画線３６０７−３６０７に沿った足先部３６５８の断面図を示す図であり（以後、参照図３６０７という）、符号３６０８は、参照図３６０６の区画線３６０８−３６０８に沿ったニット構成要素３６４０の足先部３６５８の断面図を示す図である（以後、参照図３６０８という）。
【０２８５】
図２４のニット布地要素２４００と同様に、ニット布地要素３６００は、第１のニット層３６５２と、第１のニット層３６５２に重なっている第２のニット層３６５４とを含み、ニット布地要素３６００は、一体ワープニット構造から成る。参照図３６０１を参照すると、いくつかの実施形態では、第１のニット層３６５２は、製造または編みプロセスの方向に延びている共通縁部３６５６に沿って、第２のニット層３６５４と連続していてもよい。いくつかの実施形態では、ニット布地要素３６００が、図２および図２１におけるニット布地要素２００および２１００と同様の大略的に筒状の構造を有してもよく、また、いくつかの実施形態では、ニット布地要素３６００が、図２３および図２４におけるニット布地要素２３００および２４００と同様の大略的に平らな２層構造を有してもよいことは正しく認識されるであろう。簡略にするため、ニット布地要素３６００は、大略的に平らな２層構造に関して説明する。当業者は、（たとえば、図２および図２１に示すような）大略的に筒状の構造と、（たとえば、図２３および図２４に示すような）大略的に平らな２層構造との間でのさまざまな形状構成および部分の類似性および互換性を容易に正しく認識するであろう。
【０２８６】
区画線３６１１は、中間層ニットステッチライン３６５０によって画定されたニット構成要素３６４０の周囲境界の外側で、ニット構成要素３６４０の上のニット布地要素３６００を通っている。したがって、参照図３６０１〜参照図３６０２におけるマッピング区画線３６１１は、ニット構成要素３６４０に関連する形状構成を有していない平らな２層構造３６２１の形態のニット構成要素３６００の断面を示す。同様に、参照図３６０３，３６０４および３６０５は、区画線３６１１に沿ったニット構成要素３６４０に関連する形状構成を示していない。
【０２８７】
区画線３６１２は、ニット構成要素３６４０の後方かかと部を通っている。参照図３６０１〜参照図３６０２におけるマッピング区画線３６１２は、中間層ニットステッチライン３６５０が、ニット布地要素３６００の共通縁部３６５６からの距離３６３１において、第１のニット層３６５２と第２のニット層３６５４とを相互に接続しているノードを有する、大略的に平らな２層構造３６２２の形態のニット布地要素３６００の断面を示す。いくつかの実施形態では、共通縁部３６５６は、ニット布地要素３６００のニット構成要素３６４０に対して足首開口部を分離および形成するのに適した第１のニット層３６５２および第２のニット層３６５４に共通する連続ニット層を備えていてもよいため、ニット構成要素３６４０の共通縁部３６５６が、図２の共通縁部２１０、図２１の共通縁部２１５６、および図２４の共通縁部２４５６と同様に機能してもよいことは正しく認識されるであろう。
【０２８８】
区画線３６１３は、ニット構成要素３６４０のかかと部を通っている。参照図３６０１〜参照図３６０２におけるマッピング区画線３６１３は、中間層ニットステッチライン３６５０が、ニット布地要素３６００の共通縁部３６５６からの距離３６３２において、第１のニット層３６５２と第２のニット層３６５４とを相互に接続しているノードを有する、大略的に平らな２層構造３６２３の形態のニット布地要素３６００の断面を示す。
【０２８９】
区画線３６１４は、ニット構成要素３６４０の足首開口部に近接するクロージャ構造３６７０の部分を通っている。参照図３６０１〜参照図３６０２におけるマッピング区画線３６１４は、中間層ニットステッチライン３６５０が、シームレスブーティまたは構成要素３６４０の本体に対応する、共通縁部３６５６からの距離３６３３において、第１のニット層３６５２と第２のニット層３６５４とを相互に接続している第１のノードと、中間層ニットステッチライン３６５０が、第１のニット層３６５２のダイナミックフィット構成要素３６６０の遠位端に対応する、第１のノードからの距離３６３４において、第１のニット層３６５２と第２のニット層３６５４とを相互に接続している第２のノードと、シームレスブーティまたは布地アッパー３６４０の第２のニット層３６５４のダイナミックフィット構成要素３４６２とを有する、大略的に平らな２層構造３６２４の形態のニット布地要素３６００の断面を示す。
【０２９０】
区画線３６１５は、ニット構成要素３６４０の足先部３６５８に近接するクロージャ構造３６７０の部分を通っている。参照図３６０１〜参照図３６０２におけるマッピング区画線３６１５は、中間層ニットステッチライン３６５０が、シームレスブーティまたは布地アッパー３６４０に対応する、共通縁部３６５６からの距離３６３５において、第１のニット層３６５２と第２のニット層３６５４とを相互に接続している第１のノードと、中間層ニットステッチライン３６５０が、第１のニット層３６５２のダイナミックフィット構成要素３６６０の遠位端に対応する、第１のノードからの距離３６３６において、第１のニット層３６５２と第２のニット層３６５４とを相互に接続している第２のノードと、シームレスブーティまたは布地アッパー３６４０の第２のニット層３６５４のダイナミックフィット構成要素３６６２とを有する、大略的に平らな２層構造３６２５の形態のニット布地要素３６００の断面を示す。
【０２９１】
区画線３６１６は、ニット構成要素３６４０の足先部３６５８を通っている。参照図３６０１〜参照図３６０２におけるマッピング区画線３６１６は、中間層ニットステッチライン３６５０が、共通縁部３６５６からの距離３６３７において、第１のニット層３６５２と第２のニット層３６５４とを相互に接続しているノードを有する、大略的に平らな２層構造３６２６の形態のニット布地要素３６００の断面を示す。
【０２９２】
区画線３６１７は、ニット構成要素３６４０の足先部３６５８を通っている。参照図３６０１〜参照図３６０２におけるマッピング区画線３６１７は、中間層ニットステッチライン３６５０が、共通縁部３６５６からの距離３６３８において、第１のニット層３６５２と第２のニット層３６５４とを相互に接続している第１のノードと、中間層ニットライン３６５０が、第１のノードからの距離３６３９において、第１のニット層３６５２と第２のニット層３６５４とを相互に接続している第２のノードとを有する、大略的に平らな２層構造３６２７の形態のニット布地要素３６００の断面を示す。
【０２９３】
区画線３６１８は、ニット構成要素３６４０の足先部３６５８に接触して接線方向に延びている。参照図３６０１〜参照図３６０２におけるマッピング区画線３６１８は、中間層ニットステッチライン３６５０が、（参照図３６０２の２層構造３６２８におけるピンチとして図示されている）共通縁部３６５６からの距離３６４１において、第１のニット層３６５２と第２のニット層３６５４とを相互に接続している単一のノードを有する、大略的に平らな２層構造３６２８の形態のニット布地要素３６００の断面を示す。
【０２９４】
区画線３６１９は、中間層ニットステッチライン３６５０によって画定されたニット構成要素３６４０の周囲境界の外側で、ニット構成要素３６４０の下のニット布地要素３６００を通っている。したがって、参照図３６０１〜参照図３６０２におけるマッピング区画線３６１９は、ニット構成要素３６４０に関連する形状構成を有していない平らな２層構造３６２９の形態のニット構成要素３６００の断面を示す。同様に、参照図３６０３，３６０４および３６０５は、区画線３６１９に沿ったニット構成要素３６４０に関連する形状構成を示していない。
【０２９５】
ダイナミックフィット構成要素３６６０および３６６２を含むニット構成要素３６４０は、何らかの公知のまたは後に開発された取外しまたは分離プロセスによって、ニット布地要素３６００から取り外してもよい。いくつかの実施形態では、ニット構成要素３６４０は、分離プロセス、たとえば、図２〜図８に関して上述したように、裁断プロセスを用いて、ニット構成要素３６４０の中間層ニットステッチライン３６５０に沿ってニット布地要素３６００を分離することにより、布地要素３６００から取り外すか、または分離してもよい。この場合、ニット構成要素３６４０は、ダイナミックフィット構成要素３６６０および３６６２を含むニット構成要素３６４０の周辺の周りでニット布地要素３６００を分離することによって取り外される。
【０２９６】
さらに、ニット構成要素３６４０は、何らかの公知のまたは後に開発された分離プロセスによって、共通縁部３６５６に沿って分離して、足首開口部を形成してもよい。たとえば、いくつかの実施形態では、共通縁部３６５６は、１つ以上の編み込み指示部を備えていてもよく、また、ニット構成要素３６４０は、その編み込み指示部に沿って分離して、足首開口部を形成してもよい。いくつかの実施形態では、ニット構成要素３６４０は、分離プロセス、たとえば、図２〜図８に関して上述したように、裁断プロセスを用いて、共通縁部３６５６に沿って分離してもよい。
【０２９７】
ダイナミックフィット構成要素３６６０および３６６２は、ニット構成要素３６４０の内側側部に第１のダイナミックフィット構成要素３６６０を、およびニット構成要素３６４０の外側側部に第２のダイナミックフィット構成要素３６６２を形成するように、同様に、中間層ニットステッチライン３６５０の周辺ライン３６６３，３６６４および３６６５に沿って分離してもよい。
【０２９８】
取外し後のニット構成要素３６４０は、参照図３６０３〜３６０８に大略的に図示されているように、シームレスブーティまたは布地アッパーを形成するように操作および／または伸張させてもよい。
【０２９９】
取外し後のニット構成要素３６４０は、必要に応じて、図２６〜図３０と同様の方法（たとえば、以下、図３７〜図４５を参照）で反転させるか、または裏返してもよい。
【０３００】
ニット布地要素３６００およびニット構成要素３６４０の寸法は、図２１におけるニット構成要素２１００および図２４００におけるニット構成要素２４００に関して全般的に上述したように、ニット構成要素３６４０から形成されたシームレスブーティまたは布地アッパーに、所望のサイジングおよび／またはカスタムフィットおよびパフォーマンス特性をもたらすように選択してもよい。たとえば、寸法３６３１〜３６３９および３６４１は、所望のサイジングおよび／またはカスタムフィットをもたらすように選択してもよい。いくつかの実施形態では、ダイナミックフィット構成要素３６６０および３６６２の寸法３６３４および３６３６は、カスタムダイナミックフィットをもたらすように選択してもよい。当業者は、ニット構成要素３６４０から形成された、ダイナミックフィットを含む、シームレスブーティまたは布地アッパーの所望のサイジングおよび／またはカスタムフィットをもたらすのに適した、ニット構成要素３６４０のための寸法を容易に選択することができるであろう。
【０３０１】
参照図３６０３〜３６０５は、ダイナミックフィット構成要素３６６０および３６６２を含む、取外し後のニット構成要素３６４０から形成されたシームレスブーティまたは布地アッパーを、内側輪郭図、底部輪郭図および外側輪郭図で示している。説明のため、参照図３６０３，３６０４および３６０５では、ダイナミックフィット構成要素３６６０は、ニット構成要素３６４０の内側側部に巻き付けられて図示され、また、ダイナミックフィット構成要素３６６２は、その元の取外し後の状態において、完全に広げられて図示されている。
【０３０２】
参照図３６０６は、取外し後のニット構成要素３６４０から形成されたシームレスブーティまたは布地アッパーを正面輪郭図で示している。参照図３６０７は、参照図３６０６の区画線３６０７−３６０７に沿ったシームレスブーティまたは布地アッパーの断面図であり、参照図３６０８は、取外しおよび巻き付け後の、参照図３６０６の区画線３６０８−３６０８に沿ったシームレスブーティまたは布地アッパーの断面図である。
【０３０３】
参照図３６０６に図示されているように、ニットダイナミックフィット構成要素３６６０は、ニット構成要素３６４０の内側側部で上方へ巻き付けてもよく、また、ニットダイナミックフィット構成要素３６６２は、ニット構成要素３６４０の外側側部で上方へ巻き付けてもよい。
【０３０４】
参照図３６０７に図示されているように、いくつかの実施形態では、ニット構成要素３６４０から形成されたシームレスブーティまたは布地アッパーは、足先部３６５８に、連続ニット層を含んでいてもよい。すなわち、シームレスブーティまたは布地アッパー３６４０は、第１のニット層３６５２と、第２のニット層３６５４と、中間層ニットステッチライン３６５０とによって形成された連続ニット層を含んでもよい。
【０３０５】
いくつかの実施形態では、ニット構成要素３６４０は、クロージャシステム３６７０を含んでいてもよい。いくつかの実施形態では、クロージャシステム３６７０は、クロージャ部材３６７２と、ひも穴３６７４と、締めひも３６７６とを含んでもよい。
【０３０６】
いくつかの実施形態では、ニットダイナミックフィット構成要素３６６０および３６６２は、ダイナミックフィット構成要素３６６０および３６６２の遠位端が、クロージャシステム３６７０に対応するように、ニット構成要素３６４０の上方に向かって巻き付けることができる。
【０３０７】
いくつかの実施形態では、ニットダイナミックフィット構成要素３６６０および３６６２は、少なくとも１つのクロージャ部材３６８２と、少なくとも１つのひも穴３６８４とを含んでもよい。いくつかの実施形態では、ダイナミックフィット構成要素３６６０および３６６２は、ダイナミックフィット構成要素３６６０の少なくとも１つのクロージャ部材３６８２およびひも穴３６８４および／またはダイナミックフィット構成要素３６６２の少なくとも１つのクロージャ部材３６８２およびひも穴３６８３が、シームレスブーティまたは布地アッパー３６４０の少なくとも１つのクロージャ部材３６７２およびひも穴３６７４と位置合わせされるように、ニット構成要素３６４０の上方に向かって巻き付けてもよい。
【０３０８】
参照図３６０８に図示されているように、いくつかの実施形態では、クロージャシステム３６７０の複数のクロージャ部材３６７２，３６８２およびひも穴３６７４，３６８４と、ダイナミックフィット構成要素３６６０および３６６２とを位置合わせして配置してもよい。この場合、参照図３６０８に図示されているように、クロージャシステム３６７０と、ダイナミックフィット構成要素３６６０および３６６２を含むダイナミックフィットシステムとが、共通の締めひも３６７６を用いてもよいことは正しく認識されるであろう。いくつかの実施形態では、ダイナミックフィット構成要素３６６０および３６６２は、クロージャシステム３６７０とは異なる締めひもを用いてもよい。いくつかの実施形態では、ニット構成要素３６４０は、ダイナミックフィット構成要素３６６０および３６６２を含んでいるが、いかなるクロージャシステムも含んでいないダイナミックフィットシステムを含んでもよい。当業者は、所望の履物製品に適したダイナミックフィットシステム、または、ダイナミックフィットシステムおよびクロージャシステムから成る組合せを容易に選択することができるであろう。
【０３０９】
いくつかの実施形態では、参照図３６０６および３６０８に図示されているように、ニット構成要素３６４０から形成されたシームレスブーティまたは布地アッパーは、インサート部材３６９０を含んでいてもよい。いくつかの実施形態では、インサート部材は、ニット構成要素３６４０の第１のニット層３６５２と第２のニット層３６５４との間に形成されたポケットに挿入することができる。たとえば、参照図３６０６および３６０８に図示されているように、いくつかの実施形態では、インサート部材３６９０は、ニット構成要素３６４０の中足領域に設けられたアーチサポートであってもよい。
【０３１０】
図３７〜図４５は、取外し後の図３６のニット構成要素を折り畳むか、または裏返すための任意の反転プロセスを模式的に示す。
【０３１１】
図３７は、図３６のニット構成要素３６４０を、初期の取外し後の状態で示す。図３７に図示されているように、いくつかの実施形態では、ダイナミックフィット構成要素３６６０は、矢印３７２０の方向で、シームレスブーティ３６４０の外側側部に巻き付けてもよく、また、ダイナミックフィット構成要素３６６２は、矢印３７１０の方向で、シームレスブーティ３６４０の内側側部に巻き付けてもよい。
【０３１２】
図３８は、ダイナミックフィット構成要素部分３６６０および３６６２が、それぞれ矢印３８１０および３８２０の方向で、ニットシームレスブーティのそれぞれ内側側部および外側側部に部分的に巻き付けられている状態のニット構成要素３６４０を示し、また、図３９は、それぞれ矢印３９１０および３９２０の方向で、ニット構成要素３６４０のそれぞれ内側側部および外側側部に実質的に巻き付けられているダイナミックフィット構成要素３６６０および３６６２を示す正面図である。図４０は、ニット構成要素３６４０の内側側部および外側側部に完全に巻き付けられ、およびシームレスブーティ３６４０のクロージャ構造３６７０に重なっているダイナミックフィット構成要素３６６０および３６６２を示す正面図である。
【０３１３】
図４１は、ニット構成要素３６４０の内側側部および外側側部に完全に巻き付けられ、およびシームレスブーティ３６４０のクロージャ構造３６７０に重なっているダイナミックフィット構成要素３６６０および３６６２を示す側面図である。図４２は、足先部３６５８が部分的に反転されている状態のニット構成要素３６４０を示す。具体的には、足先部３６５８は、矢印４２１０の方向で、ニット構成要素（シームレスブーティ）３６４０の内部に押し込まれている。図４３は、足先部３６５８が、矢印４３２０の方向にさらに押し込まれて、矢印４３１０の方向に、ニット構成要素（シームレスブーティ）３６４０の足首開口部から引っ張り出されているとともに、シームレスブーティ３６４０のかかと部が、矢印４３３０の方向に押されている状態のニット構成要素を示す。図４４は、足先部３６５８が、矢印４４１０の方向に、足首開口部から実質的に引っ張り出されているとともに、矢印４４２０の方向に押すことによって、シームレスブーティ３６４０のかかと部が反転されている状態のニット構成要素３６４０を示し、また、図４５は、完全に反転されているか、または、裏返されているニット構成要素を示す。
【０３１４】
図４６は、図３６〜図４５に図示されているように、取外しおよび裏返した後のニット構成要素３６４０を組み込んだシームレスブーティまたは布地アッパーの模式的正面等角図である。図４７は、区画線４７−４７に沿った図４６のシームレスブーティまたは布地アッパーの断面図である。図４８は、区画線４８−４８に沿った図４６のシームレスブーティまたは布地アッパーの断面図である。
【０３１５】
図４６〜図４８のシームレスブーティまたは布地アッパー３６４０の構造および形状構成が、図４６〜図４８において、ダイナミックフィット構成要素３６６０および３６６２がシームレスブーティ３６４０の内部に設けられていることを除いて、図３６の構造および形状構成と同様であることは正しく認識されるであろう。
【０３１６】
図４９は、ニット布地要素４９００のニット構成要素４９４０の別の実施形態の形状構成を、そのニット構成要素から形成されたシームレスブーティまたは布地アッパーに模式的に対応付けている。いくつかの実施形態では、ニット布地要素４９００のニット構成要素４９４０は、少なくとも１つのニットダイナミックフィットフィンガ構成要素またはラップアラウンド部を含んでいてもよい。いくつかの実施形態では、少なくとも１つのニットダイナミックフィット構成要素は、中間層ニットステッチライン４９５０によって形成されたニット構成要素４９４０のスプラインと一体的に編んでもよい。いくつかの実施形態では、少なくとも１つのニットダイナミックフィットフィンガ構成要素または部分４９８０は、必要に応じて、シームレスブーティ４９４０のかかと領域に設けてもよい。いくつかの実施形態では、少なくとも１つのニットダイナミックフィットフィンガ構成要素または部分（たとえば、符号４９８１，４９８２，４９８３および４９８４）は、必要に応じて、シームレスブーティ４９４０の中足領域に設けてもよい。
【０３１７】
いくつかの実施形態では、少なくとも１つのニットダイナミックフィットフィンガ構成要素または部分４９８５は、必要に応じて、シームレスブーティ４９４０の足先領域に設けてもよい。説明を簡単にするために、参照図４９０１〜４９０５は、シームレスブーティ４９４０のかかと領域および足先領域に、任意のダイナミックフィットフィンガ構成要素または部分４９８０および４９８５のペアを含んでいる実施形態を示しているが、図４９の参照図４９０６〜４９０８は、ダイナミックフィットフィンガ構成要素または部分４９８１，４９８２，４９８３および４９８４の詳細を含む、シームレスブーティ４９４０の中足領域に設けられた５つのみのペアの任意のダイナミックフィットフィンガ構成要素または部分を含む実施形態を示している。図５０〜図５２は、シームレスブーティのかかと領域および足先領域に設けられた任意のペアのダイナミックフィットフィンガ構成要素または部分の詳細を含む実施形態を示す。
【０３１８】
図４９において、符号４９０１は、ニット布地要素４９００の図を識別し（以後、参照図４９０１と呼ぶ）、および対応する図面にわたって、ニット布地要素４９００のニット構成要素４９４０のさまざまな形状構成および特徴を、符号４９０２，４９０３，４９０４および４９０５（以後、参照図４９０２，４９０３，４９０４および４９０５と呼ぶ）で模式的に対応付けている一連の区画線４９１１〜４９１９を含んでいる。
【０３１９】
参照図４９０２は、取外し前の、区画線４９１１〜４９１９に沿ったニット布地要素４９００のニット構成要素４９４０に関連する一連の断面図４９２１〜４９２９を示す。参照図４９０３は、部分的ラップアラウンドを備えた、取外し後のニット構成要素４９４０の内側側面図を示し、参照図４９０４は、部分的ラップアラウンドを備えた、取外し後のニット構成要素４９４０の底部平面図を示し、参照図４９０５は、部分的ラップアラウンドを備えた、取外し後のニット構成要素４９４０の外側側面図を示す。符号４９０６は、部分的ラップアラウンドを備えた、取外し後のニット構成要素４９４０の正面等角図を示し、およびラップアラウンドプロセスを示す図であり（以後、参照図４９０６という）、符号４９０７は、完全に巻き付けられた状態のニット構成要素４９４０の正面等角図を示す図であり（以後、参照図４９０７という）、符号４９０８は、参照図４９０７の区画線４９０８−４９０８に沿ったニット構成要素４９４０の足先部４９５８の断面図を示す図である（以後、参照図４９０８という）。
【０３２０】
図２４のニット布地要素２４００と同様に、ニット布地要素４９００は、第１のニット層４９５２と、第１のニット層４９５２に重なっている第２のニット層４９５４とを含み、ニット布地要素４９００は、一体ワープニット構造から成る。参照図４９０１を参照すると、いくつかの実施形態では、第１のニット層４９５２は、製造または編みプロセスの方向に延びている共通縁部４９５６に沿って、第２のニット層４９５４と連続していてもよい。いくつかの実施形態では、ニット布地要素４９００が、図２および図２１におけるニット布地要素２００および２１００と同様の大略的に筒状の構造を有してもよく、また、いくつかの実施形態では、ニット布地要素４９００が、図２３および図２４におけるニット布地要素２３００および２４００と同様の大略的に平らな２層構造を有してもよいことは正しく認識されるであろう。簡略にするため、ニット布地要素４９００は、大略的に平らな２層構造に関して説明する。当業者は、（たとえば、図２および図２１に示すような）大略的に筒状の構造と、（たとえば、図２３および図２４に示すような）大略的に平らな２層構造との間でのさまざまな形状構成および部分の類似性および互換性を容易に正しく認識するであろう。
【０３２１】
区画線４９１１は、中間層ニットステッチライン４９５０によって画定されたニット構成要素４９４０の周囲境界の外側で、ニット構成要素４９４０の上のニット布地要素４９００を通っている。したがって、参照図４９０１〜参照図４９０２におけるマッピング区画線４９１１は、ニット構成要素４９４０に関連する形状構成を有していない平らな２層構造４９２１の形態のニット構成要素４９００の断面を示す。同様に、参照図４９０３，４９０４および４９０５は、区画線４９１１に沿ったニット構成要素４９４０に関連する形状構成を示していない。
【０３２２】
区画線４９１２は、ニット構成要素４９４０の本体の上を通っており、およびいくつかの実施形態では、区画線４９１２は、ニット構成要素４９４０の後方かかと部から延びている３つのペアの任意のニットダイナミックフィットフィンガ構成要素または部分４９８０を通っていてもよい。参照図４９０１〜参照図４９０２におけるマッピング区画線４９１２は、中間層ニットステッチライン４９５０が、ニット布地要素４９００の共通縁部４９５６からの距離４９３１において、第１のニット層４９５２と第２のニット層４９５４とを相互に接続している第１のノードと、中間層ニットステッチライン４９５０が、第１のノードからの距離４９３２において、第１のニット層４９５２と第２のニット層４９５４とを相互に接続している第２のノードと、中間層ニットステッチライン４９５０が、第２のノードからの距離４９３３において、第１のニット層４９５２と第２のニット層４９５４とを相互に接続している第３のノードと、中間層ニットステッチライン４９５０が、第３のノードからの距離４９３４において、第１のニット層４９５２と第２のニット層４９５４とを相互に接続している第４のノードとを有する、大略的に平らな２層構造４９２２の形態のニット布地要素４９００の断面を示す。
【０３２３】
いくつかの実施形態では、これら４つのノードは、ニット構成要素４９４０のかかと部から延びている任意のダイナミックフィットフィンガ構成要素または部分４９８０の３つのペアに対応して第１のニット層４９５２と第２のニット層４９５４との間に形成された３つのポケットの境界を画定している。しかし、説明を簡単にするために、これら３つのペアの任意のダイナミックフィットフィンガ構成要素または部分４９８０が、参照図４９０６〜４９０８の実施形態には図示されていないことは正しく認識されるであろう。
【０３２４】
区画線４９１３は、ニット構成要素４９４０の後方かかと部を通っている。参照図４９０１〜参照図４９０２におけるマッピング区画線４９１３は、中間層ニットステッチライン４９５０が、ニット布地要素４９００の共通縁部４９５６からの距離４９３５において、第１のニット層４９５２と第２のニット層４９５４とを相互に接続しているノードを有する、大略的に平らな２層構造４９２３の形態のニット布地要素４９００の断面を示す。いくつかの実施形態では、共通縁部４９５６は、ニット布地要素４９００のニット構成要素４９４０に対して足首開口部を分離および形成するのに適した第１のニット層４９５２および第２のニット層４９５４に共通する連続ニット層を備えていてもよいため、ニット構成要素４９４０の共通縁部４９５６が、図２の共通縁部２１０、図２１の共通縁部２１５６、および／または図２４の共通縁部２４５６と同様に機能してもよいことは正しく認識されるであろう。
【０３２５】
区画線４９１４は、ニット構成要素４９４０の足首開口部に近接するクロージャ構造４９７０の部分を通っている。参照図４９０１〜参照図４９０２におけるマッピング区画線４９１４は、中間層ニットステッチライン４９５０が、シームレスブーティまたは布地アッパー４９４０の本体に対応する、共通縁部４９５６からの距離４９３６において、第１のニット層４９５２と第２のニット層４９５４とを相互に接続している第１のノードと、中間層ニットステッチライン４９５０が、シームレスブーティまたは布地アッパー４９４０のダイナミックフィットフィンガ構成要素または部分４９８１および４９８２から成る第１のペアの遠位端に対応する、第１のノードからの距離４９３７において、第１のニット層４９５２と第２のニット層４９５４とを相互に接続している第２のノードとを有する、大略的に平らな２層構造４９２４の形態のニット布地要素４９００の断面を示す。
【０３２６】
区画線４９１５は、ニット構成要素４９４０の足先部４９５８に近接するクロージャ構造４９７０の部分を通っている。参照図４９０１〜参照図４９０２におけるマッピング区画線４９１５は、中間層ニットステッチライン４９５０が、シームレスブーティまたは布地アッパー４９４０の本体に対応する、共通縁部４９５６からの距離４９３８において、第１のニット層４９５２と第２のニット層４９５４とを相互に接続している第１のノードと、中間層ニットステッチライン４９５０が、ニット構成要素４９４０から延びているシームレスブーティまたは布地アッパー４９４０のダイナミックフィットフィンガ構成要素または部分４９８３および４９８４から成る別のペアの遠位端に対応する、第１のノードからの距離４９３９において、第１のニット層４９５２と第２のニット層４９５４とを相互に接続している第２のノードとを有する、大略的に平らな２層構造４９２５の形態のニット布地要素４９００の断面を示す。
【０３２７】
区画線４９１６は、ニット構成要素４９４０の足先部４９５８を通っている。参照図４９０１〜参照図４９０２におけるマッピング区画線４９１６は、中間層ニットステッチライン４９５０が、共通縁部４９５６からの距離４９４１において、第１のニット層４９５２と第２のニット層４９５４とを相互に接続している第１のノードと、中間層ニットステッチライン４９５０が、第１のノードからの距離４９４２において、第１のニット層４９５２と第２のニット層４９５４とを相互に接続している第２のノードとを有する、大略的に平らな２層構造４９２６の形態のニット布地要素４９００の断面を示す。いくつかの実施形態では、これら２つのノードは、ニット構成要素４９４０の足先部４９５８から延びている任意のダイナミックフィットフィンガ構成要素または部分４９８５から成る別の２つのペアに対応する、第１のニット層４９５２と第２のニット層４９５４との間に形成されたポケットの境界を画定している。
【０３２８】
区画線４９１７は、ニット構成要素４９４０の足先部４９５８を通っている。参照図４９０１〜参照図４９０２におけるマッピング区画線４９１７は、中間層ニットステッチライン４９５０が、共通縁部４９５６からの距離４９４３において、第１のニット層４９５２と第２のニット層４９５４とを相互に接続している第１のノードと、中間層ニットライン４９５０が、第１のノードからの距離４９４４において、第１のニット層４９５２と第２のニット層４９５４とを相互に接続している第２のノードと、中間層ニットライン４９５０が、第２のノードからの距離４９４５において、第１のニット層４９５２と第２のニット層４９５４とを相互に接続している第３のノードと、中間層ニットライン４９５０が、第３のノードからの距離４９４６において、第１のニット層４９５２と第２のニット層４９５４とを相互に接続している第４のノードとを有する、大略的に平らな２層構造４９２７の形態のニット布地要素４９００の断面を示す。
【０３２９】
いくつかの実施形態では、これら第２、第３および第４のノードは、参照図４９０１〜参照図４９０５に図示されているように、ニット構成要素４９４０の足先領域から延びている任意のダイナミックフィットフィンガ構成要素または部分４９８５から成る２つの追加的なペアに対応する、第１のニット層４９５２と第２のニット層４９５４との間に形成されたポケットの境界を画定している。しかし、説明を簡単にするために、任意のダイナミックフィットフィンガ構成要素または部分４９８５から成るこれら２つのペアは、参照図４９０６〜４９０８の実施形態には図示されていないことは正しく認識されるであろう。
【０３３０】
区画線４９１８は、ニット構成要素４９４０の足先部４９５８に接触して接線方向に延びている。参照図４９０１〜参照図４９０２におけるマッピング区画線４９１８は、中間層ニットステッチライン４９５０が、（参照図４９０２の２層構造４９２８におけるピンチとして図示されている）共通縁部４９５６からの距離４９４７において、第１のニット層４９５２と第２のニット層４９５４とを相互に接続している第１のノードと、中間層ニットステッチライン４９５０が、第１のノードからの距離４９４８において、第１のニット層４９５２と第２のニット層４９５４とを相互に接続している第２のノードと、中間層ニットステッチライン４９５０が、第２のノードからの距離４９４９において、第１のニット層４９５２と第２のニット層４９５４とを相互に接続している第３のノードと、中間層ニットステッチライン４９５０が、第３のノードからの距離４９５１において、第１のニット層４９５２と第２のニット層４９５４とを相互に接続している第４のノードとを有する、大略的に平らな２層構造４９２８の形態のニット布地要素４９００の断面を示す。
【０３３１】
いくつかの実施形態では、これら第２、第３および第４のノードは、参照図４９０１〜参照図４９０５に図示されているように、ニット構成要素４９４０の足先領域部分４９５８から延びている任意のダイナミックフィットフィンガ構成要素または部分４９８５から成る２つの追加的なペアに対応する、第１のニット層４９５２と第２のニット層４９５４との間に形成されたポケットの境界を画定している。しかし、説明を簡単にするために、任意のダイナミックフィットフィンガ構成要素または部分４９８５から成るこれら２つのペアは、参照図４９０６〜４９０８の実施形態には図示されていないことは正しく認識されるであろう。
【０３３２】
区画線４９１９は、ニット構成要素４９４０の本体の下を通っており、およびいくつかの実施形態では、区画線４９１４は、ニット構成要素４９４０の足先領域から延びている部分４９８５の任意のニットダイナミックフィットフィンガ構成要素から成る２つの追加的なペアの一方を通っていてもよい。
【０３３３】
参照図４９０１〜参照図４９０２におけるマッピング区画線４９１９は、中間層ニットステッチライン４９５０が、ニット布地要素４９００の共通縁部４９５６からの距離４９５２において、第１のニット層４９５２と第２のニット層４９５４とを相互に接続している第１のノードと、中間層ニットステッチライン４９５０が、第１のノードからの距離４９５３において、第１のニット層４９５２と第２のニット層４９５４とを相互に接続している第２のノードとを有する、大略的に平らな２層構造４９２９の形態のニット布地要素４９００の断面を示す。
【０３３４】
いくつかの実施形態では、これら２つのノードは、参照図４９０１〜参照図４９０５に図示されているように、ニット構成要素４９４０の足先領域から延びている任意のダイナミックフィットフィンガ構成要素４９８５から成る２つのペアの一方に対応する、第１のニット層４９５２と第２のニット層４９５４との間に形成されたポケットの境界を画定している。しかし、説明を簡単にするために、任意のダイナミックフィットフィンガ構成要素または部分４９８５から成るこれら２つのペアは、参照図４９０６〜４９０８の実施形態には図示されていないことは正しく認識されるであろう。
【０３３５】
何らかのダイナミックフィットフィンガ構成要素または部分（たとえば、ダイナミックフィットフィンガ構成要素または部分４９８１，４９８２，４９８３および４９８４および／またはいずれかの任意のダイナミックフィットフィンガ構成要素または部分４９８０および／または４９８５）を含むニット構成要素４９４０は、何らかの公知のまたは後に開発された取外しまたは分離プロセスによって、ニット布地要素４９００から取り外してもよい。いくつかの実施形態では、ニット構成要素４９４０は、分離プロセス、たとえば、図２〜図８に関して上述したように、裁断プロセスを用いて、ニット構成要素４９４０の中間層ニットステッチライン４９５０に沿ってニット布地要素４９００を分離することにより、布地要素４９００から取り外すか、または分離してもよい。さらに、ニット構成要素４９４０は、何らかの公知のまたは後に開発された分離プロセスによって、共通縁部４９５６に沿って分離して、足首開口部を形成してもよい。たとえば、いくつかの実施形態では、共通縁部４９５６は、１つ以上の編み込み指示部を備えていてもよく、また、ニット構成要素４９４０は、その編み込み指示部に沿って分離して、足首開口部を形成してもよい。いくつかの実施形態では、ニット構成要素４９４０は、分離プロセス、たとえば、図２〜図８に関して上述したように、裁断プロセスを用いて、共通縁部４９５６に沿って分離してもよい。
【０３３６】
ダイナミックフィットフィンガ構成要素または部分は、図３６におけるダイナミックフィット構成要素３６６０および３６６２に関するプロセスと同様に、ダイナミックフィットフィンガ構成要素または部分から成るペア（たとえば、ペア４９８１−４９８２およびペア４９８３−４９８４）を形成するように、そのダイナミックフィットフィンガ構成要素または部分の周囲ラインに沿って分離してもよい。この場合、シームレスブーティまたは布地アッパー４９４０の足先部、中足部およびかかと部のいずれかに沿って、シームレスブーティまたは布地アッパー４９４０のスプライン（すなわち、中間層ニットステッチライン４９５０）からさまざまに延びているダイナミックフィットフィンガ構成要素から成る１つ以上のペアがあってもよいことは明らかであろう。いくつかの実施形態では、ダイナミックフィットフィンガ構成要素または部分は、ニット布地要素４９００の一方の側にのみ、たとえば、第１のニット層４９５２および第２のニット層４９５４の一方にのみ形成してもよい。当業者は、所望の履物製品の所望のパフォーマンス特性に適した１つ以上のダイナミックフィットフィンガ構成要素または部分またはダイナミックフィットフィンガ構成要素または部分から成るペアの数、位置および構成を容易に選択することができるであろう。
【０３３７】
取外し後のニット構成要素４９４０は、参照図４９０３〜４９０８に大略的に図示されているように、シームレスブーティまたは布地アッパーを形成するように操作および／または伸張させてもよい。
【０３３８】
取外し後のニット構成要素４９４０は、図３７〜図４５と同様の方法で反転させるか、または裏返してもよい。
【０３３９】
ニット布地要素４９００およびニット構成要素４９４０の寸法は、図２１におけるニット構成要素２１００および図２４００におけるニット構成要素２４００に関して全般的に上述したように、ニット構成要素４９４０から形成されたシームレスブーティまたは布地アッパーに、所望のサイジングおよび／またはカスタムフィットおよびパフォーマンス特性をもたらすように選択してもよい。たとえば、いくつかの実施形態では、寸法４９３５，４９３６，４９３８，４９４１，４９４３，４９４４および／または４９４７は、シームレスブーティ４９４０に対して所望のサイジングおよび／またはカスタムフィットをもたらすように選択してもよい。いくつかの実施形態では、寸法４９３７および４９３９は、ダイナミックフィットフィンガ構成要素４９８１，４９８２，４９８３および／または４９８４に対してカスタムフィットをもたらすように選択してもよい。当業者は、ニット構成要素４９４０から形成された、ダイナミックフィットを含む、シームレスブーティまたは布地アッパーの所望のサイジングおよび／またはカスタムフィットをもたらすのに適した、ニット構成要素４９４０およびいずれかのダイナミックフィットフィンガ構成要素のための寸法を容易に選択することができるであろう。
【０３４０】
参照図４９０３〜４９０５は、ニット構成要素４９４０のかかと領域に設けられた任意のダイナミックフィットフィンガ構成要素４９８０から成る３つのペアと、ニット構成要素４９４０の中足領域に設けられた任意のダイナミックフィットフィンガ構成要素から成る５つのペア（たとえば、ペア４９８１−４９８２および４９８３−４９８４を参照）と、ニット構成要素４９４０の足先領域に設けられた任意のダイナミックフィットフィンガ構成要素４９８５から成る２つのペアとを含む、ニット構成要素４９４０から形成されたシームレスブーティまたは布地アッパー４９４０を、内側輪郭図、底部輪郭図および外側輪郭図で示している。たとえば、説明のため、参照図４９０３，４９０４および４９０５では、ニット構成要素４９４０の内側側部に対するニットダイナミックフィットフィンガ構成要素４９８１および４９８３は、ニット構成要素４９４０の内側側部に完全に巻き付けられて図示されており、また、ニット構成要素４９４０の外側側部に対するニットダイナミックフィットフィンガ構成要素４９８２および４９８４は、それらの元の取外し後の状態において、完全に広げられて図示されている。
【０３４１】
参照図４９０６は、ニット構成要素４９４０の中足領域に、任意のダイナミックフィットフィンガ構成要素から成る５つのペアを備えた、ニット構成要素４９４０から形成されたシームレスブーティまたは布地アッパーを正面輪郭図で示し、たとえば、ニットダイナミックフィットフィンガ構成要素または部分４９８２および４９８４は、ニット構成要素４９４０の内側側部において、上方へ完全に巻き付けられており、また、ニットダイナミックフィットフィンガ構成要素４９８１および４９８３は、ニット構成要素４９４０の外側側部において、部分的に上方へ巻き付けられているにすぎない。
【０３４２】
参照図４９０７は、（ペア４９８１−４９８２およびペア４９８３−４９８４を含む）任意のニットダイナミックフィットフィンガ構成要素から成る５つのペアが、ニット構成要素４９４０の内側側部と、ニット構成要素４９４０の外側側部との両方において、完全に上方に巻き付けられた状態の、ニット構成要素４９４０から形成されたシームレスブーティまたは布地アッパーを正面輪郭図で示す。
【０３４３】
参照図４９０８は、参照図４９０７の区画線４９０８−４９０８に沿ったシームレスブーティまたは布地アッパーの断面図である。
【０３４４】
参照図４９０６および４９０７に図示されているように、ニットダイナミックフィットフィンガ構成要素は、ニット構成要素４９４０の内側側部で上方へ巻き付けてもよく、また、ニットダイナミックフィットフィンガ構成要素は、ニット構成要素３６４０の外側側部で上方へ巻き付けてもよい。
【０３４５】
参照図４９０６および４９０７に図示されているように、いくつかの実施形態では、ニット構成要素４９４０から形成されたシームレスブーティまたは布地アッパーは、足先部４９５８に連続ニット層を含んでいてもよい。すなわち、シームレスブーティまたは布地アッパー４９４０は、第１のニット層４９５２と、第２のニット層４９５４と、中間層ニットステッチライン４９５０とによって形成された連続ニット層を含んでもよい。
【０３４６】
いくつかの実施形態では、ニット構成要素４９４０は、クロージャシステム４９７０を含んでいてもよい。いくつかの実施形態では、クロージャシステムは、クロージャ部材４９７２と、ニットホールまたはひも穴４９７４と、締めひも４９７６とを含んでもよい。
【０３４７】
いくつかの実施形態では、ニットダイナミックフィットフィンガ構成要素４９８１および／または４９８２は、ニットダイナミックフィットフィンガ構成要素４９８１および／または４９８２の遠位端が、クロージャシステム４９７０に対応するように、ニット構成要素４９４０の上方に向かって巻き付けることができる。いくつかの実施形態では、ニットダイナミックフィットフィンガ構成要素４９８１および４９８２の遠位端は、ニットクロージャ部材４９８６と、少なくとも１つのニットホールまたはひも穴４９８７とを含んでもよい。いくつかの実施形態では、ニットダイナミックフィットフィンガ構成要素４９８１および４９８２は、ニットダイナミックフィットフィンガ構成要素４９８１の少なくとも１つのクロージャ部材４９８６および少なくともひも穴４９８７および／またはニットダイナミックフィットフィンガ構成要素４９８２の少なくとも１つのクロージャ部材４９８６および少なくとも１つのひも穴４９８７が、シームレスブーティまたは布地アッパー４９４０の少なくとも１つのクロージャ部材４９７２およびひも穴４９７４と位置合わせされるように、ニット構成要素４９４０に巻き付けてもよい。
【０３４８】
参照図４９０８に図示されているように、いくつかの実施形態では、クロージャシステム４９７０の複数のクロージャ部材４９７２，４９８８およびひも穴４９７４，４９８７と、ニットダイナミックフィットフィンガ構成要素４９８１および４９８２とを位置合わせして配置してもよい。この場合、参照図４９０８に図示されているように、クロージャシステム４９７０と、ニットダイナミックフィットフィンガ構成要素４９８１および４９８２を含むダイナミックフィットシステムとが、共通の締めひも４９７６を用いてもよいことは正しく認識されるであろう。いくつかの実施形態では、ニットダイナミックフィットフィンガ構成要素４９８１および４９８２は、クロージャシステム４９７０とは異なる締めひもまたは他のテンショニング構造を用いてもよい。いくつかの実施形態では、ニット構成要素４９４０は、ニットダイナミックフィットフィンガ構成要素４９８１および４９８２を含んでいるが、いかなるクロージャシステムも含んでいないダイナミックフィットシステムを含んでもよい。当業者は、所望の履物製品に適した、クロージャシステムとダイナミックフィット構成要素との組合せを選択することができるであろう。
【０３４９】
図５０は、一体ワープニット構造から成るニット構成要素５０４０の別の実施形態を、取外し後の状態または状況で示す。図５０に図示されているように、いくつかの実施形態では、ニット構成要素５０４０は、任意のニットダイナミックフィットフィンガ構成要素から成る３つのペアを含んでもよい。任意のニットダイナミックフィットフィンガ構成要素５０８０および５０８１から成る第１のペアは、ニット構成要素５０４０の後方かかと部に配置してもよく、ニットダイナミックフィットフィンガ構成要素５０８０は、中間層ニットステッチライン５０５０において、第１のニット層５０５２の部分によって形成され、また、ニットダイナミックフィットフィンガ構成要素５０８１は、中間層ニットステッチライン５０５０において、第２のニット層５０５４の部分によって形成されている。
【０３５０】
任意のダイナミックフィットフィンガ構成要素５０８２および５０８３から成る第２のペアは、ニット構成要素５０４０の底部かかと部に配置してもよく、ニットダイナミックフィットフィンガ構成要素５０８２は、中間層ニットステッチライン５０５０において、第１のニット層５０５２の部分によって形成され、また、ニットダイナミックフィットフィンガ構成要素５０８３は、中間層ニットステッチライン５０５０において、第２のニット層５０５４の部分によって形成されている。任意のダイナミックフィットフィンガ構成要素５０８４および５０８５から成る第３のペアは、ニット構成要素５０４０の足先部に配置してもよく、ニットダイナミックフィットフィンガ構成要素５０８４は、中間層ニットステッチライン５０５０において、第１のニット層５０５２の部分によって形成され、また、ニットダイナミックフィットフィンガ構成要素５０８５は、中間層ニットステッチライン５０５０において、第２のニット層５０５４の部分によって形成されている。いくつかの実施形態では、ニット構成要素５０４０は、ニットクロージャ構造５０７０を含んでもよい。いくつかの実施形態では、ニットクロージャ構造は、複数のニットクロージャ部材５０７２および複数のニットホールまたはひも穴５０７４を含んでいてもよい。
【０３５１】
いくつかの実施形態では、ニット構成要素５０４０は、ニット布地要素から取り外してもよい。たとえば、いくつかの実施形態では、ニット構成要素５０４０は、図４９におけるニット布地要素４９００のニット構成要素４９４０に大略的に一致している。いくつかの実施形態では、ニット構成要素５０４０は、裁断プロセス等の分離プロセスによって、ニット布地要素から取り外してもよい。
【０３５２】
取外し後のニット構成要素５０４０は、必要に応じて、図３７〜図４５と同様の方法で、反転させるか、または裏返してもよい。
【０３５３】
ニット構成要素５０４０の寸法は、図２１におけるニット構成要素２１００および図２４００におけるニット構成要素２４００に関して全般的に上述したように、ニット構成要素５０４０から形成されたシームレスブーティまたは布地アッパーに、所望のサイジングおよび／またはカスタムフィットおよびパフォーマンス特性をもたらすように選択してもよい。たとえば、いくつかの実施形態では、ニット構成要素５０４０の後方かかと領域に設けられた任意のダイナミックフィットフィンガ構成要素５０８０および５０８１の長さに相当する寸法５０９１、ニット構成要素５０４０の底部かかと領域に設けられた任意のダイナミックフィットフィンガ構成要素５０８２および５０８３の長さに相当する寸法５０９２、ニット構成要素５０４０の足先領域に設けられた任意のダイナミックフィットフィンガ構成要素５０８４および５０８５の長さに相当する寸法５０９３は、所望のサイジングおよび／またはカスタムフィットをシームレスブーティ５０４０に与えるように選択してもよい。当業者は、ニット構成要素５０４０から形成された、ダイナミックフィットを含む、シームレスブーティまたは布地アッパーの所望のサイジングおよび／またはカスタムフィットをもたらすのに適した、ニット構成要素５０４０およびいずれかのダイナミックフィットフィンガ構成要素のための寸法を容易に選択することができるであろう。
【０３５４】
図５１は、図５０のニット構成要素５０４０から形成されたシームレスブーティまたは布地アッパーを正面輪郭図で示し、任意のニットダイナミックフィットフィンガ構成要素または部分５０８０，５０８２および４９８４は、ニット構成要素５０４０の内側側部に部分的に上方に巻き付けられており、また、任意のニットダイナミックフィットフィンガ構成要素５０８１，５０８３および５０８５は、ニット構成要素５０４０の外側側部に部分的に上方に巻き付けられている。
【０３５５】
図５１に図示されているように、ニットダイナミックフィットフィンガ構成要素５０８０は、矢印５１１０の方向で、ニット構成要素５０４０の内側後方かかと部に上方に向けて巻き付けることができ、また、ダイナミックフィットフィンガ構成要素５０８１は、矢印５１１２の方向で、ニット構成要素５０４０の外側後方かかと部に上方に向けて巻き付けることができる。同様に、ニットダイナミックフィットフィンガ構成要素５０８２は、矢印５１１４の方向で、ニット構成要素５０４０の内側底部かかと部に上方に向けて巻き付けることができ、また、ダイナミックフィットフィンガ構成要素５０８３は、矢印５１１６の方向で、ニット構成要素５０４０の外側底部かかと部に上方に向けて巻き付けることができる。同様に、ニットダイナミックフィットフィンガ構成要素５０８４は、矢印５１１８の方向で、ニット構成要素５０４０の内側足先部に上方に向けて巻き付けることができ、また、ダイナミックフィットフィンガ構成要素５０８５は、矢印５１２０の方向で、ニット構成要素５０４０の外側足先部に上方に向けて巻き付けることができる。
【０３５６】
参照図５００７は、ニット構成要素５０４０から形成されたシームレスブーティまたは布地アッパーを正面輪郭図で示し、任意のニットダイナミックフィットフィンガ構成要素から成る３つのペア（すなわち、ペア５０８０−５０８１、ペア５０８２−５０８３およびペア５０８４−５０８５）が、ニット構成要素４９４０の内側側部とニット構成要素４９４０の外側側部との両方に上方に向けて完全に巻き付けられている。
【０３５７】
いくつかの実施形態では、ニットダイナミックフィットフィンガ構成要素５０８０，５０８１，５０８２，５０８３，５０８４，５０８５は、ニットダイナミックフィットフィンガ構成要素５０８０，５０８１，５０８２，５０８３，５０８４，５０８５の遠位端がクロージャシステム５０７０に一致するように、ニット構成要素５０４０に上方に向けて巻き付けてもよい。いくつかの実施形態では、ニットダイナミックフィットフィンガ構成要素５０８０，５０８１，５０８２，５０８３，５０８４，５０８５の遠位端は、ニットクロージャ部材５０８６と、少なくとも１つのニットホールまたはひも穴５０８７とを含んでいてもよい。いくつかの実施形態では、ニットダイナミックフィットフィンガ構成要素５０８０，５０８１，５０８２，５０８３，５０８４，５０８５は、少なくとも１つのクロージャ部材５０８６と、少なくとも１つのニットダイナミックフィットフィンガ構成要素５０８０，５０８１，５０８２，５０８３，５０８４，５０８５の少なくともひも穴５０８７とが、シームレスブーティまたは布地アッパー５０４０の少なくとも１つのクロージャ部材５０７２およびひも穴５０７４と位置合わせされるように、ニット構成要素５０４０に上方に向けて巻き付けてもよい。
【０３５８】
図５２に図示されているように、いくつかの実施形態では、クロージャシステム５０７０の複数のクロージャ部材５０７４，５０８６およびひも穴５０７４，５０８７と、ニットダイナミックフィットフィンガ構成要素５０８０，５０８１，５０８２，５０８３，５０８４，５０８５とは、位置合わせして配置してもよい。この場合、クロージャシステム５０７０と、ニットダイナミックフィットフィンガ構成要素５０８０，５０８１，５０８２，５０８３，５０８４，５０８５を含むダイナミックフィットシステムとが、共通の締めひもを用いてもよいことは正しく認識されるであろう。いくつかの実施形態では、ニットダイナミックフィットフィンガ構成要素５０８０，５０８１，５０８２，５０８３，５０８４，５０８５は、異なる締めひも、または、クロージャシステム５０７０とは異なる他のテンショニング構造を用いてもよい。いくつかの実施形態では、ニット構成要素５０４０は、ニットダイナミックフィットフィンガ構成要素５０８０，５０８１，５０８２，５０８３，５０８４，５０８５を含んでいるが、いかなるクロージャシステムも含んでいないダイナミックフィットシステムを含んでもよい。当業者は、所望の履物製品に適した、クロージャシステムとダイナミックフィット構成要素との組合せを選択できるであろう。
【０３５９】
実施形態に関するこの説明は、クロージャ、テンショニングおよび／またはダイナミックフィットを実現するための方法および構造を含んでもよい履物製品に注力している。２０１３年７月１１日に出願された、Tiffany Beersによる「Article With Closed Instep Portion Having Variable Volume」（PLG 51-2970）というタイトルの共同所有の特許文献１は、履物製品用のクロージャ、テンショニングおよび／またはダイナミックフィットを実現するための方法および構造を開示しており、その開示は、その全体が本書に組み込まれる。当業者は、本願明細書に開示され、およびクレームされている所望のシームレスブーティまたは布地アッパーの実施形態とともに用いるのに適したクロージャ、テンショニングおよび／またはダイナミックフィット構造を容易に選択することができるであろう。
【０３６０】
さまざまな実施形態について説明してきたが、その説明は、限定的であるというよりも、例示的であることが意図されており、また、当業者には、それらの実施形態の範囲内にある多くの実施形態および実施態様が可能であることは明らかであろう。したがって、それらの実施形態は、添付クレームおよびそれらの等価物の観点を除いて限定すべきではない。また、さまざまな変更および変形を、添付クレームの範囲内で行うことができる。
【図１】
0006406737.tif 000002
【図２】
0006406737.tif 000003
【図３】
0006406737.tif 000004
【図４】
0006406737.tif 000005
【図５】
0006406737.tif 000006
【図６】
0006406737.tif 000007
【図７】
0006406737.tif 000008
【図８】
0006406737.tif 000009
【図９】
0006406737.tif 000010
【図１０】
0006406737.tif 000011
【図１１】
0006406737.tif 000012
【図１２】
0006406737.tif 000013
【図１３】
0006406737.tif 000014
【図１４】
0006406737.tif 000015
【図１５】
0006406737.tif 000016
【図１６】
0006406737.tif 000017
【図１７】
0006406737.tif 000018
【図１８】
0006406737.tif 000019
【図１９】
0006406737.tif 000020
【図２０】
0006406737.tif 000021
【図２１】
0006406737.tif 000022
【図２２】
0006406737.tif 000023
【図２３】
0006406737.tif 000024
【図２４】
0006406737.tif 000025
【図２５】
0006406737.tif 000026
【図２６】
0006406737.tif 000027
【図２７】
0006406737.tif 000028
【図２８】
0006406737.tif 000029
【図２９】
0006406737.tif 000030
【図３０】
0006406737.tif 000031
【図３１】
0006406737.tif 000032
【図３２】
0006406737.tif 000033
【図３３】
0006406737.tif 000034
【図３４】
0006406737.tif 000035
【図３５】
0006406737.tif 000036
【図３６】
0006406737.tif 000037
【図３７】
0006406737.tif 000038
【図３８】
0006406737.tif 000039
【図３９】
0006406737.tif 000040
【図４０】
0006406737.tif 000041
【図４１】
0006406737.tif 000042
【図４２】
0006406737.tif 000043
【図４３】
0006406737.tif 000044
【図４４】
0006406737.tif 000045
【図４５】
0006406737.tif 000046
【図４６】
0006406737.tif 000047
【図４７】
0006406737.tif 000048
【図４８】
0006406737.tif 000049
【図４９】
0006406737.tif 000050
【図５０】
0006406737.tif 000051
【図５１】
0006406737.tif 000052
【図５２】
0006406737.tif 000053